(57)【要約】      （修正有）【課題】改良されたエアフィルタ構造を有するエアクリーナアセンブリの提供。【解決手段】（ａ）空気流入口と空気流出口とを含むハウジング４０１であって、ハウジングはハウジング本体４０２とアクセスカバー４０３とを含み、（ｉ）ハウジング本体は、開放保守アクセス端部と、空気流出口と、保守アクセス端部から凹設されたメインフィルタカートリッジ密閉シェルフと、を有し、（ｉｉ）アクセスカバーは内部突起を含み、内部突起は、ハウジング本体によって囲まれた位置までハウジング本体内に突出している周囲リムを有し、（Ａ）内部周囲リムは、少なくとも５０ｍｍの軸方向距離にわたって延びており、（Ｂ）内部周囲リムはその内部に側部空気流孔構造を含み、（Ｃ）内部突起は外部表面を有し、外部表面は表面上に、複数の離間した軸方向に延びる突起リブを有する、ハウジングを含むエアクリーナアセンブリ４００。【選択図】図１２
2020124707.tif 000002
【特許請求の範囲】
【請求項１】
（ａ）ハウジング本体と、アクセスカバーと、を含むハウジングであって、
（ｉ）前記ハウジング本体は、開放保守アクセス端部と、前記開放保守アクセス端部から凹設されたメインフィルタカートリッジ密閉シェルフと、を有し、
（ｉｉ）前記アクセスカバーは、複数のフローセパレータチューブを含むフローセパレータチューブ構造を含むプレクリーナアセンブリを含んでおり、
（Ａ）前記アクセスカバーは前記ハウジング本体上の、前記保守アクセス端部上に着脱可能に取り付けられており、前記フローセパレータチューブ構造は、前記ハウジング本体によって囲まれた位置まで前記ハウジング本体内に突出しており、
（ｉｉｉ）前記ハウジングは、空気流入口構造と、空気流出口構造と、汚染物質排出ポート構造と、を含む、
ハウジングと、
（ｂ）前記ハウジング本体内に着脱可能に配置されたメインフィルタカートリッジであって、前記メインフィルタカートリッジは、
（ｉ）入口側端部と、対向する出口側端部と、を有する媒体パックと、
（ｉｉ）周囲ピンチシールを含むハウジングシール構造であって、前記周囲ピンチシールは、前記メインカートリッジ密閉シェルフに対し密閉的に付勢されて着脱可能に配置されている、ハウジングシール構造と、
を含む、メインフィルタカートリッジと、
を含む、エアクリーナアセンブリ。
【請求項２】
（ａ）前記アクセスカバーは前記アクセスカバー上に内部周囲内壁を含み、前記内部周囲内壁は、前記複数のフローセパレータチューブを取り囲み且つ前記複数のフローセパレータチューブから離間するとともに、前記ハウジング本体内に突出しており、
（ｉ）前記アクセスカバーの前記内部周囲内壁は、前記内部周囲内壁内にプレクリーナ排気孔配置を有する、
請求項１に記載のエアクリーナアセンブリ。
【請求項３】
（ａ）前記ハウジング本体は、前記開放保守アクセス端部に隣接する位置において、
（ｉ）第１の長断面寸法と、
（ｉｉ）第２の短断面寸法であって、前記第２の短断面寸法は、前記第１の長断面寸法の半分の位置において、前記第１の長断面寸法に垂直に、前記第１の長断面寸法に垂直にとった寸法である、第２の短断面寸法と、
を有する内部を有する、
請求項１又は２に記載のエアクリーナアセンブリ。
【請求項４】
（ａ）前記第２の短断面寸法に対する前記第１の長断面寸法の比率が少なくとも１．４である、請求項３に記載のエアクリーナアセンブリ。
【請求項５】
（ａ）前記第２の短断面寸法に対する前記第１の長断面寸法の比率が少なくとも１．７である、請求項３又は４に記載のエアクリーナアセンブリ。
【請求項６】
（ａ）前記第２の短断面寸法に対する前記第１の長断面寸法の比率が１．８〜３．５（境界値を含む）の範囲内である、請求項３〜５のいずれか一項に記載のエアクリーナアセンブリ。
【請求項７】
（ａ）前記ハウジング内の前記汚染物質排出ポート構造はチューブを含み、前記チューブは、前記ハウジングの残りの部分から離れる方に、前記第１の長断面寸法の延びる方向とほぼ一致する方向に向けられている、請求項３〜６のいずれか一項に記載のエアクリーナアセンブリ。
【請求項８】
（ａ）前記フローセパレータチューブ構造は、少なくとも、フローセパレータチューブの第１及び第２の離間した直線行を含み、前記第１及び第２の離間した直線行はそれぞれ、前記ハウジング本体内部の前記第１の長断面寸法の延びる方向に一致する方向に延びており、
（ｉ）使用時、前記アクセスカバーの外側に面しているとき、フローセパレータチューブの前記第１の直線行は左垂直行であり、前記第１の直線行内に、使用時、前記第１の直線行から左側に汚染物質排出物を導くようにそれぞれ構成され且つ配向された前記個々のフローセパレータチューブを有し、
（ｉｉ）使用時、前記アクセスカバーの外側に面しているとき、フローセパレータチューブの前記第２の直線行は右垂直行であり、前記第２の直線行内に、使用時、前記第２の直線行から右側に汚染物質排出物を導くようにそれぞれ構成され且つ配向された前記個々のフローセパレータチューブを有する、
請求項７に記載のエアクリーナアセンブリ。
【請求項９】
（ａ）各フローセパレータチューブは外部入口チューブを含み、前記外部入口チューブは側部汚染物質排出スロットを有しており、
（ｉ）フローセパレータチューブの前記第１の直線行内の各フローセパレータチューブの各外部入口チューブは、前記側部汚染物質排出スロットが第１の方向に面している状態で回転可能に配向されており、
（ｉｉ）フローセパレータチューブの前記第２の直線行内の各フローセパレータチューブの各外部入口チューブは前記側部汚染物質排出スロットが第２の方向に面している状態で回転可能に配向されており、
（Ａ）前記第２の方向は前記第１の方向の反対側である、
請求項８に記載のエアクリーナアセンブリ。
【請求項１０】
（ａ）フローセパレータチューブの前記第１の直線行内の各フローセパレータチューブ内の各外部入口チューブは前記各外部入口チューブ内に入口ベーン構造を有し、前記入口ベーン構造は、前記チューブを通過する流れを、前記アクセスカバーの外側に向かって見た場合、第１のサイクロン方向に導くように構成されており、
（ｂ）フローセパレータチューブの前記第２の直線行内の各フローセパレータチューブ内の各外部入口チューブは前記各外部入口チューブ内に入口ベーン構造を有し、前記入口ベーン構造は、前記チューブを通過する流れを、前記アクセスカバーの外側に向かって見た場合、前記第１のサイクロン方向に導くように構成されている、
請求項９に記載のエアクリーナアセンブリ。
【請求項１１】
（ａ）フローセパレータチューブの前記第１の直線行内の各側部ダストイジェクタスロットは、前記汚染物質排出ポート構造を有する前記ハウジング本体の底部に向かって下方に面しており、
（ｂ）フローセパレータチューブの前記第２の直線行内の各側部ダストイジェクタスロットは、前記ハウジング本体の上端部に向かって且つ前記汚染物質排出ポート構造を有する前記底部とは反対側に、上方に向けられている、
請求項９又は１０に記載のエアクリーナアセンブリ。
【請求項１２】
（ａ）各フローセパレータチューブ内の各側部汚染物質排除スロットは、対応する入口チューブの側壁部内に、１７０°〜１９０°（境界値を含む）の範囲内の円弧範囲角度にわたって延びる、請求項９〜１１のいずれか一項に記載のエアクリーナアセンブリ。
【請求項１３】
（ａ）前記ハウジング内の前記汚染物質排出ポート構造は、前記第２の短断面寸法がほぼ延びる方向に向けられて配向されたチューブを含む、
請求項３〜６のいずれか一項に記載のエアクリーナアセンブリ。
【請求項１４】
（ａ）前記フローセパレータチューブ構造は、フローセパレータチューブの少なくとも第１の直線行を含み、前記第１の直線行は、前記第１の長断面寸法の延びる方向に沿って配向されており、
（ｉ）フローセパレータチューブの前記第１の行は、少なくとも、
（Ａ）第１の左側端部フローセパレータチューブと、
（Ｂ）第１の右側端部フローセパレータチューブと、
（Ｃ）フローセパレータチューブの前記第１の直線行内の、前記第１の左側端部フローセパレータチューブと前記第１の右側端部フローセパレータチューブとの間の位置に配置された第１の中央セパレータチューブと、
を含み、
（ｉｉ）使用時、前記第１の中央フローセパレータチューブは前記第１の中央フローセパレータチューブから略下方向に汚染物質を排出するように構成され且つ配向されており、
（ｉｉｉ）使用時、前記アクセスカバーの外側に向かって見た場合、前記第１の左側端部フローセパレータチューブは前記第１の左側端部フローセパレータチューブから一部下方向に及び一部右方に汚染物質を排出するように構成され且つ配向されており、
（ｉｖ）使用時、前記アクセスカバーの外側に向かって見た場合、前記第１の右側端部フローセパレータチューブは前記第１の右側端部フローセパレータチューブから一部下方向に及び一部左方に汚染物質を排出するように構成され且つ配向されている、
請求項１３に記載のエアクリーナアセンブリ。
【請求項１５】
（ａ）前記アクセスカバーの外側に向かって見た場合、前記第１の左側端部フローセパレータチューブは、前記ハウジング本体の前記入口側端部の水平伸張範囲の左側３分の１に位置合わせされて配置されており、
（ｂ）前記アクセスカバーの外側に向かって見た場合、前記第１の右側端部フローセパレータチューブは、前記ハウジング本体の前記入口側端部の水平伸張範囲の右側３分の１に位置合わせされて配置されており、
（ｃ）前記アクセスカバーの外側に向かって見た場合、前記第１の中央フローセパレータチューブは、前記ハウジング本体の前記入口側端部の水平伸張範囲の中央の３分の１に配置されている、
請求項１４に記載のエアクリーナアセンブリ。
【請求項１６】
（ａ）フローセパレータチューブの前記第１の直線行内の各フローセパレータチューブは、側部汚染物質排出スロットを備えた入口チューブを有し、
（ｉ）前記第１の中央フローセパレータチューブの前記入口チューブの前記側部汚染物質排出スロットは、フローセパレータチューブの前記第１の直線行の延びる方向に一致する第１の方向に面しており、
（ｉｉ）前記第１の左側端部フローセパレータチューブの前記入口チューブの前記側部汚染物質排出スロットは、前記アクセスカバーの外側に向かって見た場合、前記第１の中央セパレータチューブの前記入口チューブの前記側部汚染物質排出スロットに面した前記第１の方向から５°〜４０°の範囲内の量反時計回りに回転した方向に面しており、
（ｉｉｉ）前記第１の右側端部フローセパレータチューブの前記入口チューブの前記汚染物質排出スロットは、前記アクセスカバーの外側に向かって見た場合、前記第１の中央セパレータチューブの前記入口チューブの前記側部ダスト排出スロットに面する前記第１の方向から５°〜４０°の範囲内の量時計回りに回転した方向に向けられている、
請求項１４又は１５に記載のエアクリーナアセンブリ。
【請求項１７】
（ａ）各側部汚染物質排出スロットは、対応する入口チューブの側壁部に沿って１７０°〜１９０°（境界値を含む）の範囲内の円弧角にわたり延びる、請求項１６に記載のエアクリーナアセンブリ。
【請求項１８】
（ａ）前記ハウジング本体は、前記保守アクセス端部に隣接する漏斗底部セクションを含み、
（ｉ）前記排出部チューブは前記漏斗底部セクションの最下部に向けられている、請求項１３〜１７のいずれか一項に記載のエアクリーナアセンブリ。
【請求項１９】
（ａ）前記漏斗底部セクションは前記保守アクセス端部に向かって軸方向伸張方向において下方向に階段状になっている、
請求項１８に記載のエアクリーナアセンブリ。
【請求項２０】
（ａ）前記プレクリーナアセンブリは内カバーを含み、前記内カバーは、前記プレクリーナアセンブリ内の空気の流れる方向にわたって延びる空気流出口チューブシートを含み、
（ｉ）前記空気流出口チューブシートは前記空気流出口チューブシート上にアクセスカバー対メインフィルタカートリッジ突起／レシーバ構造の第１の部材を含み、
（ｉｉ）前記メインフィルタカートリッジは前記メインフィルタカートリッジ上にアクセスカバー対メインフィルタカートリッジ突起／レシーバ構造の第２の部材を含み、
（ｉｉｉ）前記アクセスカバー対メインフィルタカートリッジ突起／レシーバ構造の前記第１の部材と前記第２の部材とは、前記メインフィルタカートリッジの前記媒体パックの前記入口側端部と軸方向に重なる位置において係合するように構成されている、
請求項１〜１９のいずれか一項に記載のエアクリーナアセンブリ。
【請求項２１】
（ａ）前記アクセスカバー対メインフィルタカートリッジ突起／レシーバ構造の前記第２の部材は、前記メインフィルタカートリッジ上のハンドル部材を含む、
請求項２０に記載のエアクリーナアセンブリ。
【請求項２２】
（ａ）前記アクセスカバー対メインフィルタカートリッジ突起／レシーバ構造の前記第１の部材は、前記空気流出口チューブシート内のメインカートリッジハンドル受け入れ凹部を含む、請求項２１に記載のエアクリーナアセンブリ。
【請求項２３】
（ａ）前記メインカートリッジハンドル受け入れ凹部は、その長さに対して狭い幅を有するグルーブである、請求項２０又は２１に記載のエアクリーナアセンブリ。
【請求項２４】
（ａ）前記メインカートリッジハンドル受け入れ凹部は、最深位置において、０．５〜１．５（境界値を含む）の範囲内の最大深さ対最大狭幅比率を有する、
請求項２２又は２３のいずれか一項に記載のエアクリーナアセンブリ。
【請求項２５】
（ａ）前記メインカートリッジハンドル受け入れ凹部は、最深位置において、０．７５〜１．２５（境界値を含む）の範囲内の最大深さ対狭幅比率を有する、
請求項２２〜２４のいずれか一項に記載のエアクリーナアセンブリ。
【請求項２６】
（ａ）前記ハウジング本体は、前記開放保守アクセス端部に隣接する位置において、
（ｉ）第１の長断面寸法と、
（ｉｉ）第２の短断面寸法であって、前記第２の短断面寸法は、前記第１の長断面寸法の半分の位置において、前記第１の長断面寸法に垂直に、前記第１の長断面寸法に垂直にとった寸法である、第２の短断面寸法と、
を有する内部を有し、
（ｂ）前記アクセスカバー対メインフィルタカートリッジ突起／レシーバ構造の前記第１の部材は、前記第１の長断面寸法に略平行に延びる前記空気流出口チューブシート内のレシーバグルーブを含む、
請求項２０〜２３のいずれか一項に記載のエアクリーナアセンブリ。
【請求項２７】
（ａ）前記アクセスカバー対メインフィルタカートリッジ突起／レシーバ構造の前記第１の部材は、前記第１の長断面寸法と同一線上に延びる前記空気流出口チューブシート内のレシーバグルーブを含む、
請求項２６に記載のエアクリーナアセンブリ。
【請求項２８】
（ａ）前記アクセスカバー対メインフィルタカートリッジ突起／レシーバ構造の前記第１の部材は、前記第２の短断面寸法の中心点に交差し且つ前記中心点上で中央に位置合わせされたレシーバグルーブを含む、
請求項２６又は２７に記載のエアクリーナアセンブリ。
【請求項２９】
（ａ）前記アクセスカバー対メインフィルタカートリッジ突起／レシーバ構造の前記第１の部材は、前記第２の短断面寸法の中心点からずれた位置において前記第２の短断面寸法に交差するレシーバグルーブを含む、
請求項２６又は２７に記載のエアクリーナアセンブリ。
【請求項３０】
（ａ）前記アクセスカバー対メインフィルタカートリッジ突起／レシーバ構造の前記第１の部材は、前記フィルタカートリッジが前記ハウジング本体内において１つの選択された回転方向にあるときのみに前記アクセスカバー対メインフィルタカートリッジ突起／レシーバ構造の前記第２の部材に完全に係合するように構成されている、
請求項２０〜２９のいずれか一項に記載のエアクリーナアセンブリ。
【請求項３１】
（ａ）前記アクセスカバー対メインフィルタカートリッジ突起／レシーバ構造の前記第１の部材は、前記フィルタカートリッジが前記ハウジング本体内において２つの選択された回転方向のいずれか１つにあるときに前記アクセスカバー対メインフィルタカートリッジ突起／レシーバ構造の前記第２の部材に完全に係合するように構成されている、
請求項２０〜２９のいずれか一項に記載のエアクリーナアセンブリ。
【請求項３２】
（ａ）前記プレクリーナは、外カバーと内カバーとを含み、
（ｉ）前記外カバーと前記内カバーとは、互いに固定された、別個に形成された部品である、請求項１〜３１のいずれか一項に記載のエアクリーナアセンブリ。
【請求項３３】
（ａ）前記外カバーと前記内カバーとは互いに着脱可能に固定されている、
請求項３２に記載のエアクリーナアセンブリ。
【請求項３４】
（ａ）前記内カバーは周囲壁セクションを含み、前記周囲壁セクションは前記周囲壁セクション上にプレクリーナスナップフィット突起／レシーバ接続構造の第１の部材を有し、
（ｂ）前記外カバーは周囲壁セクションを含み、前記周囲壁セクションは前記周囲壁セクション上に前記プレクリーナスナップフィット突起／レシーバ接続構造の第２の部材を有し、前記プレクリーナスナップフィット突起／レシーバ接続構造は前記内カバーと前記外カバーとをともに固定している、
請求項３２又は３３に記載のエアクリーナアセンブリ。
【請求項３５】
（ａ）スナップフィット突起／レシーバ構造の前記第１の部材は複数のばね突起部材を含み、
（ｂ）スナップフィット突起／レシーバ構造の前記第２の部材は複数のレシーバを含む、
請求項３４に記載のエアクリーナアセンブリ。
【請求項３６】
（ａ）前記アクセスカバーは前記アクセスカバー上に内部周囲内壁を含み、前記内部周囲内壁は、前記複数のフローセパレータチューブを取り囲み且つ前記複数のフローセパレータチューブから離間するとともに、前記ハウジング本体内に突出しており、
（ｉ）前記内部周囲内壁は外部表面を有し、前記外部表面は前記外部表面上に、複数の離間した径方向に突出している軸方向のリブを含む、
請求項１〜３５のいずれか一項に記載のエアクリーナアセンブリ。
【請求項３７】
（ａ）前記アクセスカバーの前記内部周囲内壁は前記アクセスカバーの前記内部周囲内壁内にプレクリーナ汚染物質排除流孔を含み、
（ｂ）前記アクセスカバーは、前記プレクリーナ汚染物質排除流孔の周りに延びる径方向封じ込め突起を含む、
請求項３０に記載のエアクリーナアセンブリ。
【請求項３８】
（ａ）前記プレクリーナは、外カバーと内カバーとを含み、
（ｉ）前記外カバーと前記内カバーとは別個に形成され、互いに固定されており、
（ｉｉ）前記アクセスカバーの前記内部周囲壁は前記アクセスカバーの前記内部周囲壁内に前記プレクリーナ排除流孔を有し、前記プレクリーナ排除流孔は、前記内カバーの外周壁の少なくとも一部分を含む、
請求項３７に記載のエアクリーナアセンブリ。
【請求項３９】
（ａ）前記径方向封じ込め突起は、
（ｉ）前記内カバーの前記外周壁から径方向外側に突出している第１部分と、
（ｉｉ）前記外カバー上に配置された第２部分と、
を含む、請求項３８に記載のエアクリーナアセンブリ。
【請求項４０】
（ａ）前記媒体パックは、第１の媒体パック長断面寸法と、第２の媒体パック短断面寸法と、を有し、
（ｉ）前記第１の媒体パック長断面寸法は、前記入口側端部と前記対向する出口側端部との間の方向に垂直な平面内においてとった断面寸法であり、
（ｉｉ）前記第２の媒体パック短断面寸法は、前記第１の媒体パック長断面寸法に沿った中間点において、且つ前記入口側端部と前記対向する出口側端部との間の方向に垂直な前記平面内においてとったものである、
請求項１〜３９のいずれか一項に記載のエアクリーナアセンブリ。
【請求項４１】
（ａ）前記第２の媒体パック短断面寸法に対する前記第１の媒体パック長断面寸法の比率が少なくとも１．４である、
請求項４０に記載のエアクリーナアセンブリ。
【請求項４２】
（ａ）前記第２の媒体パック短断面寸法に対する前記第１の媒体パック長断面寸法の比率は少なくとも１．５である、
請求項４０又は４１に記載のエアクリーナアセンブリ。
【請求項４３】
（ａ）前記第２の媒体パック短断面寸法に対する前記第１の媒体パック長断面寸法の比率は少なくとも１．８である、
請求項４０〜４２のいずれか一項に記載のエアクリーナアセンブリ。
【請求項４４】
（ａ）前記第２の媒体パック短断面寸法に対する前記第１の媒体パック長断面寸法の比率は１．６〜３．０（境界値を含む）の範囲内である、
請求項４０〜４３のいずれか一項に記載のエアクリーナアセンブリ。
【請求項４５】
（ａ）前記第２の媒体パック短断面寸法に対する前記第１の媒体パック長断面寸法の比率は２．０〜２．６（境界値を含む）の範囲内である、
請求項４４に記載のエアクリーナアセンブリ。
【請求項４６】
（ａ）前記媒体パックは、前記第１端部と前記対向する第２端部との間の伸張範囲が少なくとも１００ｍｍの長さである、
請求項１〜４５のいずれか一項に記載のエアクリーナアセンブリ。
【請求項４７】
（ａ）前記媒体パックは、前記第１端部と前記対向する第２端部との間の伸張範囲が少なくとも１５０ｍｍの長さである、
請求項１〜４６のいずれか一項に記載のエアクリーナアセンブリ。
【請求項４８】
（ａ）前記媒体パックは、前記第１端部と前記対向する第２端部との間の伸張範囲が少なくとも２００ｍｍの長さである、
請求項１〜４７のいずれか一項に記載のエアクリーナアセンブリ。
【請求項４９】
（ａ）前記媒体パックは、前記第１端部と前記対向する第２端部との間の伸張範囲が少なくとも２５０ｍｍの長さである、
請求項１〜４８のいずれか一項に記載のエアクリーナアセンブリ。
【請求項５０】
（ａ）前記媒体パックは、前記第１端部と前記第２端部との間の方向に垂直な平面内において、少なくとも２５０ｍｍである少なくとも１つの断面寸法を有する、
請求項１〜４９のいずれか一項に記載のエアクリーナアセンブリ。
【請求項５１】
（ａ）前記媒体パックは、前記第１端部と前記第２端部との間の方向に垂直な平面内において、少なくとも３００ｍｍである少なくとも１つの断面寸法を有する、
請求項１〜５０のいずれか一項に記載のエアクリーナアセンブリ。
【請求項５２】
（ａ）前記媒体パックは、前記第１端部と前記第２端部との間の方向に垂直な平面内において、少なくとも３８０ｍｍである少なくとも１つの断面寸法を有する、
請求項１〜５１のいずれか一項に記載のエアクリーナアセンブリ。
【請求項５３】
（ａ）前記媒体パックは周囲楕円形の外周を有する、
請求項１〜５２のいずれか一項に記載のエアクリーナアセンブリ。
【請求項５４】
（ａ）前記媒体パックは、２つの対向する直線の辺と、２つの対向湾曲端部と、を有する周囲楕円形の外周を有する、
請求項１〜５３のいずれか一項に記載のエアクリーナアセンブリ。
【請求項５５】
（ａ）前記媒体パックはコイル式媒体ストリップ配置を含む、
請求項１〜５４のいずれか一項に記載のエアクリーナアセンブリ。
【請求項５６】
（ａ）前記コイル式媒体ストリップ配置は、第２の媒体シートに固定された第１の媒体シートのコイル式ストリップを含む、請求項５５に記載のエアクリーナアセンブリ。
【請求項５７】
（ａ）前記コイル式媒体ストリップ配置は、第２の媒体シートに固定されたフルート付き媒体シートのコイル式ストリップを含む、請求項５５又は５６に記載のエアクリーナアセンブリ。
【請求項５８】
（ａ）前記メインフィルタカートリッジは外部シェルを含み、前記外部シェルは、前記媒体パックを取り囲むとともに、前記ハウジングシール構造から、少なくとも、前記ハウジングシール構造から最も遠い前記媒体パックの端部まで延びる、
請求項１〜５７のいずれか一項に記載のエアクリーナアセンブリ。
【請求項５９】
（ａ）前記外部シェルは出口側端部を含み、前記出口側端部は前記ハウジングシール構造から離れており、前記出口側端部上に媒体支持グリッドを有する、
請求項５８に記載のエアクリーナアセンブリ。
【請求項６０】
（ａ）前記外部シェルは出口側端部を含み、前記出口側端部は前記ハウジングシール構造から離れており、前記出口側端部上に安全フィルタカートリッジ圧力フランジを有する、
請求項５８又は５９に記載のエアクリーナアセンブリ。
【請求項６１】
（ａ）前記外部シェルは、前記出口側端部に外部シェル外部周囲縁部を含み、
（ｉ）前記安全カートリッジ圧力フランジは前記外部シェル外部周囲縁部から径方向内側に離間している、
請求項６０に記載のエアクリーナアセンブリ。
【請求項６２】
（ａ）前記安全カートリッジ圧力フランジは少なくとも１つの軸方向突起を含む、
請求項６０又は６１に記載のエアクリーナアセンブリ。
【請求項６３】
（ａ）前記安全カートリッジ圧力フランジは１つの連続的な軸方向リング状突起である、
請求項６０〜６２のいずれか一項に記載のエアクリーナアセンブリ。
【請求項６４】
（ａ）前記メインフィルタカートリッジの前記外部シェルは前記外部シェル上に周囲径方向外側に延びる突起構造を含み、前記周囲径方向外側に延びる突起構造は、前記ハウジングシール構造の前記周囲ピンチシールに埋め込まれた部分を有する、
請求項５０〜６３のいずれか一項に記載のエアクリーナアセンブリ。
【請求項６５】
（ａ）前記外部シェル上の前記周囲突起構造は周囲フランジを含み、前記周囲フランジは前記周囲フランジ内に複数の樹脂流孔を有する、請求項６４に記載のエアクリーナアセンブリ。
【請求項６６】
（ａ）前記周囲ピンチシールは、前記媒体パックの媒体に直に成形された弾性部分を含む、
請求項１〜６５のいずれか一項に記載のエアクリーナアセンブリ。
【請求項６７】
（ａ）前記周囲ピンチシールは、前記媒体パックの前記出口側端部の方向に一致する方向に面して配向された周囲軸方向シール表面を含む、
請求項１〜６６のいずれか一項に記載のエアクリーナアセンブリ。
【請求項６８】
（ａ）前記周囲軸方向シール表面は、ハウジング部分受け入れグルーブによって前記媒体から離間している、
請求項６７に記載のエアクリーナアセンブリ。
【請求項６９】
（ａ）前記ハウジング本体はメインフィルタカートリッジ安定化フランジを含み、前記メインフィルタカートリッジ安定化フランジは、前記周囲軸方向シール表面と前記媒体パックとの間の位置まで前記ハウジング部分受け入れグルーブ内に突出している、
請求項６８に記載のエアクリーナアセンブリ。
【請求項７０】
（ａ）前記メインフィルタカートリッジは周辺シール取付突起を含み、前記周辺シール取付突起は、前記媒体パックから径方向外側に、前記ハウジングシール構造内に突出している、
請求項６９に記載のエアクリーナアセンブリ。
【請求項７１】
（ａ）前記メインフィルタカートリッジは外部シェルを含み、前記外部シェルは前記媒体パックを取り囲み、且つ前記ハウジングシール構造から、少なくとも、前記ハウジングシール構造から離れている前記媒体パックの端部まで延びており、
（ｂ）前記周辺シール取付突起は、前記外部シェル上の径方向外側に延びるフランジである、
請求項７０に記載のエアクリーナアセンブリ。
【請求項７２】
（ａ）前記周囲ピンチシールの前記周囲軸方向シール表面は傾斜表面である、
請求項６７〜７１のいずれか一項に記載のエアクリーナアセンブリ。
【請求項７３】
（ａ）前記周囲軸方向シール表面は傾斜形状を含み、前記傾斜形状は前記傾斜形状上に、少なくとも２つの離間した軸方向突起セクションを有する、
請求項６６〜７２のいずれか一項に記載のエアクリーナアセンブリ。
【請求項７４】
（ａ）前記周囲軸方向シール表面は楕円リング形状を有し、前記楕円リング形状は、２つの対向する直線の辺と、２つの対向湾曲端部と、を有する、
請求項６６〜７２のいずれか一項に記載のエアクリーナアセンブリ。
【請求項７５】
（ａ）前記周囲軸方向シール表面は傾斜形状を有し、前記傾斜形状は、前記２つの対向する直線の辺のうち第１の辺と重なって配置された少なくとも１つの軸方向突起セクションを有する、請求項７４に記載のエアクリーナアセンブリ。
【請求項７６】
（ａ）前記周囲軸方向シール表面は傾斜形状を有し、前記傾斜形状は、前記２つの対向する直線の辺のうち第１の辺と重なっている少なくとも２つの離間した軸方向突起セクションを有する、請求項７５に記載のエアクリーナアセンブリ。
【請求項７７】
（ａ）前記周囲軸方向シール表面は傾斜形状を有し、前記傾斜形状は、前記２つの対向する直線の辺の各辺と重なって配置された少なくとも１つの軸方向突起セクションを有する、
請求項７５又は７６に記載のエアクリーナアセンブリ。
【請求項７８】
（ａ）前記周囲軸方向シール表面の各突起セクションは少なくとも３ｍｍの相対的な突起逃げを有する、
請求項７５〜７７のいずれか一項に記載のエアクリーナアセンブリ。
【請求項７９】
（ａ）前記周囲ピンチシールは外部周囲径方向外側に向けられた表面を有し、前記外部周囲径方向外側に向けられた表面はその中に少なくとも１つの凹部セクションを有する、請求項１〜７８のいずれか一項に記載のエアクリーナアセンブリ。
【請求項８０】
（ａ）前記周囲ピンチシールは外部周囲径方向外側に向けられた表面を有し、前記外部周囲径方向外側に向けられた表面はその中に少なくとも２つの離間した凹設セクションを有する、
請求項１〜７９のいずれか一項に記載のエアクリーナアセンブリ。
【請求項８１】
（ａ）前記外部周囲径方向外側に向けられた周囲表面は周囲形状を有し、前記周囲形状は２つの対向する直線の辺と、２つの対向湾曲端部と、を有する、
請求項７９〜８０のいずれか一項に記載のエアクリーナアセンブリ。
【請求項８２】
（ａ）前記径方向に向けられた周囲表面の前記２つの対向する直線の辺の各辺は前記各辺上に少なくとも１つの凹設セクションを有する、
請求項８１に記載のエアクリーナアセンブリ。
【請求項８３】
（ａ）前記２つの対向する辺の少なくとも１つは前記２つの対向する辺の少なくとも１つ内に少なくとも２つの離間した凹設セクションを有する、
請求項８１又は８２に記載のエアクリーナアセンブリ。
【請求項８４】
（ａ）前記外部周囲径方向外側に向けられた表面の凹部セクションは前記凹部セクション内に内部階段を含み、前記内部階段は上部湾曲縁部を有し、前記上部湾曲縁部は、前記媒体パックの前記出口側端部の方向に一致する方向に面している、
請求項７９〜８３のいずれか一項に記載のエアクリーナアセンブリ。
【請求項８５】
（ａ）前記外部周囲径方向外側に向けられた表面の凹部セクションは内部階段を含み、前記内部階段は、２つの上部湾曲縁部を有して構成されており、前記２つの上部湾曲縁部のそれぞれは、中心に向かって、及び前記媒体パックの前記出口側端部に対応する方向に湾曲して延びている、
請求項８４に記載のエアクリーナアセンブリ。
【請求項８６】
（ａ）前記外部周辺径方向外側に向けられた表面の各凹部セクションは、少なくとも１ｍｍの、相対的な凹部の最大深さを有する、
請求項８５に記載のエアクリーナアセンブリ。
【請求項８７】
（ａ）前記周囲ピンチシールは、前記媒体パックの前記出口側端部の方向に一致する方向に面して配向された周囲軸方向シール表面を含み、
（ｉ）前記周囲軸方向シール表面は傾斜表面であり、前記傾斜表面は少なくとも１つの軸方向突起セクションを有し、前記少なくとも１つの軸方向突起セクションは、前記周囲ピンチシールの前記外部周囲径方向外側に向けられた表面の各凹部セクションと位置合わせされて配向されている、
請求項７９〜８６のいずれか一項に記載のエアクリーナアセンブリ。
【請求項８８】
（ａ）前記アクセスカバーはメインフィルタカートリッジ圧力フランジを含み、
（ｉ）前記周囲ピンチシールは前記メインフィルタカートリッジ圧力フランジに係合しており、前記メインフィルタカートリッジ密閉シェルフを押している、
請求項１〜８７のいずれか一項に記載のエアクリーナアセンブリ。
【請求項８９】
（ａ）前記ハウジング本体は、前記メインフィルタカートリッジ密閉シェルフ上の周囲軸方向リブ突起を含み、前記周囲軸方向リブ突起は、前記周囲ピンチシールに押し込まれて軸方向に方向付けられている、
請求項１〜８８のいずれか一項に記載のエアクリーナアセンブリ。
【請求項９０】
（ａ）前記メインフィルタカートリッジ密閉シェルフ上の前記周囲軸方向リブ突起は、前記ハウジング本体の内部に延びる連続的なリブである、請求項８９に記載のエアクリーナアセンブリ。
【請求項９１】
（ａ）前記メインフィルタカートリッジ密閉シェルフは、前記開放保守アクセス端部に向かって延びる、前記ハウジング本体の軸方向に延びる部分と、前記ハウジング本体の空気流出口側端部と、の間に配置されている、
請求項１〜９０のいずれか一項に記載のエアクリーナアセンブリ。
【請求項９２】
（ａ）前記メインフィルタカートリッジ密閉シェルフは少なくとも１つのシール突起輪郭受け入れ凹部をその中に含む、
請求項１〜９１のいずれか一項に記載のエアクリーナアセンブリ。
【請求項９３】
（ａ）前記メインフィルタカートリッジ密閉シェルフは少なくとも２つのシール突起輪郭受け入れ凹部をその中に含む、
請求項１〜９２のいずれか一項に記載のエアクリーナアセンブリ。
【請求項９４】
（ａ）前記メインエアフィルタカートリッジ密閉シェルフは周囲形状を有し、前記周囲形状は２つの対向する直線の辺を有し、
（ｂ）少なくとも１つのシール突起輪郭受け入れ凹部は前記２つの対向する直線の辺の各辺内に配向されている、
請求項９３に記載のエアクリーナアセンブリ。
【請求項９５】
（ａ）前記メインフィルタカートリッジ密閉シェルフの少なくとも２つのシール突起輪郭読み凹部は前記直線の辺の１つに配置されている、請求項９２〜９４のいずれか一項に記載のエアクリーナアセンブリ。
【請求項９６】
（ａ）前記メインフィルタカートリッジは、前記ハウジングに対しわずか２つの回転方向のいずれか１つにおいて完全に取り付けることができるように成形され且つ構成されている、
請求項１〜９５のいずれか一項に記載のエアクリーナアセンブリ。
【請求項９７】
（ａ）前記メインフィルタカートリッジは、前記ハウジングに対しわずか１つの回転方向において完全に取り付けることができるように成形され且つ構成されている、
請求項１〜９５のいずれか一項に記載のエアクリーナアセンブリ。
【請求項９８】
（ａ）前記アクセスカバーは、前記ハウジング本体にわずか１つの回転方向において取り付け可能であるように成形され且つ構成されている、
請求項１〜９７のいずれか一項に記載のエアクリーナアセンブリ。
【請求項９９】
（ａ）前記アクセスカバーと前記ハウジング本体との間に弾性ウェザーバスケット
を含む、請求項１〜９８のいずれか一項に記載のエアクリーナアセンブリ。
【請求項１００】
（ａ）前記ハウジング本体内の、前記メインフィルタカートリッジと前記空気流出口構造との間の位置に配置された、前記メインフィルタカートリッジとは別個の安全フィルタカートリッジ
を含む、請求項１〜９９のいずれか一項に記載のエアクリーナアセンブリ。
【請求項１０１】
（ａ）前記安全フィルタカートリッジはプリーツ付き媒体を含む、
請求項１００に記載のエアクリーナアセンブリ。
【請求項１０２】
（ａ）前記安全フィルタカートリッジは媒体を取り囲むフレームを含む、
請求項１００又は１０１に記載のエアクリーナアセンブリ。
【請求項１０３】
（ａ）前記安全フィルタカートリッジは前記安全フィルタカートリッジ上に弾性周辺安全シール部材を含む、
請求項１００〜１０２のいずれか一項に記載のエアクリーナアセンブリ。
【請求項１０４】
（ａ）前記弾性周辺安全シール部材は軸方向に向けられたシール表面を含み、前記軸方向に向けられたシール表面は、前記メインフィルタカートリッジから離れる方に向けられて配向されている、
請求項１０３に記載のエアクリーナアセンブリ。
【請求項１０５】
（ａ）前記ハウジングは前記ハウジング上に安全フィルタカートリッジ密閉シェルフを含み、前記安全フィルタカートリッジ密閉シェルフは、前記安全シール部材上の前記軸方向に向けられたシール表面に着脱可能に密閉的に係合している、
請求項１０４に記載のエアクリーナアセンブリ。
【請求項１０６】
（ａ）前記安全フィルタカートリッジ密閉シェルフは、前記安全シール部材上の前記軸方向に向けられたシール表面内に突出している安全カートリッジ係合リブを含む、
請求項１０５に記載のエアクリーナアセンブリ。
【請求項１０７】
（ａ）前記安全カートリッジ係合リブは連続的な周辺リブである、
請求項１０５に記載のエアクリーナアセンブリ。
【請求項１０８】
（ａ）前記安全フィルタカートリッジは前記安全フィルタカートリッジ上にハンドル構造を含み、前記ハンドル構造は、前記メインフィルタカートリッジに向かって突出している、
請求項１００〜１０７のいずれか一項に記載のエアクリーナアセンブリ。
【請求項１０９】
（ａ）前記ハンドル構造は２つの離間したハンドル突起を含む、
請求項１０８に記載のエアクリーナアセンブリ。
【請求項１１０】
（ａ）前記安全フィルタカートリッジは周囲形状を含み、前記周囲形状は、第１のより長い安全フィルタカートリッジ断面寸法と、前記より長い安全フィルタ断面寸法に沿った中間点における第２のより短い安全フィルタ断面寸法と、を有し、
（ｉ）前記第１の断面寸法及び前記第２の断面寸法のそれぞれは、前記安全フィルタカートリッジを通る空気が流れる方向に垂直な平面内にある、
請求項１０９に記載のエアクリーナアセンブリ。
【請求項１１１】
（ａ）前記ハンドル構造は２つの長尺状の離間した突起を含み、前記２つの長尺状の離間した突起はそれぞれ、ほぼ、前記第１のより長い安全フィルタ断面寸法の方向に延びる、
請求項１１０に記載のエアクリーナアセンブリ。
【請求項１１２】
（ａ）前記安全フィルタカートリッジはフレームによって囲まれた媒体を含み、
（ｉ）前記安全フィルタカートリッジは前記安全フィルタカートリッジ上に弾性構造を含み、前記弾性構造は、前記フレームと前記ハウジング本体の周囲部分との間に配置されており、且つ前記ハウジング本体の前記周囲部分に対し径方向に圧縮されている、
請求項１００〜１１１のいずれか一項に記載のエアクリーナアセンブリ。
【請求項１１３】
（ａ）前記弾性構造は複数の軸方向突起を含む、
請求項１１２に記載のエアクリーナアセンブリ。
【請求項１１４】
（ａ）前記安全フィルタカートリッジは現場成形安全フィルタ軸方向ピンチシールを含み、
（ｂ）前記弾性構造は前記安全フィルタ軸方向ピンチシールと一体成形された複数の突起を含む、
請求項１１３に記載のエアクリーナアセンブリ。
【請求項１１５】
（ａ）前記フローセパレータチューブ構造は、前記ハウジング本体内に少なくとも４０ｍｍ突出するように構成されている、
請求項１〜１１４のいずれか一項に記載のエアクリーナアセンブリ。
【請求項１１６】
（ａ）前記フローセパレータチューブ構造は、前記ハウジング本体内に少なくとも６０ｍｍ突出するように構成されている、
請求項１〜１１５のいずれか一項に記載のエアクリーナアセンブリ。
【請求項１１７】
（ａ）前記フローセパレータチューブ構造は、前記ハウジング本体内に少なくとも８０ｍｍ突出するように構成されている、
請求項１〜１１６のいずれか一項に記載のエアクリーナアセンブリ。
【請求項１１８】
（ａ）ハウジング本体と、アクセスカバーと、空気流入口構造と、空気流出口構造と、を含むハウジングであって、
（ｉ）前記ハウジング本体は、開放保守アクセス端部と；空気流出口と；前記保守アクセス端部から凹設されたメインフィルタカートリッジ密閉シェルフと；前記保守アクセス端部から凹設された安全フィルタカートリッジ密閉シェルフであって、前記メインフィルタカートリッジ受け入れシェルフは、前記保守アクセス端部と前記安全フィルタカートリッジ密閉シェルフとの間に配置されている、安全フィルタカートリッジ密閉シェルフと、を有し、
（ｉｉ）前記アクセスカバーは内部突起を含み、前記内部突起は、前記ハウジング本体によって囲まれた位置まで前記ハウジング本体内に突出している周囲リムを有する、
ハウジングと、
（ｂ）前記ハウジング本体内に着脱可能に配置されたメインフィルタカートリッジであって、前記メインフィルタカートリッジは、
（ｉ）入口側端部と、対向する出口側端部と、を有する媒体パックと、
（ｉｉ）周囲ピンチシールを含むハウジングシール構造であって、前記周囲ピンチシールは、前記アクセスカバー上の前記内部突起によって前記メインカートリッジ密閉シェルフに対し付勢されて配置されている、ハウジングシール構造と、
を含む、メインフィルタカートリッジと、
（ｃ）前記メインフィルタカートリッジとは別個の安全フィルタカートリッジであって、前記メインフィルタカートリッジによって前記安全フィルタカートリッジ密閉シェルフに対し着脱可能に付勢された周囲シールを有する安全フィルタカートリッジと、
を含む、エアクリーナアセンブリ。
【請求項１１９】
（ａ）前記内部周囲リムは、少なくとも５０ｍｍの軸方向距離にわたって延びる、
請求項１１８に記載のエアクリーナアセンブリ。
【請求項１２０】
（ａ）前記内部周囲リムは前記内部周囲リム内に側部空気流孔構造を含む、
請求項１１８〜１１９のいずれか一項に記載のエアクリーナアセンブリ。
【請求項１２１】
（ａ）前記内部突起は外部表面を有し、前記外部表面は前記外部表面上に、複数の離間した軸方向に延びる突起リブを有する、
請求項１１８〜１２０のいずれか一項に記載のエアクリーナアセンブリ。
【請求項１２２】
（ａ）空気流入口と空気流出口とを含むハウジングであって、前記ハウジングはハウジング本体とアクセスカバーとを含み、
（ｉ）前記ハウジング本体は、開放保守アクセス端部と、空気流出口と、前記保守アクセス端部から凹設されたメインフィルタカートリッジ密閉シェルフと、を有し、
（ｉｉ）前記アクセスカバーは内部突起を含み、前記内部突起は、前記ハウジング本体によって囲まれた位置まで前記ハウジング本体内に突出している周囲リムを有し、
（Ａ）前記内部周囲リムは、少なくとも５０ｍｍの軸方向距離にわたって延びており、
（Ｂ）前記内部周囲リムは前記内部周囲リム内に側部空気流孔構造を含み、
（Ｃ）前記内部突起は外部表面を有し、前記外部表面は前記外部表面上に、複数の離間した軸方向に延びる突起リブを有する、
ハウジングを含むエアクリーナアセンブリ。
【請求項１２３】
（ａ）前記ハウジング本体は、前記開放保守アクセス端部に隣接する位置において、
（ｉ）第１の長断面寸法と、
（ｉｉ）第２の短断面寸法であって、前記第２の短断面寸法は、前記第１の長断面寸法の半分の位置において、前記第１の長断面寸法に垂直に、前記第１の長断面寸法に垂直にとった寸法である、第２の短断面寸法と、
を有する内部を有する、
請求項１１８〜１２２のいずれか一項に記載のエアクリーナアセンブリ。
【請求項１２４】
（ａ）前記第２の短断面寸法に対する前記第１の長断面寸法の比率が少なくとも１．４である、請求項１２３に記載のエアクリーナアセンブリ。
【請求項１２５】
（ａ）前記第２の短断面寸法に対する前記第１の長断面寸法の比率が少なくとも１．７である、請求項１２３又は１２４に記載のエアクリーナアセンブリ。
【請求項１２６】
（ａ）前記第２の短断面寸法に対する前記第１の長断面寸法の比率が１．８〜３．５（境界値を含む）の範囲内である、請求項１２３〜１２５のいずれか一項に記載のエアクリーナアセンブリ。
【請求項１２７】
（ａ）前記エアクリーナハウジングは側部空気流入口を含む、
請求項１１８〜１２６のいずれか一項に記載のエアクリーナアセンブリ。
【請求項１２８】
（ａ）前記媒体パックは、前記第１端部と前記対向する第２端部との間の伸張範囲が少なくとも１００ｍｍの長さである、
請求項１１８〜１２７のいずれか一項に記載のエアクリーナアセンブリ。
【請求項１２９】
（ａ）前記第２の媒体パック短断面寸法に対する前記第１の媒体パック長断面寸法の比率が少なくとも１．４である、
請求項１１８〜１２７のいずれか一項に記載のエアクリーナアセンブリ。
【請求項１３０】
（ａ）前記第２の媒体パック短断面寸法に対する前記第１の媒体パック長断面寸法の比率が少なくとも１．７である、
請求項１１８〜１２７のいずれか一項に記載のエアクリーナアセンブリ。
【請求項１３１】
（ａ）前記媒体パックは、前記第１端部と前記対向する第２端部との間の伸張範囲が少なくとも１５０ｍｍの長さである、
請求項１１８〜１２７のいずれか一項に記載のエアクリーナアセンブリ。
【請求項１３２】
（ａ）前記媒体パックは、前記第１端部と前記第２端部との間の方向に垂直な平面内において、少なくとも２５０ｍｍである少なくとも１つの断面寸法を有する、
請求項１１８〜１３１のいずれか一項に記載のエアクリーナアセンブリ。
【請求項１３３】
（ａ）前記媒体パックは、前記第１端部と前記第２端部との間の方向に垂直な平面内において、少なくとも３００ｍｍである少なくとも１つの断面寸法を有する、
請求項１１８〜１３２のいずれか一項に記載のエアクリーナアセンブリ。
【請求項１３４】
（ａ）前記媒体パックは、前記第１端部と前記第２端部との間の方向に垂直な平面内において、少なくとも３８０ｍｍである少なくとも１つの断面寸法を有する、
請求項１１８〜１３３のいずれか一項に記載のエアクリーナアセンブリ。
【請求項１３５】
（ａ）前記媒体パックは周囲楕円形の外周を有する、
請求項１１８〜１３４のいずれか一項に記載のエアクリーナアセンブリ。
【請求項１３６】
（ａ）前記媒体パックは、２つの対向する直線の辺と、２つの対向湾曲端部と、を有する周囲楕円形の外周を有する、
請求項１１８〜１３５のいずれか一項に記載のエアクリーナアセンブリ。
【請求項１３７】
（ａ）前記媒体パックはコイル式媒体ストリップ配置を含む、
請求項１１８〜１３６のいずれか一項に記載のエアクリーナアセンブリ。
【請求項１３８】
（ａ）前記コイル式媒体ストリップ配置は、第２の媒体シートに固定された第１の媒体シートのコイル式ストリップを含む、
請求項１１８〜１３７のいずれか一項に記載のエアクリーナアセンブリ。
【請求項１３９】
（ａ）前記コイル式媒体ストリップ配置は、第２の媒体シートに固定されたフルート付き媒体シートのコイル式ストリップを含む、
請求項１１８〜１３８のいずれか一項に記載のエアクリーナアセンブリ。
【請求項１４０】
（ａ）前記メインフィルタカートリッジは外部シェルを含み、前記外部シェルは、前記媒体パックを取り囲むとともに、前記ハウジングシール構造から、少なくとも、前記ハウジングシール構造から最も遠い前記媒体パックの端部まで延びる、
請求項１１８〜１３９のいずれか一項に記載のエアクリーナアセンブリ。
【請求項１４１】
（ａ）前記外部シェルは出口側端部を含み、前記出口側端部は前記ハウジングシール構造から離れており、前記出口側端部上に媒体支持グリッドを有する、請求項１４０に記載のエアクリーナアセンブリ。
【請求項１４２】
（ａ）前記外部シェルは出口側端部を含み、前記出口側端部は前記ハウジングシール構造から離れており、前記出口側端部上に安全フィルタカートリッジ圧力フランジを有する、請求項１４０又は１４１のいずれか一項に記載のエアクリーナアセンブリ。
【請求項１４３】
（ａ）前記外部シェルは、前記出口側端部に外部シェル外部周囲縁部を含み、
（ｉ）前記安全カートリッジ圧力フランジは前記外部シェル外部周囲縁部から径方向内側に離間している、
請求項１４２に記載のエアクリーナアセンブリ。
【請求項１４４】
（ａ）前記安全カートリッジ圧力フランジは少なくとも１つの軸方向突起を含む、
請求項１４２又は１４３のいずれか一項に記載のエアクリーナアセンブリ。
【請求項１４５】
（ａ）前記安全カートリッジ圧力フランジは１つの連続的な軸方向リング状突起である、
請求項１４２〜１４４のいずれか一項に記載のエアクリーナアセンブリ。
【請求項１４６】
（ａ）前記メインフィルタカートリッジの前記外部シェルは前記外部シェル上に周囲径方向外側に延びる突起構造を含み、前記周囲径方向外側に延びる突起構造は、前記ハウジングシール構造の前記周囲ピンチシールに埋め込まれた部分を有する、請求項１３２〜１４５のいずれか一項に記載のエアクリーナアセンブリ。
【請求項１４７】
（ａ）前記外部シェル上の前記周囲突起構造は周囲フランジを含み、前記周囲フランジは前記周囲フランジ内に複数の樹脂流孔を有する、
請求項１４６に記載のエアクリーナアセンブリ。
【請求項１４８】
（ａ）前記周囲ピンチシールは、前記媒体パックの前記出口側端部の方向に一致する方向に面して配向された周囲軸方向シール表面を含む、
請求項１１８〜１４７のいずれか一項に記載のエアクリーナアセンブリ。
【請求項１４９】
（ａ）前記周囲軸方向シール表面は、ハウジング部分受け入れグルーブによって前記媒体から離間している、請求項１４８に記載のエアクリーナアセンブリ。
【請求項１５０】
（ａ）前記ハウジング本体はメインフィルタカートリッジ安定化フランジを含み、前記メインフィルタカートリッジ安定化フランジは、前記周囲軸方向シール表面と前記媒体パックとの間の位置まで前記ハウジング部分受け入れグルーブ内に突出している、
請求項１１８〜１４９のいずれか一項に記載のエアクリーナアセンブリ。
【請求項１５１】
（ａ）前記メインフィルタカートリッジは周辺シール取付突起を含み、前記周辺シール取付突起は、前記媒体パックから径方向外側に、前記ハウジングシール構造内に突出している、
請求項１５０に記載のエアクリーナアセンブリ。
【請求項１５２】
（ａ）前記メインフィルタカートリッジは外部シェルを含み、前記外部シェルは前記媒体パックを取り囲み、且つ前記ハウジングシール構造から、少なくとも、前記ハウジングシール構造から離れている前記媒体パックの端部まで延びており、
（ｂ）前記周辺シール取付突起は、前記外部シェル上の径方向外側に延びるフランジである、
請求項１５１に記載のエアクリーナアセンブリ。
【請求項１５３】
（ａ）前記周囲ピンチシールの前記周囲軸方向シール表面は傾斜表面である、
請求項１４８〜１５２のいずれか一項に記載のエアクリーナアセンブリ。
【請求項１５４】
エアクリーナアセンブリにおいて使用するための着脱可能なメインエアフィルタカートリッジであって、
（ａ）入口流端部と対向する出口流端部との間に延びる媒体を含む媒体パックと、
（ｂ）周囲ピンチシールを含むハウジングシール構造と、
（ｃ）前記媒体パックを取り囲み、少なくとも前記周囲ピンチシールから少なくとも前記媒体の前記出口流端部まで延びるシェルであって、前記シェルは、前記媒体入口側端部から離れている出口側端部リムを有する、シェルと、
（ｄ）前記シェル上の、前記端部リムから径方向内側に離間した位置に配置された安全フィルタカートリッジ圧力フランジと、
を含む、エアフィルタカートリッジ。
【請求項１５５】
（ａ）エアクリーナアセンブリに関する請求項１〜１５４のいずれか一項を特徴とするメインカートリッジ特徴
を含む、請求項６０に記載のメインフィルタカートリッジ。
【発明の詳細な説明】
【技術分野】
【０００１】
本開示は、典型的には、内燃機関の吸気などの空気の濾過において使用するためのフィルタ構造に関する。本開示は、特に、カートリッジが対向する流れ端部を有するフィルタ構造に関する。エアクリーナ構造及び特徴並びに組み立て方法及び使用方法もまた、記載される。
【背景技術】
【０００２】
空気流はその中に粉じん及び液体粒子などの汚染物質を保持する場合がある。多くの例では、この汚染物質の一部又はすべてを空気流から濾過することが望まれる。例えば、自動車又は発電機器のエンジンへの空気流ストリーム（例えば、燃焼空気流）、ガスタービンシステムへのガス流、及び種々の燃焼炉への空気流はその中に、濾過されるべき微粒子汚染物質を保持する。このようなシステムでは、選択した汚染物質を空気から除去する（又は選択した汚染物質の空気中におけるレベルを低下させる）ことが好まれる。汚染物質除去のための種々のエアフィルタ構造が開発されてきた。改良が求められている。
【発明の概要】
【課題を解決するための手段】
【０００３】
着脱可能なメインフィルタカートリッジが配置されたエアクリーナアセンブリについて記載する。着脱可能なメインフィルタカートリッジは、着脱可能なメインフィルタカートリッジを通る空気、例えば、エンジン構造への燃焼吸気を濾過するためのものである、又は濾過された空気を必要とする他の機器のためのものである。また、構成要素及び組み立ての方法を記載する。
【０００４】
例示的なエアクリーナアセンブリについて記載する。例示的なエアクリーナアセンブリは、複数のフローセパレータチューブを含むプレクリーナアセンブリを含む。プレクリーナアセンブリは、チューブがハウジング本体によって囲まれるように、ハウジング本体の開端部内に突出するように配置されたアクセスカバーの一部分として構成されている。典型的には、この突出（ｐｒｏｊｅｃｔｉｎ）の量は、少なくとも（ａｔ  ｌｅｓｔ）４０ｍｍ、通常、少なくとも６０ｍｍである。
【０００５】
特徴付けられる他の構造では、エアクリーナアセンブリはプレクリーナアセンブリを含まないが、アクセスカバーは、ハウジング本体内の、ハウジング本体によって囲まれた位置まで突出しているシールド又は内部周辺壁又はリングを含む。
【０００６】
典型的には、シールド又は周辺壁（フローチューブがない構造の場合又はフローチューブを有する構造の場合）の突出の量は、少なくとも４０ｍｍ、通常、少なくとも６０ｍｍ、及び多くの場合、１００ｍｍ以上である。
【０００７】
有利な特徴を備えた種々の特定のエアクリーナハウジングについて記載する。また、メインフィルタカートリッジ及び安全フィルタカートリッジについて記載する。
【０００８】
組み立ての方法及び使用の方法について記載する。
【０００９】
概して、多くの種々の有利な特徴が特徴付けられる。しかしながら、本開示による何らかの利点を得るために、選択したシステムが、本明細書中で特徴付けられるあらゆるすべての有利な特徴を含む要件は特にない。
【図面の簡単な説明】
【００１０】
【図１】本開示による構造において使用可能な第１の例示的媒体種類の部分概略斜視図である。
【図２】図１に示される媒体種類の一部分の拡大概略断面図である。
【図３】図１及び図２の種類の媒体の種々のフルート付き媒体の定義の例の概略図を含む。
【図４】図１〜図３の種類の媒体を製造するための例示的プロセスの概略図である。
【図５】図１〜図４の種類の媒体フルートの任意選択の端部ダーツの概略断面図である。
【図６】本開示によるフィルタカートリッジで使用可能であり、図１による媒体のストリップで作製されたコイル式フィルタ構造の概略斜視図である。
【図７】本開示によるフィルタ構造で使用可能であり、図１による媒体のストリップで作製されたスタック式媒体パック構造の概略斜視図である。
【図８】図１の媒体とは別の媒体を使用する、本開示による選択したフィルタカートリッジで使用可能な別のフィルタ媒体パックの概略流れ端部図である。
【図８Ａ】図８の図とは対向する流れ端部の概略図である。
【図８Ｂ】図８及び図８Ａの媒体パックの概略断面図である。
【図９】本開示による媒体パックで使用可能な更に別の媒体種類の概略部分断面図である。
【図１０】図９の媒体種類の第１の変形形態の概略部分断面図である。
【図１１】図９及び図１０の媒体種類の第２の変形形態の概略部分断面図である。
【図１２】本開示によるエアクリーナアセンブリの概略斜視図である。図１２は、全般的にエアクリーナアセンブリの入口側端部に向かって記載されている。
【図１２Ａ】図１２のエアクリーナアセンブリの第２の概略斜視図である。図１２Ａの図は、全般的にエアクリーナアセンブリの出口側端部に向かって記載されている。
【図１２Ｂ】図１２のエアクリーナアセンブリの第３の概略斜視図である。図１２Ｂの図は、アセンブリの入口側流れ端部に向かって記載されており、選択した下部側端部特徴を示す。
【図１３】図１２のエアクリーナアセンブリの概略分解組立入口側端部斜視図である。
【図１４】図１２にほぼ類似するアセンブリの選択した部分の概略分解図であるが、その例示的な使用可能な変形形態を示している。
【図１５】図１２のエアクリーナアセンブリにおいて使用可能なフィルタカートリッジ構成要素の概略斜視図である。
【図１６】図１２のハウジング本体構成要素において使用可能であり、且つ図１５のカートリッジを備える特徴を示す、ハウジング本体構成要素の部分概略入口側端部斜視図である。
【図１６Ａ】図１６の種類のハウジング本体の一部分の拡大部分概略図である。
【図１７】入口側端部に隣接する図１２のエアクリーナアセンブリの一部分の拡大部分概略一部断面図であり、内部詳細を示している。
【図１７Ａ】図１２のエアクリーナアセンブリの一部分の第２の拡大部分概略断面図であり、図１７と同様に方向付けられている。
【図１８】ラッチ部に隣接する図１２のエアクリーナアセンブリの一部分の拡大部分概略図である。
【図１９】図１２のエアクリーナアセンブリの概略入口側端部立面図である。
【図２０】入口側端部に隣接する選択した内部詳細を示している、図１２のエアクリーナアセンブリの一部分の部分概略拡大断面図である。
【図２１】図１２のアセンブリの二次又は安全フィルタカートリッジ構成要素の概略入口側端部斜視図である。
【図２２】図１２のアセンブリの二次フィルタカートリッジ構成要素の概略出口側端部斜視図である。
【図２３】図２１及び図２２の二次フィルタカートリッジに隣接する図１２のアセンブリの一部分を示す拡大概略部分断面図である。
【図２４】概して、図１２の例示的アセンブリの種々の特徴に従う選択した特徴を有するプロトタイプエアクリーナアセンブリの分解斜視図である。
【図２５】図２４のエアクリーナアセンブリのプレクリーナアセンブリの出口側端部の拡大斜視図である。
【図２６】図２４のエアクリーナアセンブリのプロトタイプ一次又はメインフィルタカートリッジの入口側端部斜視図である。
【図２７】図１２のエアクリーナアセンブリにおいて使用可能なプレクリーナアセンブリの概略入口側端部斜視図である。図２７の図は、通常使用時に対し上下逆向きのアセンブリを示している。
【図２８】図２７のプレクリーナアセンブリの入口側構成要素の概略内部斜視図である。
【図２８Ａ】図２８で示した部分の概略拡大部分図である。
【図２９】図１２のアセンブリにおいて使用可能なハウジング本体構成要素の概略入口側端部斜視図である。
【図３０】図２９のハウジング本体構成要素の一部分の概略拡大部分斜視図である。
【図３１】本開示の一般原理のうち選択したものに従い組み立てた特徴を含む別のエアクリーナの概略入口側端部斜視図である。
【図３２】図３１のエアクリーナアセンブリの第２の概略斜視図である。図３２の図は、使用において、下面の方を向いている。
【図３２Ａ】図３１及び図３２のエアクリーナアセンブリのプレクリーナ構成要素特徴部の概略図である。この図は、セパレータチューブ特徴部の使用可能な向きを示す。
【図３３】本開示の選択した特徴を用いた更に別のエアクリーナアセンブリのアクセスカバー端部概略斜視図である。
【図３３Ａ】図３３のエアクリーナアセンブリの選択したハウジング特徴部の概略分解斜視図である。
【図３４】本開示による選択した特徴に従い使用可能なフィルタカートリッジ構成要素の概略側部立面図である。
【図３５】図３４のフィルタカートリッジ構成要素の分解斜視図である。
【図３６】図３４のフィルタカートリッジの第２の分解斜視図である。
【図３６Ａ】概して、図３６によるアセンブリにおいて使用可能であり、任意の安全フィルタ圧力フランジ構造をその上に有する別のシェル部材の出口側端部斜視図である。
【発明を実施するための形態】
【００１１】
Ｉ．全般的な例示的媒体構成
Ａ．外装媒体に固定された媒体リッジ（フルート）を有するフィルタ媒体を使用する媒体パック構造
フルート付きフィルタ媒体（媒体リッジを有する媒体）を用いて、流体フィルタ構造を種々の手法で設けることができる。良く知られた手法の１つは、本明細書中ではｚフィルタ構造として特徴付けられる。本明細書で使用する場合、用語「ｚフィルタ構造」は、波形が付けられた、折られた又はこれ以外で形成されたフィルタフルートの個々のフルートを使用して、媒体を流れる流体のための一群の長手方向の、典型的には平行な、入口及び出口フィルタフルートを画定する種類のフィルタ構造を意味するものである。流体は、フルートの長さに沿って、媒体の対向する位置にある入口流端部と出口流端部（又は流れ面（ｆｌｏｗ  ｆａｃｅ））との間を流れる。ｚフィルタ媒体のいくつかの例は、米国特許第５，８２０，６４６号明細書、米国特許第５，７７２，８８３号明細書、米国特許第５，９０２，３６４号明細書、米国特許第５，７９２，２４７号明細書、米国特許第５，８９５，５７４号明細書、米国特許第６，２１０，４６９号明細書、米国特許第６，１９０，４３２号明細書、米国特許第６，３５０，２９６号明細書、米国特許第６，１７９，８９０号明細書、米国特許第６，２３５，１９５号明細書、米国意匠特許第３９９，９４４号明細書、米国意匠特許第４２８，１２８号明細書、米国意匠特許第３９６，０９８号明細書、米国意匠特許第３９８，０４６号明細書及び米国意匠特許第４３７，４０１号明細書に記載されている。これらの引用参照文献はそれぞれ、参照により本明細書中に組み込まれる。
【００１２】
１つのｚフィルタ媒体の種類では、ともに接合されて媒体構造を形成している２つの特定の媒体構成要素を用いている。この２つの構成要素は、（１）フルート付き（典型的には、波形付き）媒体シート、及び（２）外装媒体シートである。外装媒体シートには、典型的には、波形は付けられていないが、例えば、２００４年２月１１日に出願され、２００５年８月２５日に国際公開第０５／０７７４８７号パンフレットとして公開された米国仮特許出願第６０／５４３，８０４号明細書（これら明細書は参照により本明細書中に組み込まれる）に記載されているように、フルート方向に垂直に波形を付けることができる。
【００１３】
フルート付き（典型的には、波形付き）媒体シートと、外装媒体シートとはともに、平行な入口フルートと出口フルートとを有する媒体を画定するために使用される。いくつかの例では、フルート付きシートと外装シートとはともに固定され、その後、媒体ストリップとして巻かれ、ｚフィルタ媒体構造を形成する。このような構造については、例えば、米国特許第６，２３５，１９５号明細書及び米国特許第６，１７９，８９０号明細書（このそれぞれは参照により本明細書中に組み込まれる）に記載されている。あるその他の構造では、いくつかの巻かれていないセクション又は外装媒体に固定されたフルート付き（典型的には、波形付き）媒体のストリップは互いに積み重ねられてフィルタ構造を作成する。この例は、米国特許第５，８２０，６４６号明細書（参照により本明細書中に組み込まれる）の図１１に記載されている。
【００１４】
本明細書中では、波形付きシートに固定されたフルート付きシート（リッジを有する媒体のシート）を含む材料のストリップは、後に、スタックへと組み立てられて媒体パックを形成し、時として、「単一フェーサストリップ（ｓｉｎｇｌｅ  ｆａｃｅｒ  ｓｔｒｉｐ）」、「単一フェース式ストリップ（ｓｉｎｇｌｅ  ｆａｃｅｄ  ｓｔｒｉｐ）」又は「単一フェーサ（ｓｉｎｇｌｅ  ｆａｃｅｒ）」若しくは「単一フェース式（ｓｉｎｇｌｅ  ｆａｃｅｄ）」媒体と呼ばれる。これらの用語及びこれらの変化形は、各ストリップにおいて、フルート付き（典型的には、波形付き）シートの１つの面、すなわち、片面が外装シートに面しているという事実を意味するものである。
【００１５】
典型的には、コイル式媒体パックを作成するためのフルート付きシート／外装シートの組み合わせ（すなわち単一フェーサ）のストリップの巻き取りは、外装シートを外側に向かって導くことで行われる。巻き取りのいくつかの技術は、２００３年５月２日に出願された米国特許仮出願第６０／４６７，５２１号明細書、及び２００４年３月１７日に出願され、現在は国際公開第０４／０８２７９５号パンフレットとして公開されている、ＰＣＴ出願である米国特許出願第０４／０７９２７号明細書（これらはそれぞれ参照により本明細書中に組み込まれる）に記載されている。得られるコイル式構造は、結果として、全般的に、媒体パックの外部表面として、外装シートの一部分を有する。
【００１６】
媒体内の構造に言及するために本明細書中で使用される「波形付き」という用語は、２つの波形ローラの間、すなわち、２つのローラの間のニップ又はバイトへと媒体を送ることにより得られるフルート構造を意味するものである。ローラはそれぞれ、得られた媒体に波形構造を生じさせるのに適した表面特徴を有する。「波形」という用語は、波形ローラ間のバイトへの媒体の通過を伴わない技術によって形成されたフルートを意味するものではない。しかしながら、「波形付き」という用語は、例えば、２００４年１月２２日に公開されたＰＣＴ国際公開第０４／００７０５４号パンフレットに（参照により本明細書中に組み込まれる）記載されている折り曲げ技術によって、波形を付けた後に媒体を更に修正する又は変形する場合にも当てはまるものとする。
【００１７】
波形付き媒体はフルート付き媒体の特定の形態である。フルート付き媒体は、媒体全体に延びる個々のフルート又はリッジ（例えば、波形を付けること又は折り曲げることによって形成される）を有する媒体である。
【００１８】
ｚフィルタ媒体を用いる保守可能フィルタエレメント又はフィルタカートリッジ構成は、「直流フロー構成（ｓｔｒａｉｇｈｔ  ｔｈｒｏｕｇｈ  ｆｌｏｗ  ｃｏｎｆｉｇｕｒａｔｉｏｎ）」又はその変化形で呼ばれることがある。概して、本文脈においてそれが意味することは、保守可能フィルタエレメント又はカートリッジが全般的に、入口側流れ端部（又は面）と対向する出口流れ端部（又は面）とを有し、このフィルタカートリッジに流れが略同じ直流方向に出入りするというものである。「保守可能（ｓｅｒｖｉｃｅａｂｌｅ）」という用語は、本文脈においては、対応する流体（例えば空気）クリーナから定期的に取り外され、交換される媒体を含むフィルタカートリッジを意味するものである。いくつかの例では、入口側流れ端部（又は面）と出口流端部（又は面）とのそれぞれは略平ら又は平坦であり、この２つは互いに平行である。しかしながら、この変形形態、例えば、非平面面も可能である。
【００１９】
（特にコイル式又はスタック式媒体パックにおける）直流フロー構成は、例えば、流れが媒体に入るとき及び出るときに流れが全般的に大きく向きを変える、米国特許第６，０３９，７７８号明細書（参照により本明細書中に組み込まれる）に示されている種類の円筒状プリーツ型フィルタカートリッジなどの、保守可能フィルタカートリッジとは対照的である。つまり、米国特許第６，０３９，７７８号明細書のフィルタでは、流れは円筒状フィルタカートリッジに円筒側部から入り、その後、向きを変えて媒体の開端部から出る（順流システム）。典型的な逆流システムでは、流れは保守可能円筒状カートリッジに媒体の開端部から入り、その後、向きを変えて円筒状フィルタ媒体の側部から出る。このような逆流システムの例は、参照により本明細書中に組み込まれる米国特許第５，６１３，９９２号明細書に示されている。
【００２０】
「ｚフィルタ媒体構造」という用語及びその変化形は、本明細書で使用する場合、単に、以下の一部又は全部を意味するものである：適切なシーリングにより（外装）媒体に固定され、入口フルート及び出口フルートの画定を可能にする波形付き若しくはそうでなければフルート付き媒体（媒体リッジを有する媒体）のウェブ、並びに／又はこのような媒体から入口フルート及び出口フルートの３次元ネットワークへと構成された若しくは形成された媒体パック、並びに／又はこのような媒体パックを含むフィルタカートリッジ若しくは構造。
【００２１】
図１では、ｚフィルタ媒体構造において使用可能な媒体１の例が示されている。媒体１は、フルート付き、この例では波形付きシート３と、外装シート４と、から形成されている。媒体１などの構造は、本明細書中では、単一フェーサ又は単一フェース式ストリップと呼ばれる。
【００２２】
概して、波形フルート付き又はリッジ付きシート３（図１）は、本明細書中では、規則的な、湾曲した、波パターンのフルート、リッジ又は波形７を有するものとして一般に特徴付けられる種類のものである。「波パターン」という用語は、本文脈では、トラフ７ｂとリッジ７ａとが交互するフルート、リッジ又は波形付きパターンを意味するものである。「規則的な」という用語は、本文脈では、トラフとリッジ（７ｂ、７ａ）の対がほぼ同じ繰り返し波形（フルート又はリッジ）形状及び大きさで交互することを意味するものである。（また、典型的には、規則的な構成においては、各トラフ７ｂは実質的に各リッジ７ａに対し反転したリッジである。）「規則的な」という用語は、したがって、波形（又はフルート）パターンがトラフ（反転したリッジ）とリッジとを含み、その各対（隣接するトラフとリッジとを含む）が、フルートの長さの少なくとも７０％の波形の大きさ及び形状に大幅な変更なしに繰り返すことを示すものである。「大幅な（ｓｕｂｓｔａｎｔｉａｌ）」という用語は、本文脈では、媒体シート３が可撓性であることによるわずかな変更とは対照的に、波形付き又はフルート付きシートを作成するために使用されるプロセス又は形態の変化からもたらされる変更を意味する。繰り返しパターンの特性については、任意の所与のフィルタ構造において、同数のリッジとトラフとが必ずしも存在するというわけではない。媒体１は、例えば、リッジとトラフとを含む対の間で、又はリッジとトラフとを含む対に一部沿って終端され得る。（例えば、図１では、部分的に示されている媒体１は、８つの完全なリッジ７ａと７つの完全なトラフ７ｂとを有する。）また、対向するフルート端部（トラフの端部及びリッジの端部）は互いに異なっていてもよい。これら定義において、このような端部の変形形態は特に明示されない限り無視される。つまり、フルートの端部の変形形態は上記定義に包含されることが意図される。
【００２３】
波形の「湾曲した」波パターンの特性の文脈では、「湾曲した（ｃｕｒｖｅｄ）」という用語は、媒体に折り曲げた又はひだを付けた形状を施した結果ではなく、むしろ、各リッジの頂点７ａと各トラフの底部７ｂとが丸みのある曲線に沿って形成されていている波形パターンを意味するものである。このようなｚフィルタ媒体の典型的な半径は、少なくとも０．２５ｍｍ、及び典型的には、３ｍｍ以下である。
【００２４】
波形付きシート３の図１に示される特定の規則的な、湾曲した波パターンの更なる特性は、各トラフと各隣接するリッジとの間のほぼ中間点３０に、フルート７の長さの大部分に沿って、湾曲が反転する移行領域があることである。例えば、裏側又は面３ａ（図１）を見ると、トラフ７ｂは凹状領域であり、リッジ７ａは凸状領域である。当然、前側又は面３ｂに向かって見ると、側３ａのトラフ７ｂはリッジを形成しており、面３ａのリッジ７ａはトラフを形成している。（いくつかの例では、領域３０は、セグメント３０の端部の湾曲が反転する点である代わりに、直線セグメントであり得る。）
【００２５】
図１に示す特定の規則的な波パターンフルート付き（この例では波形付き）シート３の特性は、個々の波形、リッジ又はフルートが略直線ということである。「直線」とは、本文脈では、縁部８と縁部９との間の長さの少なくとも７０％、典型的には少なくとも８０％にわたって、リッジ７ａ及びトラフ（又は反転したリッジ）７ｂの断面が大幅に変化しないことを意味する。図１に示される波形パターンに関する「直線」という用語は、参照により本明細書中に組み込まれる、２００３年６月１２日に公開された国際公開第９７／４０９１８号パンフレット及びＰＣＴ公報国際公開第０３／４７７２２号パンフレットの図１に記載されている波形付き媒体のテーパ状フルートのパターンと一部区別される。国際公開第９７／４０９１８号パンフレットの図１のテーパ状フルートは、本明細書中で使用する用語では、例えば、湾曲した波パターンであり、「規則的な」パターンでも直線フルートのパターンでもない。
【００２６】
本図１を参照すると、また、上で述べたように、媒体１は第１及び第２の対向する縁部８及び縁部９を有する。媒体１が媒体パックへと形成されると、概して、縁部９は媒体パックの入口側端部又は面を形成し、縁部８は出口側端部又は面を形成するが、逆の配向も可能である。
【００２７】
縁部８に隣接して、シーラントビード１０が提供されている。シーラントビード１０は、波形付きシート３と外装シート４とをともに密閉する。ビード１０は、「単一フェーサ」又は「単一フェース」ビード又はその変化形で呼ばれる場合があるが、これは、ビード１０が、単一フェーサ（単一フェース式）媒体ストリップ１を形成する波形付きシート３と外装シート４との間のビードであることが理由である。シーラントビード１０は、空気をフルート１１から（又は逆の流れではフルート１１に）通すために、縁部８に隣接する個々のフルート１１を密封する。
【００２８】
縁部９に隣接して、シールビード１４が提供されている。シールビード１４は、未濾過の流体をフルート１５から通す（又は逆の流れではフルート１５内において流す）ために、縁部９に隣接するフルート１５をほぼ閉じている。ビード１４は典型的には、媒体１が媒体パックへと構成される際に適用される。媒体パックがストリップ１のスタックから作製される場合、ビード１４は、外装シート４の裏側１７と、次に隣接する波形付きシート３の側面１８との間にシールを形成する。媒体１がストリップに切断され、巻き取られるのではなく積み重ねられる場合、ビード１４は「積み重ねビード（ｓｔａｃｋｉｎｇ  ｂｅａｄ）」と称される。（ビード１４が、媒体１の長いストリップから形成されたコイル式構造において使用される場合、ビード１４は、「巻いたビード（ｗｉｎｄｉｎｇ  ｂｅａｄ）」と称され得る。）
【００２９】
図１を参照すると、フィルタ媒体１が、例えば、積み重ね又は巻き取りによって媒体パックに組み込まれると、フィルタ媒体１は以下のように操作され得る。まず、矢印１２の方向の空気が、端部９に隣接する開放フルート１１に入る。ビード１０による端部８の閉鎖によって、空気は、例えば、矢印１３によって示されるようにフィルタ媒体１を通過する。空気は、その後、媒体パックの端部８に隣接するフルート１５の開端部１５ａを通過することによって媒体又は媒体パックを出ることができる。当然、操作は反対方向の空気流において行うこともできる。
【００３０】
本明細書の図１に示されている特定の構造では、平行波形７ａ、７ｂは縁部８から縁部９まで媒体全体にわたって略直線である。直線フルート、リッジ又は波形は選択した位置、特に端部において変形され得る又は折り曲げられ得る。閉鎖のためのフルート端部の修正については、「規則的な」、「湾曲した」及び「波パターン」の上記定義においてほぼ無視される。
【００３１】
直線の規則的な湾曲した波パターン波形形状を用いないｚフィルタ構造が知られている。例えば、Ｙａｍａｄａらの米国特許第５，５６２，８２５号明細書では、幾分半円状の（断面）入口フルートを、細いＶ字形の（湾曲した側面を有する）出口フルートに隣接して用いる波形パターンが示されている（米国特許第５，５６２，８２５号明細書の図１及び図３を参照のこと）。Ｍａｔｓｕｍｏｔｏらの米国特許第５，０４９，３２６号明細書では、チューブの半分を有する１つのシートを、チューブの半分を有する別のシートに取り付けることによって画定され、得られる平行直線フルート間に平らな領域を有する円形（断面）又は管形フルートが示されている。Ｍａｔｓｕｍｏｔｏの米国特許第５，０４９，３２６号明細書の図２を参照のこと。Ｉｓｈｉｉらの米国特許第４，９２５，５６１号明細書（図１）では、矩形断面を有するように折り曲げられたフルートが示されており、このフルートは、その長さに沿ってテーパしている。国際公開第９７／４０９１８号パンフレット（図１）では、湾曲した波パターン（隣接する湾曲した凸状及び凹状トラフから）を有しているが、その長さに沿ってテーパしている（したがって、直線ではない）フルート又は平行波形構造が示されている。また、国際公開第９７／４０９１８号パンフレットでは、湾曲した波パターンを有しているが、異なる大きさのリッジ及びトラフを有するフルートが示されている。また、種々のリッジを含むように形状を変更したフルートが知られている。
【００３２】
概して、フィルタ媒体は比較的可撓性の材料であり、典型的には、多くの場合、更なる材料で処理されることのある樹脂を内部に含む（セルロース繊維、合成繊維又はこの両方の）不織繊維質材料である。したがって、フィルタ媒体は、容認できない媒体の損傷なく種々の波形パターンへと適合させることができる又は構成することができる。また、フィルタ媒体は、同じく、容認できない媒体の損傷なく使用するために、容易に巻き取ることができる又はそれ以外の手法で構成することができる。当然、フィルタ媒体は、使用時、必要な波形構成を維持するような性質のものでなければならない。
【００３３】
典型的には、波形を付ける工程では、媒体に非弾性変形を生じさせる。これにより、媒体がその元の形状に戻ることを防止する。しかしながら、張力が解放されると、フルート又は波形構造は跳ね返る傾向があり、生じた伸張及び湾曲の一部のみが回復する。波形付きシートのこの跳ね返りを阻止するために、フルート付き媒体シートに外装媒体シートが取り付けられる場合がある。このような取り付けは参照符号２０で示される。
【００３４】
また、典型的には、媒体は樹脂を含む。波形を付ける工程時、媒体はこの樹脂のガラス転移点を超えるまで加熱することができる。その後、この樹脂を冷却すると、フルート付き形状を維持するのを補助する。
【００３５】
波形付き（フルート付き）シート３、外装シート４又はこの両方の媒体には、その片面又は両面に、例えば、参照により本明細書中に組み込まれる米国特許第６，６７３，１３６号明細書による微細繊維材料が付与され得る。いくつかの例では、このような微細繊維材料が使用される場合、材料の上流側及びフルートの内部に微細繊維を付与することが望ましい場合がある。これが行われた場合、濾過中の空気の流れは、典型的には、積み重ねビードを含む縁部へと向かう。
【００３６】
ｚフィルタ構造に関する課題は、個々のフルート端部の閉鎖に関係する。代替物は可能であるものの、典型的には、閉鎖の実施にはシーラント又は接着剤が提供される。上記説明から明らかなように、特に、テーパ状フルートとは対照的に直線フルート、及びフルートシールにシーラントを用いる典型的なｚフィルタ媒体においては、上流側端部と下流側端部との両方に広いシーラント表面積（及び体積）が必要である。結果的に得られる媒体構造の適切な動作にとって、これら位置における高品質のシールが重要である。このことに関して、高いシーラント体積及び面積は問題を生じさせる。
【００３７】
ここで、図２を参照されたい。図２は、ｚフィルタ媒体、すなわち、規則的な湾曲した波パターンの波形付きシート４３と、波形が付けられていない平らなシート４４、すなわち単一フェーサストリップと、を用いたｚフィルタ媒体構造４０を概略的に示す。点５０と点５１との間の距離Ｄ１は、所与の波形付きフルート５３の下方の領域５２における平らな媒体４４の伸張範囲を画定する。同じ距離Ｄ１における波形付きフルート５３の弧状媒体の長さＤ２は、波形付きフルート５３の形状のため、当然、Ｄ１よりも大きい。フルート付きフィルタ用途において用いられる典型的な規則的な形状の媒体においては、点５０と点５１との間の媒体５３の直線長さＤ２は、Ｄ１の少なくとも１．２倍であることが多い。典型的には、Ｄ２はＤ１の１．２〜２．０倍（境界値を含む）の範囲内である。エアフィルタの特に便利な構造の１つは、Ｄ２が約１．２５〜１．３５ｘＤ１である構成を有する。このような媒体は、例えば、Ｄｏｎａｌｄｓｏｎ  Ｐｏｗｅｒｃｏｒｅ（商標）ｚフィルタ構造において商業的に用いられてきた。別の便利な可能性のある大きさはＤ２がＤ１の約１．４〜１．６倍のものである。本明細書中では、比率Ｄ２／Ｄ１は、波形付き媒体のフルート／平坦部の比率又は媒体の延伸量（ｍｅｄｉａ  ｄｒａｗ）として特徴付けられる場合がある。
【００３８】
段ボール業界では、様々な規格のフルートが規定されてきた。例えば、規格Ｅフルート、規格Ｘフルート、規格Ｂフルート、規格Ｃフルート、及び規格Ａフルートなどである。添付の図３は、以下の表Ａと併せて、これらフルートの規定を記載する。
【００３９】
本開示の譲受人であるＤｏｎａｌｄｓｏｎ  Ｃｏｍｐａｎｙ，Ｉｎｃ．，（ＤＣＩ）は、種々のｚフィルタ構造において規格Ａフルート及び規格Ｂフルートの変形形態を使用してきた。これらフルートもまた、表Ａ及び図３で定義される。
【００４０】
【表１】
2020124707.tif 000003
【００４１】
当然、段ボール箱業界の他の規格、フルートの規定も知られている。
【００４２】
一般に、段ボール箱業界のフルート構成規格を使用して、波形付き媒体の波形形状又は略波形形状を規定することができる。ＤＣＩ  Ａフルート及びＤＣＩ  Ｂフルート、並びに段ボール業界の規格フルートＡ及び規格Ｂフルートの間の上記比較は、いくつかの便利な変形形態を示す。
【００４３】
２００８年６月２６日に出願され、米国特許出願公開第２００９／０１２７２１１号明細書として公開された米国特許出願第１２／２１５，７１８号明細書、２００８年２月４日に出願され、米国特許出願公開第２００８／０２８２８９０号明細書として公開された米国特許出願第１２／０１２，７８５号明細書、及び／又は米国特許出願公開第２０１０／００３２３６５号明細書として公開された米国特許出願第１２／５３７，０６９号明細書において特徴付けられているものなどの別のフルート規定を、本明細書の以下で特徴付けられるエアクリーナ特徴とともに使用することができることに留意されたい。米国特許出願公開第２００９／０１２７２１１号明細書、米国特許出願公開第２００８／０２８２８９０号明細書及び米国特許出願公開第２０１０／００３２３６５号明細書それぞれの開示全体は参照により本明細書中に組み込まれる。
【００４４】
スタック式又はコイル式形態のいずれかにおける、本開示による構造に使用さすることができる外装媒体が固定されたフルート付き媒体を含む別の媒体変形形態は、参照により本明細書中に組み込まれる、Ｂａｌｄｗｉｎ  Ｆｉｌｔｅｒｓ，Ｉｎｃ．によって所有されており、２０１４年７月３１日に公開された米国特許出願公開第２０１４／０２０８７０５Ａ１号明細書に記載されている。
【００４５】
Ｂ．図１〜図３の媒体を含む媒体パック構成の製造（図４〜図７を参照）
図４では、ストリップ１（図１）に相当する媒体ストリップ（単一フェーサ）を作製するための製造プロセスの一例を示す。概して、外装シート６４とフルート６８を有するフルート付き（波形付き）シート６６とが合わせられ、媒体ウェブ６９を形成する。外装シート６４とフルート６８を有するフルート付き（波形付き）シート６６との間の参照符号７０に接着剤ビードが配置される。接着剤ビード７０は単一フェーサビード１０（図１）を形成する。ウェブの中央に配置される中央ダーツ付きセクション７２を形成するために、ステーション７１において、任意のダーツ付与プロセスが行われる。参照符号７５において、ビード７０に沿ってｚフィルタ媒体又はＺ媒体ストリップ７４を切断するか細長く切り、ｚフィルタ媒体７４の２つの片又はストリップ７６、７７を作成することができる。このそれぞれは、波形の付いたシートと外装シートとの間にシーラント（単一フェーサビード）のストリップが延在する縁部を有する。当然、任意のダーツ付与プロセスが使用される場合、シーラント（単一フェーサビード）のストリップを有する縁部はまた、この位置においてダーツが付与されたフルート一式を有する。
【００４６】
図４に関し特徴付けられたプロセスを実施するための技術は、参照により本明細書中に組み込まれる、２００４年１月２２に公開されたＰＣＴ国際公開第０４／００７０５４号パンフレットに記載されている。
【００４７】
引き続き図４を参照すると、ｚフィルタ媒体７４がダーツ付与ステーション７１を通過し、最終的に参照符号７５において細長く切られる前に、ｚフィルタ媒体７４を形成しなければならない。図４に示す概略図では、これはフィルタ媒体９２のシートを一対の波形ローラ９４、９５内に通すことにより行われる。図４に示す概略図では、フィルタ媒体９２のシートはロール９６から巻き出され、テンションローラ９８に巻回され、その後、波形ローラ９４、９５間のニップ又はバイト１０２に通される。波形ローラ９４、９５は歯１０４を有し、歯１０４は、平らなシート９２がニップ１０２を通過した後、波形構造のほぼ所望の形状を付与する。ニップ１０２を通過した後、シート９２は機械の方向にわたって波形が付けられた状態になり、波形付きシートとして参照符号６６で参照される。波形付きシート６６は、その後、外装シート６４に固定される。（いくつかの例では、波形を付けるプロセスには媒体の加熱を伴ってもよい。）
【００４８】
更に図４を参照すると、プロセスは、また、ダーツ付与プロセスステーション７１へと送られる外装シート６４を示す。外装シート６４は、ロール１０６上で保管され、後に、波形付きシート６６へと案内され、Ｚ媒体７４を形成するものとして示されている。波形付きシート６６と外装シート６４とは、典型的には、接着剤によって又は他の手段によって（例えば、音波溶接によって）互いに固定される。
【００４９】
図４を参照すると、波形付きシート６６と外装シート６４とを互いに固定するために用いられる接着線７０がシーラントビードとして示される。あるいは、参照符号７０ａとして示されるように、外装ビードを形成するためのシーラントビードが塗布され得る。参照符号７０ａにおいてシーラントが塗布される場合、波形ローラ９５に、及び可能であれば、波形ローラ９４、９５の両方に、ビード７０ａを収容するための間隙を配することが望ましい場合がある。
【００５０】
当然、図４の設備は、所望であれば、タックビード２０（図１）を提供するように変更することができる。
【００５１】
波形付き媒体に付与される波形の種類は選択できるものであり、波形ローラ９４、９５の波形又は波形歯によって決定される。有用な波形パターンの１つは、本明細書中に上で定義した、直線フルート又はリッジの規則的な湾曲した波パターンの波形である。使用される典型的な規則的な湾曲した波パターンは、上で定義した波形パターンの距離Ｄ２が上で定義した距離Ｄ１の少なくとも１．２倍のものである。例示的な用途では、典型的には、Ｄ２＝１．２５〜１．３５ｘＤ１であるが、別のものも可能である。いくつかの例では、例えば、直線フルートを用いていない波パターンを含む「規則的」でない湾曲した波パターンを有する技術が適用されてもよい。また、図示されている湾曲した波パターンの変形形態が可能である。
【００５２】
記載されているように、図４に示すプロセスは、中央ダーツ付きセクション７２を作成するために使用することができる。図５は、ダーツを付与し、スリットを入れた後のフルート６８の１つを断面で示す。
【００５３】
４つのひだ１２１ａ、１２１ｂ、１２１ｃ、１２１ｄを有するダーツの付いたフルート１２０を形成するための折り目構成１１８が示され得る。折り目構成１１８は、外装シート６４に固定された平らな第１の層又は部分１２２を含む。第１の層又は部分１２２に押し付けられた第２の層又は部分１２４が示されている。第２の層又は部分１２４は、第１の層又は部分１２２の両外側端部１２６、１２７を折ることにより形成されることが好ましい。
【００５４】
更に図５を参照すると、折り目又はひだ１２１ａ、１２１ｂの２つは、本明細書中では一般に、「上部内側に向けられた」折り目又はひだと呼ばれる。この文脈における「上部」という用語は、折り目１２０を図５の向きで見た場合、ひだが折り目１２０全体の上部分に位置することを示すものである。「内側に向けられた」という用語は、各ひだ１２１ａ、１２１ｂの折線又はひだ線が他方に向けられていることを意味するものである。
【００５５】
図５では、ひだ１２１ｃ、１２１ｄは概して、本明細書では「下部外側に向けられた」ひだと呼ばれる。本文脈における「下部」という用語は、図５の向きにおいて、ひだ１２１ｃ、１２１ｄはひだ１２１ａ、１２１ｂのように頂部に位置しないことを意味する。「外側に向けられた」という用語は、ひだ１２１ｃ、１２１ｄの折線が互いから離れる方に向けられていることを示すものである。
【００５６】
本文脈において用いられる「上部」及び「下部」という用語は、特に、図５の向きから見た場合の折り目１２０を意味するものである。つまり、「上部」及び「下部」という用語は、折り目１２０が実際の製品において使用のために配向されているときの方向を示すものではない。
【００５７】
これら特性及び図５の考察に基づくと、本開示の図５による規則的な折り目構成１１８は、少なくとも２つの「上部内側に向けられたひだ」を含むものであるということが示され得る。これら内側に向けられたひだは特有のものであり、折り重ねが隣接するフルートに大きく入り込むこととならない全体的構成の提供を補助する。
【００５８】
第３の層又は部分１２８がまた、第２の層又は部分１２４に押し付けられて示され得る。第３の層又は部分１２８は、第３の層１２８の反対側の内側端部１３０、１３１から折ることによって形成されている。
【００５９】
折り目構成１１８を見る別の手法は、波形付きシート６６の交互するリッジとトラフの幾何学的配置を参照することである。第１の層又は部分１２２は反転したリッジから形成されている。第２の層又は部分１２４は、反転したリッジに向かって折り曲げられた、及び好適な構成では、反転したリッジとは逆に折り曲げられた二重ピーク（リッジの反転後）に相当する。
【００６０】
図５に関して好ましい手法で記載されている任意のダーツを設けるための技術は、参照により本明細書中に組み込まれるＰＣＴ国際公開第０４／００７０５４号パンフレットに記載されている。媒体を巻き取るための技術は、巻いたビードの適用とともに、２００４年３月１７日に出願され、国際公開第０４／０８２７９５号パンフレットとして公開されており、参照により本明細書中に組み込まれるＰＣＴ出願米国特許出願第０４／０７９２７号明細書に記載されている。
【００６１】
閉じたフルート付き端部にダーツを付与する別の手法も可能である。このような手法には、例えば、各フルートの中央に配置されないダーツを付与することと、種々のフルートにわたって圧延すること、プレスすること又は折ることと、を含み得る。概して、ダーツ付与には、圧縮され閉じた状態を実現するために、フルート付き端部に隣接する媒体を折ること又はそうでなければ操作することを含む。
【００６２】
本明細書中に記載される技術は、波形付きシート／外装シートの組み合わせ、すなわち、「単一フェーサ」ストリップを含む１つのシートを巻き取るステップから得られる媒体パックにおける使用に特に十分に適応させたものである。しかしながら、これらはまた、スタック構造へと作成することもできる。
【００６３】
コイル式媒体又は媒体パック構造には、種々の周辺周囲の定義が与えられ得る。本文脈においては、「周辺周囲の定義」という用語及びその変化形は、媒体又は媒体パックの入口側端部又は出口側端部のいずれかを見たときに画定される外側周囲形状を意味するものである。典型的な形状はＰＣＴ国際公開第０４／００７０５４号パンフレットに記載されているような円形である。他の使用可能な形状は長楕円であり、長楕円のいくつかの例は楕円形である。一般に、楕円形は、一対の対向する辺によって取り付けられた対向する湾曲端部を有する。いくつかの楕円形では、対向する辺もまた湾曲している。レーストラック形状と呼ばれることがある他の楕円形では、対向する辺は略直線である。レーストラック形状については、例えば、ＰＣＴ国際公開第０４／００７０５４号明細書及び国際公開第０４／０８２７９５号パンフレットとして公開されているＰＣＴ出願米国特許出願第０４／０７９２７号明細書（このそれぞれは参照により本明細書中に組み込まれる）に記載されている。
【００６４】
周辺又は周囲形状を記載する別の手法は、コイルの巻きアクセス（ｗｉｎｄｉｎｇ  ａｃｃｅｓｓ）に直交する方向に媒体パックの断面をとることにより得られる周囲を画定することによるものである。
【００６５】
媒体又は媒体パックの対向する流れ端部又は流れ面には、種々の異なる定義が与えられ得る。多くの構造では、端部又は端面は略平ら（平坦）であり、互いに垂直である。他の構造では、端面の１つ又は両方は、テーパ状の、例えば、段付き部分を含み、この部分は、媒体パックの側壁の軸方向端部から軸方向に外側に突出するように画定されるか、媒体パックの側壁の端部から軸方向内側に突出するように画定されるか、のいずれかであり得る。
【００６６】
フルートシール（例えば、単一フェーサビード、巻いたビード又は積み重ねビードによる）は、種々の材料から形成され得る。引用され且つ組み込まれる様々な参照文献では、種々の用途において可能なものとしてホットメルト又はポリウレタンシールが記載されている。
【００６７】
図６では、単一フェース式媒体の単一ストリップを巻き取ることによって構成されたコイル式媒体パック（又はコイル式媒体）１３０が全体として示されている。図示されている特定のコイル式媒体パックは楕円形媒体パック１３０ａであり、具体的には、レーストラック形状の媒体パック１３１である。媒体パック１３０の外側にある媒体の末端部は参照符号１３１ｘで示されている。利便性及び密閉のためにその末端部を媒体パック１３０の直線セクションに沿って終端することが一般的である。典型的には、ホットメルトシールビード又はシールビードは、密閉を確実とするためにその末端部に沿って配置されている。媒体パック１３０において、対向する流れ（端部）面は参照符号１３２、１３３で示される。１つは入口側流れ面、他方は出口側流れ面である。
【００６８】
図７では、積み重ね式ｚフィルタ媒体（又は媒体パック）を、ｚフィルタ媒体のストリップ（各ストリップは、外装シートに固定されたフルート付きシートである）から形成するステップを（概略的に）示している。図６を参照すると、ストリップ２００に類似しているストリップ２０２のスタック２０１に付加されている単一フェーサストリップ２００が示されている。ストリップ２００はストリップ７６、７７（図４）のいずれかから切り出すことができる。参照符号２０５（図６）には、ストリップ２００、２０２に相当する各層の間の、単一フェーサビード又はシールとは反対側の縁部における積み重ねビード２０６の適用が示されている。（積み重ねはまた、頂部とは逆に、スタックの底部に各層を付加することによって行うこともできる。）
【００６９】
図７を参照すると、各ストリップ２００、２０２は、前及び後縁部２０７、２０８と、対向する側縁部２０９ａ、２０９ｂと、を有する。各ストリップ２００、２０２を含む波形付きシート／外装シートの組み合わせの入口フルート及び出口フルートは全体として前縁部２０７と後縁部２０８との間に、且つ側縁部２０９ａ、２０９ｂに平行に延びる。
【００７０】
更に図７を参照すると、形成されている媒体又は媒体パック２０１において、対向する流れ面が参照符号２１０、２１１で示されている。濾過時、どちらの面２１０、２１１が入口側端面であるか、及びどちらが出口側端面であるかについての選択は、選択の問題である。いくつかの例では、積み重ねビード２０６は上流側又は入口面２１１に隣接して配置されており、他の例では、この逆も成り立つ。流れ面２１０、２１１は対向する側面２２０、２２１の間に延びる。
【００７１】
図７に形成中の状態で示される積み重ね媒体構成又はパック２０１は、本明細書中では、「ブロック式」積み重ね媒体パックと呼ばれることがある。本文脈における「ブロック式」という用語は、この構造が、すべての面が隣接する全壁面に対し９０°である矩形ブロックへと形成されることを示すものである。例えば、いくつかの例では、スタックを各ストリップ２００が隣接するストリップと位置合わせされた状態からわずかにずれた状態で作成し、平行四辺形又は傾斜ブロック形状を作成することができる。この形状では、入口面と出口面とが互いに平行であるものの、上面と底面に垂直ではない。
【００７２】
いくつかの例では、媒体又は媒体パックは任意の断面が、任意の２つの対向する側面が互いに対して略平行に延びることを意味する、平行四辺形を有するものとして参照される。
【００７３】
図７に相当するブロック式スタック構成は、参照により本明細書中に組み込まれる先行技術である米国特許第５，８２０，６４６号明細書に記載されていることに留意されたい。スタック構成は、米国特許第５，７７２，８８３号明細書；米国特許第５，７９２，２４７号明細書；２００３年３月２５日に出願された米国仮特許出願第６０／４５７，２５５号明細書；及び２００３年１２月８日に出願され、米国特許出願公開第２００４／０１８７６８９号明細書として公開された米国特許出願第１０／７３１，５６４号明細書に記載されていることにも留意されたい。これら後者の参考文献のそれぞれは参照により本明細書中に組み込まれる。米国特許出願公開第２００５／０１３０５０８号明細書として公開された米国特許出願第１０／７３１，５０４号明細書に示されているスタック構成は傾斜スタック構成であることに留意されたい。
【００７４】
いくつかの例では、１つより多いスタックを単一媒体パックに組み込むことができることにも留意されたい。また、いくつかの例では、例えば、参照により本明細書中に組み込まれる米国特許第７，６２５，４１９号明細書に示されているように、スタックは凹部を中に有する１つ以上の流れ面を備えて作成することができる。
【００７５】
Ｃ．フルート付き媒体の複数の離間したコイルを含む選択した媒体又は媒体パック構造、図８〜図８Ｂ
間に延びる対向する端部間のフローン（ｆｌｏｗｎ）を伴う別の種類の媒体構造又はパックを、本開示に従い選択した原理とともに使用することができる。このような別の媒体構造又はパックの一例が図８〜図８Ｂに示されている。図８〜図８Ｂの媒体は独国実用新案第２０  ２００８  ０１７  ０５９  Ｕ１号明細書に示され、記載されているもの、及びＭａｎｎ＆Ｈｕｍｍｅｌから「ＩＱＯＲＯＮ」の商品名で入手可能な構造に見られ得るものに類似している。
【００７６】
図８を参照すると、媒体又は媒体パックは全体として参照符号２５０で示されている。媒体又は媒体パック２５０は、第１の外部プリーツ付き（リッジ付き）媒体ループ２５１と、第２の内部プリーツ付き（リッジ付き）媒体ループ２５２と、を含み、このそれぞれは、対向する流れ端部の間に延びるプリーツ先端部（又はリッジ）を有する。図８の図は、媒体パック（流れ）端部２５５の方に向かうものである。示される端部２５５は、選択した流れの向きに応じて、入口（流れ）端部とすることも、出口（流れ）端部とすることもできる。フィルタカートリッジにおいて、媒体パック２５０を有することを特徴とする原理を用いた多くの構造は、端部２５５が入口側流れ端部であるように構成されている。
【００７７】
更に図８を参照すると、外部プリーツ付き（リッジ付き）媒体ループ２５１は楕円形で構成されているが、別のものも可能である。参照符号２６０には、プリーツ又はリッジ２５１の端部を媒体パック端部２５５において閉じる、例えば、現場成形される（ｍｏｌｄｅｄ  ｉｎ  ｐｌａｃｅ）プリーツ端部クロージャが示されている。
【００７８】
プリーツ又はリッジ２５２（及び関連するプリーツ先端部）は、ループ２５１によって囲まれ、且つループ２５１から離間した状態で配置されており、したがって、プリーツ付き媒体ループ２５２もまた、幾分楕円構成で示されている。この例では、ループ２５２内の個々のプリーツ又はリッジ２５２ｐの端部２５２ｅは閉じられて密封されている。また、ループ２５２は中心部２５２ｃを取り囲んでいる。中心部２５２ｃは、典型的には現場成形される材料の中心ストリップ２５３によって閉じられる。
【００７９】
濾過中、端部２５５が入口側流れ端部である場合、媒体２５１、２５２の２つのループ間の間隙２６５に空気が入る。空気は、その後、濾過によって媒体パック２５０を移動する際にループ２５１又はループ２５２のいずれかを流れる。
【００８０】
示される例では、ループ２５１は、端部２５５から離れる方に延びて、ループ２５２に向かって内側に傾斜して構成されている。また、センタリングリング２６７を支持しているスペーサ２６６が示されている。センタリングリング２６７は構造的完全性のためにループ２５２の端部を取り囲んでいる。
【００８１】
図８Ａでは、端部２５５の反対側のカートリッジ２５０の端部２５６を見ることができる。ここでは、開放ガス流領域２７０を取り囲むループ２５２の内部を見ることができる。カートリッジ２５０内を、ほぼ、端部２５６に向かい且つ端部２５５から離れる方向に空気が誘導されると、ループ２５２を通過する空気の一部は中心領域２７０に入り、中心領域２７０から端部２５６において出る。当然、濾過中、媒体ループ２５１（図８）に入った空気は、全般的に、端部２５６の外部周囲２５６ｐの周りに（上に）送られる。
【００８２】
図８Ｂでは、カートリッジ２５０の概略断面図を提供する。選択された、特定及び記載される特徴は、同様の参照番号によって示される。
【００８３】
図８〜図８Ｂ、上記記載の考察から、記載したカートリッジ２５０は、概して、対向する流れ端部２５５、２５６の間に長手方向に延びる媒体先端部を有するカートリッジであることは理解されよう。
【００８４】
図８〜図８Ｂの配置では、媒体パック２５０は楕円形、特に、レーストラック形状の周囲を有して示されている。以下の多くの例のエアフィルタカートリッジもまた楕円形又はレーストラック形状の構成を有することから、媒体パック２５０をこのように示している。しかしながら、この原理は種々の別の周辺形状において具現化され得る。
【００８５】
Ｄ．他の媒体変形形態、図９〜図１１
本明細書中の図９〜図１１に、本明細書で特徴付けられる原理の選択した用途において使用され得る媒体種類の更に別の変形形態のいくつかの概略部分断面図が提供されている。これら例は、２０１４年１１月１０日に出願され、本開示の譲受人であるＤｏｎａｌｄｓｏｎ  Ｃｏｍｐａｎｙ，Ｉｎｃ．によって所有されている米国特許出願第６２／０７７，７４９号明細書に記載されている。概して、図９〜図１１の構造のそれぞれは、直流フローの、対向する入口流端部と出口流端部（又は面）を有する構造へと積み重ねられ得る又は巻かれ得る媒体種類を示す。
【００８６】
図９には、米国特許出願第６２／０７７，７４９号明細書による例示的媒体構造３０１が示されている。媒体構造３０１では、エンボスシート３０２が非エンボスシート３０３に固定され、その後、媒体パックへと積み重ねられ且つ巻かれ、対向する縁部に沿って、本明細書中の図１において上述した種類のシールを有する。
【００８７】
図１０には、米国特許出願第６２／０７７，７４９号明細書による別の例示的な媒体パック３１０が示されている。媒体パック３１０では、第１のエンボスシート３１１が第２のエンボスシート３１２に固定され、その後、本明細書の図１にほぼ従う縁部シールを有するスタック式又はコイル式媒体パック構造へと形成される。
【００８８】
図１１には、米国特許出願第６２／０７７，７４９号明細書による第３の例示的媒体構造３２０が示されている。媒体構造３２０では、両側にエンボス加工されたシート３２１が類似する媒体の別の層３２２に固定されるが反転され、図１に幾分類似する縁部シールを有する媒体パック３２０へと積み重ねられる又は巻かれる。
【００８９】
図９〜図１１の例は、概して、本明細書の原理による別の媒体パックを用いることができることを示すものである。これら媒体種類の構造及び適用の一般原理に関しては、参照により本明細書中に組み込まれる米国特許出願第６２／０７７，７４９号明細書に注目されたい。
【００９０】
Ｅ．更に別の媒体種類
本明細書で特徴付けられる技術の多くは、濾過のために、カートリッジの対向する流れ端部の間に配向される媒体が、これら反対端の間の方向に延びるフルート又はプリーツ先端部を有する媒体である場合に適用されることが好ましい。しかしながら、別のものも可能である。シール構造の定義に関して本明細書で特徴付けられる技術は、対向する流れ端部を有し、これら端部の間の流体の流れを濾過するための媒体が配置されるフィルタカートリッジに、この媒体がこれら端部間の方向に延びるフルート又はプリーツ先端部を含まない場合であっても適用され得る。媒体は、例えば、デプス媒体とすることもでき、別の方向にプリーツを付けることもでき、又はプリーツ付きでない材料とすることもできる。
【００９１】
実際、しかしながら、本明細書で特徴付けられる技術は、流れ端部間の伸張範囲が比較的深く、通常、少なくとも１００ｍｍ、典型的には、少なくとも１５０ｍｍ、多くの場合、少なくとも２００ｍｍ、時として、少なくとも２５０ｍｍ、及び場合によっては、３００ｍｍ以上であり、且つ使用時の大きな負荷量用に構成されているカートリッジにおいて使用すると特に有利な場合がある。これらの種類のシステムは、典型的には、媒体が対向する流れ端部の間の方向に延びるプリーツ先端部又はフルートを有して構成されるものである。
【００９２】
ＩＩ．種々のエアクリーナに関して選択され特定された課題
Ａ．全般
例えば、概して、図６〜図１１の１つ以上による媒体を用いた比較的深いフィルタ媒体パックを使用するエアクリーナアセンブリが急増してきた。市場にある例示的な実際の製品に関しては、本開示の譲受人であるＤｏｎａｌｄｓｏｎ  Ｃｏｍｐａｎｙ，Ｉｎｃ．の「Ｐｏｗｅｒｃｏｒｅ」の商品名で販売されているエアクリーナと、「ＩＱＯＲＯＮ」の商品名で提供されているＭａｎｎ＆Ｈｕｍｍｅｌの製品にも注目されたい。
【００９３】
加えて、このような媒体パックを使用したエアクリーナアセンブリは世界的規模で多様なオリジナルの機器（ロードトラック、バス、オフロード建設機器、農業及び鉱業機器等）に組み込むことができる。保守用部品及び保守は広範な供給元及び保守会社によって提供されている。
【００９４】
Ｂ．適切なフィルタカートリッジの特定
保守のために選択するフィルタカートリッジは当該エアクリーナに適したものであることが非常に重要である。エアクリーナは機器全体における重要な構成要素である。予定よりも頻繁に保守を行うことが必要な場合、結果として、費用が増加し、機器の停止時間を伴い、生産性が損なわれる可能性がある。適切な部品に保守が行われない場合、機器の故障又は他の問題のリスクがあり得る。
【００９５】
当該エアクリーナ及び当該機器のための適切なカートリッジは、一般に、エアクリーナ製造者による製品工学／試験と、機器製造者及び／又はエンジン製造者による規格／指導／試験及び品質の成果である。この分野における保守には、元々設置されていたものに類似しているように見えるものの適切でない、厳しい要件を満たした、システムの構成要素を伴う部品を選択する人員を伴う場合がある。
【００９６】
媒体の特定の種類に関係なく、保守提供者にとって、適切な（又は不適切な）フィルタカートリッジに関し、アセンブリの保守を行うために施される労力を容易に特定することを補助する特徴を備えるエアクリーナアセンブリを提供することが望ましい。この利点を得るために、以下に記載されるように、本明細書中に記載される任意の特徴及び技術が提供され得る。
【００９７】
加えて、製造及び／又はフィルタ構成要素の完全性に関して有利なアセンブリの特徴及び技術が記載される。これらは、適切なカートリッジがアセンブリ又は別の用途において確実に取り付けられるのを補助することに関係する種類の特徴及び技術によって実施され得る。
【００９８】
Ｃ．マスエアフローセンサの課題
多くのシステムでは、フィルタカートリッジの下流側且つエンジンの上流側に、空気の流れ特性及び汚染物質特性を監視するためのマスエアフローセンサが提供される。いくつかの例では、媒体パック構成及び配向のわずかな変更はマスエアフローセンサの動作の変動につながる可能性がある。したがって、フィルタカートリッジ及びエアクリーナに、フィルタカートリッジからの空気流れの変動を相対的に最小に管理するような特徴を備えるエアクリーナアセンブリを提供することが望ましい場合がある。このことにより、マスエアフローセンサの使用及び動作を容易にすることができる。本明細書中に記載される特徴及び技術は、この利点を有利に達成するように提供され得る。
【００９９】
Ｄ．安定的なフィルタカートリッジの取り付け
多くの例では、エアクリーナが配置される機器は、動作中、かなりの振動及び衝撃にさらされる。図６〜図１１に関連して上述した種類の媒体パックは、比較的深く、すなわち、少なくとも５０ｍｍ、及び多くの場合、少なくとも８０ｍｍより多く、多くの場合、１００ｍｍを超える、空気の流れる方向における伸張の深さを有して構成されていることが多い。このように深いフィルタカートリッジは、使用時、かなりの量の汚染物質を負荷することができ、重量が大幅に増加する。したがって、これらのフィルタカートリッジは、動作中、大きな振動運動量（ｖｉｂｒａｔｉｏｎ  ｍｏｍｅｎｔａ）にさらされる場合がある。フィルタカートリッジに、カートリッジの安定的な位置決め、運動の際の媒体（又は媒体パック）の破損の回避、及びこうした振動及び衝撃時におけるシールの破損の回避を確実にするのを補助する特徴を付与することが望ましい。
【０１００】
同様に、機器は、保管及び使用時に広範な温度範囲にさらされる可能性がある。これらのことにより、材料が互いに膨張／収縮する可能性がある。これら状況下においてシールの完全性が損なわれないような手法でフィルタカートリッジ及びエアクリーナが構成されることを確実とすることが望ましい。以下に記載されるように、本明細書中に記載される特徴及び技術は、これら懸念に対処するために適用され得る。
【０１０１】
Ｅ．好適なプレクリーナ変形形態
多くの例では、エアクリーナアセンブリに任意のプレクリーナを有することが望ましい。プレクリーナは、一般に、空気流入口を通過してエアクリーナに入る粉じん又は他の微粒子物質（時として、液体微粒子物質）の一部を、その物質が内部に配置されたフィルタカートリッジに到達する前に除去する。このことは、保守なしでのアセンブリの動作寿命の延長を補助することができるとともに、フィルタカートリッジを破損から保護することができる。本明細書では、任意のプレクリーナ構造とともに使用するように特に構成されたアセンブリについて記載する。同じく記載するのは、このようなプレクリーナのいくつかの好ましい特徴である。更に別の構造では、プレクリーナはエアクリーナとは別個のアセンブリであっても、プレクリーナがまったく使用されなくてもよい。これら後者の状態において動作を容易にする、本開示の選択した原理を提供する。
【０１０２】
Ｆ．概要
本明細書で特徴付けられる特徴は、上述の懸念の１つ以上に対処するために効果的に使用され得る。これら特徴が、すべての懸念に最大限に対処するように実施される特定の要件はない。しかしながら、上で示した懸念のすべてにかなりの及び望ましい程度まで対処する選択した実施形態を記載する。
【０１０３】
ＩＩＩ．例示的なエアクリーナアセンブリ及び特徴、図１２〜図２３
図１２〜図２３には、本明細書で以下特徴付けられるように、本明細書において上で特徴付けたような媒体を有するフィルタカートリッジとともに使用可能な特徴を含む例示的なエアクリーナアセンブリが示される。上述の媒体変形形態を使用することができ、これらの変形形態は可能である。媒体の特定の選択は、コスト、組み立ての好み及び／又はフィルタ性能、効率又は寿命の好みの問題である。典型的には、媒体の選択は図１の種類のものであり、２つの流れ面間における伸張範囲の長さは、少なくとも１００ｍｍ、通常、少なくとも１５０ｍｍ、典型的には、２００ｍｍ以上、時として、２５０ｍｍ以上、及び実際、場合によっては、３００ｍｍ以上である。
【０１０４】
Ａ．全般的なエアクリーナ特徴、図１２〜図１３
参照符号４００（図１２）は、本開示による例示的なエアクリーナアセンブリを全体として示す。エアクリーナアセンブリ４００は、概して、ハウジング４０１を含む。ハウジング４０１は本体４０２を含む。本体４０２はその上に、取り外し可能な保守又はアクセスカバー４０３を備える。保守又はアクセスカバー４０３によって、フィルタカートリッジなどの内部に受け入れられたコンポーネントコンポーネントへのアクセスを得ることができる。
【０１０５】
図１２を参照すると、エアクリーナ４００は、（この例では本体４０２上に配置されている）出口構造４０５を含む。出口構造４０５は、概して、濾過された空気をエアクリーナアセンブリ４００から出口４０５ｘを通じて出すために配置されている。出口構造又はアセンブリ４０５は、本体４０２の残りの部分とは別に作製し、本体４０２に取り付けることができる、又は出口構造又はアセンブリ４０５は、本体４０２の残りの部分と一体化させることができる。出口構造４０５が別個に作製される構造では、モジュラー組立方式を用いて、使用する異なるシステムのための別の出口構造４０５を提供することができる。これは、以下、更に詳細に特徴付けられる。
【０１０６】
本開示による種々の原理が提供される場合、ハウジング４０１は種々の材料を用いて構成することができる。特徴付けられる特徴は、主として成形プラスチック構成要素であるハウジングとの使用に特に十分に適応させたものである。図１２のハウジング４０１は、概して、このような構成要素であり、本体４０２などの選択したハウジング特徴はその上に、強度及び完全性ための種々の構造的リブ状部材（リブ４０１ｒを参照）を含む。
【０１０７】
概して、ハウジング４０１は、空気流入口４０１ａを含むものとして特徴付けることができ、空気流入口４０１ａを通じて、フィルタになる空気（ａｉｒ  ｔｏ  ｂｅ  ｆｉｌｔｅｒｓ）がアセンブリ４００に入る。示されている特定のアセンブリ４００は、また、以下に記載する汚染物質排出ポート又はポート構造を含む。
【０１０８】
示されている特定のエアクリーナアセンブリ４００は２段式エアクリーナアセンブリ（ｔｗｏ−ｓｔａｇｅ  ａｉｒ  ｃｌｅａｎｅｒ  ａｓｓｅｍｂｌｙ）であり、その上にプレクリーナ４１０を含む。示される例では、プレクリーナ４１０は、以下に特徴付けられるような複数のセパレータチューブ４１１を含む。プレクリーナ４１０は、空気流によってエアクリーナアセンブリ４００へと運ばれる選択された物質（汚染物質）を、この空気がエアクリーナアセンブリ４００内に配置されたフィルタカートリッジに到達する前に事前除去するために使用可能である。このような事前除去は、概して、雨水若しくは水はね等のような液体粒子及び／又は種々の（特に大きな）粉じん若しくは他の粒子のかなりの排除につながる。プレクリーナ４１０の動作及びその好適な構成は、以下、本明細書中で記載する。示される特定の例のプレクリーナ４１０は、アクセスカバー４０３の一部分を含むことに留意されたい。
【０１０９】
本明細書で特徴付けられる原理の多くは、エアクリーナアセンブリ上にその構成要素として配置されるプレクリーナを有しない、すなわち、プレクリーナが別個の構成要素であるか、全く使用されないエアクリーナアセンブリに適用することができる。これに関する構造及びオプションについては、以下、本明細書中に記載する。
【０１１０】
更に図１２を参照すると、参照符号４１４に、取付パッド構造が提供される。取付パッド構造によって、使用のためにエアクリーナアセンブリ４００を機器に固定することができる。例示的な取付パッド構造４１４は、概して、複数の足又はパッド４１４ｘを含む。複数の足又はパッド４１４ｘは、この例では、ハウジング本体４０２と一体成形されているとともに、この例では、後方に引っ込んだ金属コネクタ又は他の種類のコネクタ構造に適切に取り付けられている。
【０１１１】
更に図１２を参照すると、示される特定のアクセスカバー４０３は、コネクタ構造４１７によって適所に固定されており、示される例では、オーバセンタラッチ構造４１８を含む。図１２では、この機能を提供する複数（６つ）のこのようなワイヤラッチ４１９を見ることができる。当然、別の数若しくは位置を使用することもできる、及び／又は例えば、ボルト若しくは他の締結具を含む別のコネクタ構造を使用することもできる。
【０１１２】
更に図１２を参照すると、示される特定のエアクリーナハウジング４０１は、概して、長軸（軸又はほぼ空気が流れる方向に垂直な平面内におけるいつ（ｗｈｅｎ））と、長軸に垂直な短軸と、を有する断面形状を有し、エアクリーナアセンブリ４００は、使用時、典型的には、断面長軸が略垂直の状態で取り付けられるように、すなわち、パッド構造４１４が略垂直に延びる辺に沿って取り付けられた状態で構成され示されている。以下の記載から明らかなように、本明細書中に記載される原理は別の構造に適用することができる。
【０１１３】
図１２Ａに、エアクリーナアセンブリ４００の別の斜視図を示す。ここでは、図はほぼ出口４０５に向かって記載されている。参照符号４２３に、出口構造４０５内のユーティリティポートを示す。ポート４２３は絞りインジケータ又は他の機器のために使用することができる。加えて、所望であれば、マスエアフローセンサ（ＭＡＦＳ：ｍａｓｓ  ａｉｒ  ｆｌｏｗ  ｓｅｎｓｏｒ）構造を、出口構造４０５に、又は出口構造４０５から更に下流側のダクト構造内に取り付けることができる。
【０１１４】
図１２Ｂに、アセンブリ４００の第２の入口側端部斜視図を示す。ここでは、下端部又は下端側（底部）４２５（使用時）の特徴を見ることができる。汚染物質排出ポート構造４２６に注目されたい。（出口）ポート４２６構造は、プレクリーナによってハウジング４０１から集められた微粒子及び／又は水（汚染）を除去するために配置されている。汚染物質排出ポート構造４２６は、概して、この機能のため汚染物質「排出」ポート又はポート構造として特徴付けることができる。汚染物質排出ポート構造４２６は、典型的には、ハウジング４０１の一部分に、使用時に下方向に向けられる状態で配向される。したがって、エアクリーナアセンブリ４００を取付パッド構造４１４に異なる状態で、例えば、対向する側に沿って取り付けることを望む場合、その側に更なる取付用構造を設けることが必要である、又は、ポート構造４２６を異なる位置に、若しくはハウジング本体内に、例えば、反対方向に配置することが必要である。
【０１１５】
一般的に、典型的な用途では、出口ポート構造４２６は、プレクリーナアセンブリ４１０からの材料の排出の重力補助のために下方向に向けられている。ポート構造４１０にはその中に排出部バルブアセンブリが提供され得る、又はポート構造４１０はプレクリーナ４１０からの物質の除去を容易にするために除去ダクトに取り付けてもよい。
【０１１６】
更に図１２Ｂを参照すると、示されている特定の汚染物質排出部ポート構造４２６はハウジング本体４０２へと向けられていることに留意されたい。例えば、アクセスカバーの一部分の別の位置も可能である。
【０１１７】
ここで、エアクリーナアセンブリ４００の分解斜視図である図１３に注目されたい。参照符号４０２に、ハウジング本体を示す。出口構造４０５はハウジング本体４０２から分離された状態で示されていないことに留意されたい。示されている例では、出口構造４０５は、例えば、ハウジング本体４０２と一体成形されることによって、又は別個に成形し、その後、熱溶接、接着剤若しくは他の手法によって永久的に固定されることによってハウジング本体４０２に永久的に固定されている。同じく、別のものも可能である。
【０１１８】
参照符号４０３に、アクセスカバーを示す。アクセスカバーは、この例ではプレクリーナ４１０を含む。示されているプレクリーナ４１０は、互いに固定された２つのシェル又はカバー構成要素、すなわち、外部（入口）カバー部４１０ａと、内部（出口チューブ）カバー部４１０ｂと、を含む。本明細書で特徴付けられるいくつかの用途においては、構成要素４１０ａ、４１０ｂはスナップフィットされる又は他の手法で互いに固定されるが、清掃を容易にするために分離可能であるように構成されている。しかしながら、本明細書で特徴付けられる技術のいくつかの用途においては、２つのカバー又はシェル構成要素４１０ａ、４１０ｂは組み立て時に再度分離できないように互いに固定することができる。
【０１１９】
プレクリーナ４１０の一般的な動作は、同じく、物質（汚染物質）がエアクリーナに入る際にこれを分離し、ハウジング本体４０２の出口ポート４２６を通じて排出することを可能にすることである。これにより、内部に受け入れられたフィルタカートリッジコンポーネントに特定の物質が到達することを阻止する。
【０１２０】
図１３では、参照符号４３０にフィルタカートリッジを示す。フィルタカートリッジ４３０は、概して、メイン又は一次フィルタカートリッジであり、使用時、プレクリーナ４１０によって分離されなかった微粒子又は封じ込め物質（ｃｏｎｔａｉｎｍｅｎｔ  ｍａｔｅｒｉａｌ）を選択的に分離する。カートリッジ４３０は、概して、保守部品（又は取り外し可能な構成要素）であり、すなわち、エアクリーナ４００の寿命の間、フィルタカートリッジ４３０は定期的に、取り外され、修理又は交換される。フィルタカートリッジ４３０はフィルタ又は濾過媒体４３１を含み、フィルタ又は濾過媒体４３１は、種々の種類のいずれか、例えば、本明細書の上記で特徴付けた種々のものであってもよい。本開示による原理とともに使用される典型的なカートリッジ４３０は「直流フロー」構造であり、この構造は、第１の（入口）流れ面又は端部４３２と、対向する出口（流れ）面又は端部４３３と、を有し、フィルタカートリッジ４３０を通過する濾過する空気の流れは、概して、入口側端部４３２から外側端部４３３へと向かう。
【０１２１】
更に図１３を参照すると、示されている特定のエアクリーナアセンブリ４００は、任意の二次又は安全フィルタ４３５を含む。（任意の）安全又は二次フィルタ４３５は、概して、メインフィルタカートリッジ４３０と出口４０５ｘとの間に配置されている。典型的な配置においては、（任意の）二次フィルタカートリッジ４３５はエアクリーナアセンブリ４００内に着脱可能に配置されており、保守用構成要素であり得る。しかしながら、二次フィルタカートリッジ４３５は、典型的には、使用時、非常に著しい粉じん負荷にはさらされず、もし交換するとしてもまれにしか交換しなくてもよい。メインフィルタカートリッジ４３０が取り外された場合でも二次フィルタカートリッジ４３５が適所にとどまり、内部構成要素を粉じんから保護することができるため、二次フィルタカートリッジ４３５がメインカートリッジ４３０から構造的に分離することは有利な特徴である。
【０１２２】
Ｂ．いくつかの例示的なアセンブリの変形形態（簡潔に）、図１４
図１４に、本開示によるアセンブリを有する可能ないくつかの変形形態を示す概略図を記載する。例えば、及び図１４を参照すると、エアクリーナアセンブリ４３９が、参照符号４４０で示されるハウジング本体の変形形態とともに示されている。この本体の変形形態４４０は、例えば、汚染物質排出ポートを必要とするプレクリーナを含まない構造において使用可能であり、したがって、汚染物質排出ポートは全く示されない。更に、エアクリーナ本体４４０は、端部入口よりもむしろ側部空気流入口４４１を含む。典型的には、入口シールはアクセスカバー端部４４２に隣接して方向付けられている。アクセスカバー端部４４２の反対側の、ハウジング本体４４３に、図１２に示したものと別の構成を有する出口構造４４３が設けられている。出口構造４４３は、代替として、本体４４０の残りの部分とは別個の構成要素として作製し、本体４４０の残りの部分に固定することができる、又は出口構造４４３は本体４４０の残りの部分と一体成形することができる。
【０１２３】
図１４に示されている変形形態は、本開示によるエアクリーナアセンブリにおいて集合的に又は選択的に用いることができる。プレクリーナを含まない典型的な構造では、フィルタカートリッジ４４５などのカートリッジは、カートリッジ４４５が取り付けられたとき、出口４４１がカートリッジ入口側端部又は４４６の上流側の空間と直に連通するほど入口側端部又は面４４６がハウジング本体４４０内に十分に深く配置されるように配置されている。したがって、入口空気は面４４６の上流側に運ばれる。カートリッジ４３０と同様に、カートリッジ４４５は、面入口側流れ端部又は面４４６の反対側に面４４７の出口流端部を含む。
【０１２４】
図１４に、アセンブリ４３９のアクセスカバー４４８を示す。アクセスカバー４４８はハウジング本体４４０に、例えば、ラッチ構造によって着脱可能に取り付け可能である。アクセスカバー４４８はプレクリーナアセンブリを含まないものの、カートリッジ４４５とハウジング本体４４０内に配向されたシールとを固定するように、及び入口流が入口４４１からカートリッジ４４５の方に効率的な状態で向きを変えるのを補助するように構成されている。これに関しては、参照により本明細書中に組み込まれる、２０１３年６月２８日に出願された米国特許出願第６１／８４１，００５号明細書、及び２０１４年６月２７日に出願された国際出願ＰＣＴ／ＵＳ２０１４／０４４７１２号明細書において特徴付けられた原理を使用することができる。
【０１２５】
Ｃ．メインフィルタカートリッジ特徴及びハウジング特徴との全般的な相互作用、図１５〜図１６Ａ
図１３を再度参照すると、示されているように、示されるアセンブリ４００は、特徴付けられているように、メインフィルタカートリッジ４３０を含む。メインフィルタカートリッジ４３０は、同じく、保守部品であり、使用時、エアクリーナ４００が使用されると、通常、粉じん及び他の汚染物質を負荷する。やがて、メインフィルタカートリッジが十分に閉塞すると、アクセスカバー４０３を開き、フィルタカートリッジ４３０を取り外し、その後、それを修理するかそれを交換するかのいずれかによるエアクリーナ４００の保守が許可される。いくつかの例では、この作業にはまた、任意の安全フィルタ４３５がある場合には任意の安全フィルタ４３５の交換又は修理の取り外しを伴うことがあるが、多くの場合、安全フィルタ４３５はない。
【０１２６】
一般的に、メインフィルタカートリッジ４３０は透過性フィルタ媒体を含み、このフィルタ媒体内を濾過により空気が通過しなければならない。フィルタ媒体は種々の種類のうちどれであってもよい。本開示による典型的な用途においては、フィルタ媒体は、フィルタ媒体パックの入口側端部からフィルタ媒体パックの反対側の出口側端部に向かう流れの向きにおいて空気が通る際に空気の濾過を行う媒体パック内に構成されている。この状況で使用され得る例示的なフィルタ媒体種類については本明細書で上に記載しており、これらの多くは本開示によるいくつかの利点及び用途に対し使用してもよい。
【０１２７】
図１５に、例示的なフィルタカートリッジ４３０を示す。一般的に、フィルタカートリッジ４３０は、入口側流れ端部（又は面）４６１と対向する出口流端部（又は面）４６２との間に延びて配置されている媒体パック４６０を含む。一般的に、フィルタカートリッジ４３０は、対向する入口及び出口流端部（面）４３２、４３３それぞれを有し、カートリッジ４３０の入口側流れ端部４３２は媒体パック４６０の入口側流れ端部４６１に対応し、フィルタカートリッジ４３０の出口流端部４３３は媒体パック４６０の出口流端部４６２に対応する。したがって、概して、フィルタカートリッジ４３０は直流フロー構造である。すなわち、概して、空気は一端に入り、媒体パック内で大きく方向を変えることなく他端を出る。このように、こうしたフィルタカートリッジは、媒体が開放内部の周りに巻かれる良く知られた円筒状プリーツ付き媒体フィルタカートリッジと容易に区別可能である。
【０１２８】
一般的に、媒体パック４６０に加えて、フィルタカートリッジ４３０は、概して、その上にハウジングシール構造４６５を含む。ハウジングシール構造４６５は、概して、シール部材４６６を含む。シール部材４６６は、使用時、シール部材４６６がエアクリーナハウジングと解放可能なシールを形成し、使用中、空気が媒体パック４６０を越えるのを阻止することができるような状態及び位置においてフィルタカートリッジ４３０の残りの部分に固定されている。これを容易にするために、シール部材４６６は、典型的には、このような密閉目的に典型的に用いられる種類の弾性材料である。一例は、適切な硬度、通常、２２以下、多くの場合、１０〜１８の範囲（境界値を含む）内のショアＡ硬度に成形されたウレタンである。
【０１２９】
示されている例示的なシール部材４６６、結果的に、全体的なハウジングシール構造４６５は、ピンチシール部材４６８として構成され且つ配置されている。より具体的には、ピンチシール部材４６８は周囲ピンチシール部材４６９である。これは、シール部材４６６（及び全体としてハウジングシール構造４６５）が、使用中、２つのハウジング構成要素間に密閉圧力下でシール部材４６６を挟むことができるようなカートリッジ４３０の周囲の位置に延びることを意味する。示されているピンチシール部材４６９は「軸方向」ピンチシール部材と呼ばれることがあるが、これは、ピンチシール部材４６９が、２つのハウジング構成要素間の密閉圧力が軸方向に、すなわち、入口側端部４６１から出口側端部４６２へと媒体４６０内を貫通している軸の延びる方向に印加されるように構成されていることが理由である。しかしながら、本開示の選択した原理を用いた他の種類のシール構造を使用することもできる。
【０１３０】
更に図１３を参照すると、示されている特定のフィルタカートリッジ４３０は、その上に任意のハンドル構造４７５を含み、ハンドル構造４７５は、この例では、カートリッジ入口側端部４３２に隣接して方向付けられており、カートリッジ入口側端部４３２から、出口側端部４３３から遠ざかる方向に突出している。これにより、ハンドル構造４７５を容易に把持してエアクリーナ４００の保守を管理することができる位置にハンドル構造４７５を配置する及び方向付ける。示されている特定の例示的なハンドル構造４７５は中心ハンドルブリッジ４７６を含み、中心ハンドルブリッジ４７６の下に、ハンドル部材４７５の把持中に人が指を延ばすことができる空間を画定する。
【０１３１】
示されている特定のハンドル構造４７５は、媒体パック４６０の長軸又は断面軸に沿って延びる中心長尺状リブ又はリッジ４７８を含むが、別のものも可能である。これについて、以下、更に記載する。
【０１３２】
以下、図３４〜図３６に関連して記載するような典型的なアセンブリでは、ハンドル構造４７５は、周囲フレーム部分を含む。周囲フレーム部分は、媒体４６０を囲むように、及び例えば、組み立て時に媒体に埋め込まれることによってシール部材４６８に係合されるように方向付けられている。こうしたフレーム構造に支持及び構造的完全性を付与するための任意のブリッジ構造４７５ｘが示されている。任意のハンドル構造４７５に対し種々の形状、大きさ及び特徴を用いることができる。
【０１３３】
更に図１５を参照すると、示されているフィルタカートリッジ４３０は任意のシェル４８０を含む。示されているシェル４８０は媒体パック４６０を取り囲み、取り扱い及び使用時に、媒体パックを保護する。シェル４８０は、また、以下に記載するように、組み立てを容易にするために使用され得る。示されている特定のシェル４８０は少なくともシール構造４６６から媒体パック端部４６２まで延びる。シェル４８０は種々の手法で組み立てることができ、一例が、図３４〜図３６に関連して、以下、本明細書中に記載される。シェル４８０、典型的な用途では、プリフォーム成形プラスチック部品を含み、カートリッジ４３０の組み立て時、この部品内に、媒体パック４６０が配置される。
【０１３４】
更に図１５を参照すると、示されている特定のフィルタカートリッジ４３０は、非円形断面形状を有するが、本明細書で記載されている原理は別の構造に適用することができる。特定の断面形状は略楕円形であるが、同じく、別のものも可能である。本技術の多くの用途では、フィルタカートリッジは断面形状を有する。断面形状は、空気の流れ（及び媒体パック）に垂直な平面内の長断面軸と、長軸に垂直に、且つ層軸（ｌａｙｅｒ  ａｘｉｓ）の中間点に沿って配置された短軸と、を有し、（長軸の長さに沿った半分の位置における）短軸に対する長軸の長さの比率が、少なくとも１．４、多くの場合、少なくとも１．７、典型的には、少なくとも１．８、及び１．６〜３．０（境界値を含む）の範囲内（例えば、２．０〜２．６（境界値を含む）の範囲内）である。別の比率も可能ではあるものの、このような比率が、一部、１つの断面がもう一方の断面寸法に対して相対的に低い全体的外形を有するエアクリーナに関係するという理由から、典型的には本開示による配置にはこのような比率が好ましい。典型的には、媒体パックは、流れ端部間の伸張範囲が少なくとも長さ１００ｍｍ、多くの場合、少なくとも長さ１５０ｍｍ、いくつかの例では、少なくとも長さ２００ｍｍである。流れ端部間の伸張範囲は、２５０ｍｍ以上とすることができる。
【０１３５】
概して、ハウジング本体４０２は、密閉シェルフ４９０が傾斜密閉面４７０と嵌合するよう構成されるように、並びにハウジング本体の任意の周囲外壁が、任意の凹設部分４６８及びその内部の任意の凹設セクション４６８ｘ、４６８ｙと嵌合するように構成されるように構成されている。
【０１３６】
媒体パックは、少なくとも２００ｍｍ、多くの場合、少なくとも２５０ｍｍ、多くの場合、少なくとも３００ｍｍ、及び実際、いくつかの例では、３８０ｍｍ以上の、流れ端部間の方向に垂直な平面内の断面寸法に属していてもよい。
【０１３７】
更に図１５を参照すると、シール部材４６８が周囲ピンチシール部材４６９である本開示による典型的な用途において、下流側、すなわち、カートリッジ端部４３３又は媒体パック端部４６２の方にほぼ向けられたシール部材４６９の軸方向に向けられた表面４７０は、ハウジング４０１と係合するための重要な密閉面である。このことは、取り付け時のカートリッジ４３０とハウジング４０１との間の係合に関する以下の全般的な特性から理解されよう。
【０１３８】
ここで、ハウジング本体４０２の特徴の概略図を記載する図１６に注目されたい。図１６では、示されているハウジング本体４０２の一部分は概略的に記載されており、したがって、ここで指摘する点に特に関係のない特定の特徴、例えば、外部表面リブ、取付パッド等のない状態で示されている。（また、ハウジング本体４０２の一部分は、構造的ではなく、むしろ、使用した図面プログラムによるアーティファクトであるグリッド線４７１を有して示されている）。
【０１３９】
図１６を参照すると、参照符号４９０において、カートリッジのハウジングシール構造４６５と密封係合するための内部密閉面又はシェルフが示されている。周囲ピンチシール部材４６９のシール表面４７０がシェルフ４９０に対して係合され（押し付けられる又は付勢される）、解除可能なハウジングシールを形成する。
【０１４０】
図１６を参照すると、シェルフ４５０はハウジング本体４０２の端部４０２ｅに対して内側に凹設されていることに留意されたい。端部４０２ｅは保守アクセス端部であり、この端部にカートリッジ４３０が取り付けられ、保守時、この端部からカートリッジ４３０が取り外される。この端部は、使用中、アクセスカバー４０３によって覆われる。シェルフ４９０、４９０の端部４０２ｅの凹部の量は、全般的に種々の原理に従い管理される。まず、ハウジング４０２が、ハウジング４０２内に端部４０２ｅに隣接するポートを含むものである場合、シェルフ４９０の凹部は、概して、そのポートを越えるものである。図１６では、示されているハウジング本体４０２は、排出部ポート又は粉じん出口ポート４２６を含み、シェルフ４９０はそのポート４２６から出口側端部に向かって凹設されている。
【０１４１】
また、アクセスカバー４０３上の構造体を収容するためにシェルフ４９０は端部４０２ｅから十分に遠くに凹設されている。図１２に示される特定の例では、アクセスカバー４０３はプレクリーナ４１０として特徴付けられており、したがって、構造体の収容及びプレクリーナ４１０の動作のために、シェルフ４９０は十分に遠くに凹設されている。
【０１４２】
本開示による典型的なアセンブリにおいては、密閉シェルフ４９０は、入口側端部４０２ｅから、その周り全体に、少なくとも４０ｍｍ、通常、少なくとも８０ｍｍ、及び時として、少なくとも１００ｍｍ凹設されている。
【０１４３】
概して、シェルフ４９０は、種々のハウジング及び入口特徴を収容するため、並びにそれらの動作に必要な量を超えて凹設されない。しかしながら、このことは動作において重要ではなく、エアクリーナハウジング４０１を、目的の典型的なシステムに望むよりも大きく（長く）且つ重くならないようにすることにおいて単に有利なだけである。
【０１４４】
図１６Ａに、シェルフ４９０の特定部分の拡大部分図を示す。この部分は、シェルフ４９０と端部４０２ｅとの間に延びるハウジング４０２の壁４０２ｘの一部分から径方向内側に突出して示され得る。
【０１４５】
図１６を参照すると、それぞれの別の形態も可能ではあるものの、端部４０２ｅは、本体４０２内の空気の流れの方向に略垂直な平面内に端部を画定するように構成されており、シェルフ４９０は、また同様に構成されていることに留意されたい。例えば、このそれぞれはこの方向に垂直でない平面を画定し得る。更に、このそれぞれは、所望であれば、非平面とされ得る。また、この２つの（端部４０２とシェルフ４９０）が互いに平行な平面をほぼ画定するという特別な要件はない。これらの変形形態は種々の配置において有利に使用され得る。フィルタカートリッジ変形形態はこのような変形形態及びアクセスコア（ａｃｃｅｓｓ  ｃｏｒｅ）変形形態に適応するように作製され得ることに留意されたい。
【０１４６】
実際、示される特定のアセンブリにおいて、シェルフ４９０は略平行であるが、例示的なカートリッジ４３０のシール表面４７０の変化（起伏）に適応するために、中心軸線の周りの伸張範囲に形状の変化を含むことに留意されたい。これについては、以下、本明細書中に記載する。
【０１４７】
特に、及び図１５〜図１６Ａを参照すると、示されている周囲ピンチシール部材４６９の特定のシール表面４７０は、有利であり得る任意の起伏を含み、ハウジングシェルフ４９０は、シール部材との嵌め合い係合（ｍａｔｉｎｇ  ｅｎｇａｇｅｍｅｎｔ）のための起伏を含み、これもまた有利であり得ることに留意されたい。これらオプション及びこれらに関する例示的な可能な変形形態について、以下、本明細書中で更に述べる。
【０１４８】
Ｄ．例示的なアクセスカバーの一般的な特徴、適所におけるフィルタカートリッジの密閉、一般的な（任意の）プレクリーナ特徴−図１７〜図２０
ここで、組み立て済みエアクリーナアセンブリ４００の一部分の部分概略断面図を示す図１７に注目されたい。図１７に関してまず注目するのは、ハウジング４０１内の適所におけるカートリッジ４３０の固定及び密閉に関する特徴である。図１７において、部分断面図は、ほぼハウジング４０１（図１２）の短軸で切ったものである。
【０１４９】
図１７を参照すると、ハウジング本体４０２の断面が示されている。取り付け時におけるボルトによる係合のためのねじ状の金属インサート４１４ｙが配置された、取付パッド構造４１４の取付パッド４１４ｘの１つを見ることができる。ハウジング本体４０２は、シールシェルフ４９０において互いに分離された、上流側入口又は第１のセクション４０２と、下流側又は第２のセクション４０２ｙと、を有するものとして示され得る。
【０１５０】
ハウジング本体４０２の入口側端部４０２ｅは、したがって、シェルフ４９０から遠いセクション４０２ｊの開端部である。
【０１５１】
更に図１７を参照すると、端部４０２ｅ上の適所に固定され、端部４０２ｅを閉じているアクセスカバー４０３を見ることができる。アクセスカバーは（取り付けられたときに）カートリッジ４３０上の周囲ピンチシール部材４６９に圧力密閉（ｐｒｅｓｓｕｒｅ  ｓｅａｌｉｎｇ）を適用ように構成され、大きさに作られ、配置されている。これを行うために、アクセスカバー４０３は圧力フランジ４９５を含み、圧力フランジ４９５は、以下に記載するように、ピンチシール部材４６９に、シール表面４７０とハウジングシールシェルフ４９０との間の密封係合を確実にするほど十分な圧力を加える一方で、ハウジング本体４０２内の十分に遠くに延びて、ハウジングシール構造４６５に係合するような大きさにされ且つ配置されるように方向付けられている。
【０１５２】
アクセスカバー４０３と、シール構造４６８と、ハウジング本体４０２との間の係合について、ここで、図１７Ａに注目されたい。図１７Ａは、図１７に類似した拡大部分図であり、相互作用が生じる場所の一例を示す。
【０１５３】
図１７Ａを参照すると、参照符号４６９において、ピンチシール部材を見ることができる。参照符号４７０において、シール表面は、シェルフ４９０の方に（に対して）付勢されて示されている。アクセスカバー４０３上の（シール）付勢突起又は圧力フランジ４９５を見ることができる。（シール）付勢突起又は圧力フランジ４９５は、シール構造４６８の表面４７２に押し付けられており（表面４７２は表面４７０の反対側である）、シール構造４６８をシェルフ４９０に向かって押している。
【０１５４】
図１７Ａには、カートリッジ４３０の媒体パック４６０の一部分を示す。また、任意のハンドル構造４７５の一部分４７５ｘがシール構造４６５の一部分に埋設された状態で示されている。この任意の特徴については、以下、本明細書中で更に記載する。
【０１５５】
更に図１７Ａを参照すると、ハウジングシール構造４６８とハウジング本体４０２との間の係合に関するいくつかの特徴が示されている。まず、シェルフ４９０はその上の中心周囲リブ４９１とともに示されている。中心周囲リブ４９１は端部４０２ｅ（図１７）に向かって突出し、密閉時、密閉相互作用を容易にするために表面４７０に押し込まれるように配置されている。リブ４９１は、典型的には、シェルフ４９０の内部周囲に沿って連続的に延びるが、別の形態も可能である。典型的なリブは幅約２ｍｍ及び高さ２ｍｍである。典型的なシェルフ５４０は幅約５〜１１５ｍｍである。
【０１５６】
また、ハウジング４０２は内部フランジ又は突起４９３（カートリッジ位置決め又はセンタリングフランジ）とともに示されている。内部フランジ又は突起４９３は、シール構造４６８の一部分と媒体パック４３０との間に配置された任意のグルーブ、レシーバ又はトラフ４９４内へと延びる。これによりシール部材４６８の保持を容易にする。これについては、以下、更に記載する。これは任意ではあるが、一般に有利な特徴である。典型的には、フランジ４９３はハウジング４０２の内部の周りに連続的に延びるが、別の形態も可能である。典型的には、フランジ４９３はシェルフ４９０から少なくとも４ｍｍ、通常、少なくとも８ｍｍ、及び多くの場合、これを超える距離突出しているが、別の形態も可能である。典型的には、適切な取り付けが行われた場合、フランジ４９３は凹部４５４の端部の底に達するほど十分に長い。シェルフ４９０には起伏があってもよいが、典型的には、フランジ４９３の端部は平坦である。
【０１５７】
取り付け時、圧力フランジ４９５の圧力をカートリッジ４３０に、特にハウジングシール構造４６５に与えるために、アクセスカバー４０３に付勢圧力を加える必要がある。付勢圧力は種々のやり方で加えることができる。図１７に示されている例では、付勢圧力はオーバセンタラッチ構造４１８のラッチ４１９によって与えられる。ボルトなどの締結具又は別のコネクタを含む別の形態も可能であることに留意されたい。
【０１５８】
図１８に、アクセスカバー４０３に取り付けられており、且つハウジング本体４０２と係合しているワイヤラッチ４１９の１つが示されている。示されている特定のハウジング本体４０２は、その一部分内に受け入れポケット４９８を含む。受け入れポケット４９８は、ラッチが完全に固定されたときに、組み立てがかなり容易であるとともに誤った若しくは不完全な取り付けが行われた場合に確認すること又は密閉することが簡単な便利な手法で、ラッチ４１９の端部突起４９９を受け入れるためのものである。
【０１５９】
前述のように、示されている特定のアクセスカバー４０３は、任意のプレクリーナアセンブリ４１０を含む。プレクリーナアセンブリ４１０における一般的な特徴及び動作は図１７の参照により理解され得る。
【０１６０】
図１７を参照すると、プレクリーナ４１０は前述のように、概して、互いに固定された外カバー４１０ａと、内カバー４１０ｂと、を含む。示されている外カバー４１０ａは周囲取付フランジ５０１を含み、周囲取付フランジ５０１は、取り付け時、ハウジング本体４０２の端部４０２ｅ内で位置合わせされている。典型的には、Ｏリングシールなどのウェザーシール部材（図示せず）がアクセスカバー４０３とハウジング本体４０２との間に配置されている。
【０１６１】
外カバー４１０ａはその中にフローセパレータ（入口）チューブ５０３のアレイ５０２を含む。チューブ５０３は、典型的には、ハウジング本体内に少なくとも４０ｍｍ、多くの場合、少なくとも６０ｍｍ突出するような大きさにされている。典型的には、チューブ５０３は予備形成され、組み立て時、カバー５１０ａ内の孔に圧入される。概して、各セパレータチューブ５０３は、上流側入口側端部５０３ｉを含み、この端部に、エアクリーナアセンブリ４００に入る（濾過される）空気が送られる。端部５０３ｉ内に又は端部５０３ｉに隣接して、各チューブ５０３はベーン構造を含む。ベーン構造は、入口空気のサイクロン流を取り込む（誘導する）ように構成されている。チューブ５０３はそれぞれ、概して、入口側端部５０３ｉに対向する端部５０３ｘを含む。各端部５０３ｘは内カバー５１０ｂのチューブシート部５０７に押し付けられている。これについては、以下、記載する。各セパレータチューブ端部５０３ｘは、側部（サイクロン出口）スロット５０３ｃを含み、このスロットを通じて、フローセパレータ配置によって分離された汚染物質（粉じん、微粒子汚染物質排出器又は水）がチューブ５０３を出て、以下に記載す手法で結果的に、ハウジング汚染物質排出ポート構造４２６（図１６）を通って排出される。
【０１６２】
内カバー４１０ｂは、周囲（外）壁５０６と、中心チューブシートセクション５０７と、を含む。周囲壁５０６はプレクリーナ４１０の外側部分の周りに延び、外カバー４１０ａに係合している。例で示すように、周囲（外）壁５０６はその上に圧力フランジ４９５を含む。
【０１６３】
より一般的には、アクセスカバー４０３は内部周囲フランジを含む。内部周囲フランジは、ハウジング内の十分に遠くに突出し、ハウジングシール構造によってフィルタカートリッジに係合している。このフランジは、概して、内部周囲シールド又はカバーの端部である。示されている例では、フランジは、エアプレクリーナアセンブリの外カバーと内カバーとの組み合わせの一部分を含む。
【０１６４】
チューブシートセクション５０７は周囲壁５０６にわたって延びる。チューブシートセクション５０７は、複数の出口チューブを含み、一例が参照符号５１０に示されている。これらチューブ５１０の１つは各入口チューブ５０３内に延び、その入口チューブ５０３に入った空気を受け入れ、その空気がチューブシート５０７を通過してハウジング４０１の内部４０１に、最終的にカートリッジ４３０に達することを可能にする。典型的には、出口チューブ５１０は、内カバー４１０ｂの残りの部分と一体成形（形成）されている。
【０１６５】
内カバー４１０ｂは、典型的には、外カバー４１０ａとは別に作製又は成形され、外カバー４１０ａに固定されている。スナップフィット又は別のものを含む種々の固定手法を用いることができる。いくつかの例では、この２つは決して分解することができないようにともに固定されてもよい。他の用途では、内カバー４１０ｂ及び外カバー４１０ａを、保守又は内部洗浄のために分解することを可能にするように構成することが望ましい場合がある。図１７に示されている特定のプレクリーナアセンブリ４１０では、周囲又は外部フランジ５０６はその上に複数のスナップフィット部材５０６ｐを含むものとして示されている。複数のスナップフィット部材５０６ｐは、外カバー４１０ａの周囲リム部５１１とのスナップフィット係合のために配置されている。
【０１６６】
より一般的には、プレクリーナアセンブリ４１０は、内カバー４１０ｂと外カバー４１０ａとの間にスナップフィット構造を含む。スナップフィット構造は、概して、それぞれの上に配置された構成要素を含む。示されている例では、内カバー４１０ｂ上の構成要素位置は突出バネクリップ又はバネ突出方法４０６ｐであり、外カバー４１０ａ上に配置された部材は、クリップ５０６ｐによる最近の（ｒｅｃｅｎｔ）係合のための凹部を含む。典型的な構造では、複数のスペースクリップ５０６ｐが用いられる、すなわち、外カバー５１０ａの凹部に係合することが予想される。種々の別の形態も可能である。
【０１６７】
更に図１７を参照すると、チューブシートセクション５０７はその中に、任意の中心レシーバ凹部、グルーブ又はトラフ５１２を含むものとして示されている。任意の中心レシーバ凹部、グルーブ又はトラフ５１２は、外カバー４１０ａに向かって延び、組み立て時、その中に、任意のハンドル構造４７５の一部分、特に、ハンドルリッジ４７６を受け入れる。
【０１６８】
概して、レシーバ５１２の非存在の存在（ｔｈｅ  ｐｒｅｓｅｎｃｅ  ｏｆ  ａｂｓｅｎｃｅ）及びその特定の形状、大きさ及び位置は任意選択的であることは理解されよう。例えば、いくつかの用途では、プレクリーナ４１０（又はハウジング４０１の他の部分とともに、アクセスカバー４０３）は、それが存在する場合であっても、ハンドル構造４７５がレシーバ５１２の完全な係合を要するほど遠くまで突出しないような大きさにされ得る。また、ハンドル部材４７５は異なるように方向付けることができ、ゆえに、レシーバ受け入れグルーブは異なるように配置することができる。当然、いくつかの例では、ハンドル部材４７５はなくてもよく、又は異なる構造のものであってもよい。
【０１６９】
より一般的には、アセンブリ４００は、カートリッジ対アクセスカバー突起／レシーバ構造を含み、この構造は、メインフィルタカートリッジ４３０上の第１の部材と、アクセスカバー４０３上、この例では、プレクリーナ４１０上の第２の部材と、を有する。示されている例では、カートリッジ上の部材は、ハンドル構造の形態の突出部材であり、アクセスカバー（又はプレクリーナ）上の部材は、突出部材、すなわち、凹部又はグルーブ５１２である。しかしながら、別の形態も可能である。示されている特定の例では、グルーブ又は凹部５１２は、概して、最大幅に対する最大深さの比率が少なくとも０．５、典型的には、１．５以下、多くの場合、０．７５〜１．２５（境界値を含む）の範囲内である長尺状の形状（長寸法のトラフ）を有する。
【０１７０】
ここで、図１９に注目されたい。図１９は、ほぼエアクリーナアセンブリ４００の端部に向かって、特にアクセスカバー４０３に向かって、すなわち、任意のプレクリーナ構造４１０に向かってとった略平面図である。上で記載した種々の特徴は同じ参照符号で示す。入口チューブ５０３のアレイ５０３ａに注目されたい。内部ベーン構造５０３ｖを各チューブ５０３内に１つずつ見ることができる。
【０１７１】
示されている特定の例示的なアレイ５０３ａは、それぞれ少なくとも２つの直線（この例では垂直）行５０３ｒ、５０３ｓで配向された入口チューブ５０３を有することに留意されたい。これら行５０３ｒ、５０３ｓはそれぞれ、示される例では略直線であり、１つがアクセスカバー４０３の垂直中央部４０３ｘの各側部に配置されている。
【０１７２】
チューブ５０３の種々の配置又はアレイ構成が可能である。示されている直線配置は、示されるものにほぼ類似する構成を有するアセンブリにとって好都合である。
【０１７３】
特に、示されている例では、取り付け時、ハウジングの長寸法は、概して、垂直方向に配向される。典型的には、セパレータチューブ５０３の直線配置を、この長寸法又は垂直方向に略平行にすると便利である。例示的な垂直行（５０３ｒ、５０３ｓ）の数は、効率的な動作にとって適切な数のセパレータチューブを有すること、及びチューブの取り付けに利用可能な幅（水平寸法）の量、の問題である。
【０１７４】
図２０に関連して更に記載するように、チューブ５０３のそれぞれの回転方向もまた、任意の好みの問題である。
【０１７５】
図２０は、アセンブリ４００をプレクリーナ４１０に隣接する領域で切った概略断面図であり、汚染物質排出ポート４２６へと下方に向けられている。図２０では、中にチューブ５０３を有する外カバー４１０ａを見ることができ、同じく見ることができるのは、圧力フランジ４９５を有する内カバー４１０ｂ、及びスナップフィット部材５０６ｐとチューブシート５０７とを有する周囲５０６である。カートリッジ４３０上の任意のハンドル構造４７５を受け入れる任意の受け入れグルーブ５１２及びチューブシート５０７もまた、見ることができる。
【０１７６】
圧力フランジ４９５によってシェルフ４９０に付勢されたハウジングシール４６８を見ることができる。
【０１７７】
図２０では、カートリッジ４３０の両側にあるシェルフ４９０は異なるように示されているが、この理由は、これら位置においてシール部材４６９は、カートリッジ４３０のインテル（ｉｎｔｅｌ）流れ端部又は表面４３１から離れ、対向する流れ端部又は表面に向かう方向の伸張の量に関して異なる形状だからである。シール部材４６９のこの任意の起伏については、以下、更に記載する。
【０１７８】
図２０を参照すると、フローセパレータチューブ５０３の任意の好適な回転構成が理解されよう。概して、各チューブ５０３は、内部に導かれた汚染物質の遠心分離によって動作する。これを実現するために、ベーン５０３ｖ（図１９）によってサイクロンパターンへと全般的に導かれるように入口側端部５０３ｉに入る空気。この説明のため、各チューブ５０３は他のものと同様に構成されていると想定する。また、ベーン構造５０３ｖはそれぞれ、入る空気を、入口側端部５０３ｉを図１９の方向から、すなわちアクセスカバー４０３に向かって見ると時計回りのサイクロンパターンへと導くように構成されていると想定する。（これらそれぞれの別の形態も可能である）。
【０１７９】
上で記載したように、各チューブ５０３はその側壁内に汚染物質排出スロット５０３ｃを含む。各チューブスロット５０３ｃは、典型的には、端部５０３ｘの近傍にはあるが、端部５０３ｘから離間している５０３チューブの側壁部内の円弧状開口部である。円弧範囲は、典型的には、１７０°〜１９０°の範囲内であり、多くの場合、約１８０°である。円弧範囲は、一般に、フローセパレータチューブ設計者によって、運転効率が最大になるように選択される／設計される。出口５０３ｃはサイクロン出口であると理解することができ、概して、旋回する物質は、関連するスロット５０３ｃの中心に対して幾分直角の方向に出る。図２０の右側のチューブ５０３ｒにおいては、このような排出コースは、一般に、汚染物質を矢印Ｘの方向に導き、図２０の左側のチューブ５０３ｓにおいては、このような排出コースは、一般に、汚染物質を矢印Ｙの方向に導く。
【０１８０】
一般的に、効率的な分離のためには、汚染物質がその出口ポート４２６に効率的にたどりつくことが望まれる。右側のチューブ５０３ｒにとって経路Ｘが好ましい理由は、経路Ｘが全般的に汚染物質を外壁５０６に向かって、最終的にチューブ４２６に向かって下方向に導くからであり、経路Ｙが左側のチューブ５０２ｌにとって好ましい理由も同じである。すなわち、それぞれが汚染物質をプレクリーナ４１０の内部からポート４２６へと、効率的な分離にとって好ましい方向に導く。したがって、これを実現するために、右側のチューブ５０３ｒをチューブ４０２ｌとは異なるように方向付けることが好ましい。特に、右側のチューブ５０３ｒでは、出口スロット５０３ｃは見る者の方に、すなわち、出口４２６から（上に）離れる方向に向けられており（中央に配置されており）、左側のチューブ５０３ｓは、出口５０３ｃが反対側に又は下方に、すなわち、ポート４２６の方に向けられた状態で方向付けられている（中央に配置されている）。これにより、効率的な分離に至ることができる。
【０１８１】
Ｅ．任意選択の安全フィルタ、図２１〜図２３
前述のように、示されているエアクリーナアセンブリ４００はその中に任意の安全カートリッジ４３５（図１３）を含み得る。このような安全要素又はカートリッジの例示的な構造は、概して、図２１〜図２３の参照により理解され得る。
【０１８２】
図２１を参照すると、概して、カートリッジ４３５は媒体５３０を含み、使用時、この媒体５３０を、カートリッジ４３０の出口側端部４３２から送出される空気が出口構造４０５（図１３）へと移動する際に通過する。媒体５３０はいくつかの機能を提供する。第１に、例えば、カートリッジ４３０の媒体（又はカートリッジ若しくはシールの完全性）の破損があった場合、メインカートリッジ４３０を通過する可能性のあるあらゆる粉じんを媒体５３０が捕捉する。第２に、媒体５３０はカートリッジ４３０の保守時に粉じんが出口領域４０５内に当たらないように補助する。
【０１８３】
上で記載したように、カートリッジ４３５が使用される場合、カートリッジ４３５は、概して、メインカートリッジ４３０とは別個の構成要素であるため、メインカートリッジ４３０が保守される際、カートリッジ４３５は適所に保持され得る。媒体５３０は、概して、メインカートリッジ４３０とは別個のフレーム５３１内に固定されている。この例（図２１）では、媒体５３０はプリーツがフレーム５３１の長寸法において延びるプリーツ付き媒体である。フレーム５３１は、隣接するプリーツのスペーシングの完全性の維持を補助するためのプリーツスペーサ５３２を含む。
【０１８４】
典型的には、任意の安全カートリッジ４３５が、示されているようなものである場合、フレーム５３１は媒体５３０上に現場成形されるが、別の形態も可能である。更に図２１を参照すると、例示的な示されているフレーム５３１は、シール部材５３３がその上に配置された外部周囲５３１ｐを含む。シール部材５３３は、概して、弾性部材であり、現場成形され得る。シール部材５３３は、また、フレーム５３０に取り付けられた、別個に形成されたガスケットを含み得る。
【０１８５】
更に図２１を参照すると、示されているフレーム部材５３１はその上に、取り付け取り外しを容易にするためのハンドル構造５３５を含む。示されているハンドル構造５３５は、任意選択的に、取り付け時、メインフィルタカートリッジに向かって突出するように配向された複数（この例では２つ）の離間したハンドル突起５３５ｐを含む。示されている２つの例示的な任意のハンドル突起５３５ｐはフレーム５３１及び媒体５３０の（ほぼ隣接する）反対端（長寸法）に配向されている。
【０１８６】
図２１に示されている例示的なカートリッジ４３５においては、ハンドル構造５３５はフレーム５３１の一体成形部分であるが、別の形態も可能である。
【０１８７】
図２１では、図は全体としてカートリッジ４３５の入口側端部又は表面４３５ｉの方である。入口側端部又は表面４３５ｉは、概して、使用時、空気の流れを受け入れる端部である。
【０１８８】
示されている例（図２１）では、二次又は安全カートリッジ４３５は長断面寸法と短断面寸法とを有し、ハンドル構造は突起５３５ｐを含み、突起５３５ｐは、長寸法と位置合わせされており、示されている例では、長寸法とほぼ同一線上の適所にあるが、別の形態も可能である。
【０１８９】
図２２は、カートリッジ４３５の反対側の空気流出口側端部又は表面４３５ｘの方の斜視図が示されている。すなわち、図２２は、図２１の図の裏側の図である。フレームセクション５３１が、（プリーツ付き）媒体５３０を取り囲む周囲フレームセクション５３６を含むのを見ることができる。
【０１９０】
図２３に、安全カートリッジ４３５の領域におけるアセンブリ４００を示す概略部分拡大図が示されている。ハウジング本体４０２はその中に、安全カートリッジ４３５上のシール部材５３３による係合のための安全シールシェルフ５５０を有するものとして示され得る。安全シールシェルフ５５０はその上に、ハウジング入口側端部（図１３）に向かって突出した周囲密閉リブ５５１を有して示されている。
【０１９１】
図２３に、安全カートリッジ４３５は、メインカートリッジ４３０のシェル４８０上の圧力フランジ又は支台５６０によって与えられる付勢圧力によって表面５５０及びリブ５５１に押し付けられたシール５３３を有して示されている。示されているカートリッジ４３５には任意の弾性側部伸張部５５０ｘが設けられている。任意の弾性側部伸張部５５０ｘは、フレーム５３１の側部に沿って配置されており、壁セクション５６５に、弾性のある、径方向の、抵抗のある嵌合状態で係合する。そのため、カートリッジ４３０の取り外しによりフランジ５６０による圧力が解放されている場合であってもカートリッジ４３５は適所に保持される傾向がある。図２２には、シール構造５３３と一体化した材料の空間伸張範囲として任意のセクション５５６ｘが示されている。
【０１９２】
ＩＩＩ．例示的なプロトタイプシステム、図２４〜図２６
図２４〜図２６に、本明細書の上記で特徴付けた特徴の多くを組み入れたプロトタイプシステムが示されている。図２４を参照すると、部分組立分解図においてプロトタイプエアクリーナアセンブリが全体として参照符号６００で示されている。アセンブリ６００は、本体６０２とアクセスカバー６０３とを含むハウジング６０１を含み、アクセスカバー６０３は、この例では、プレクリーナ６１０を含む。プレクリーナ６１０からの汚染物質排出がプレクリーナ側壁６１１の孔６１２において示され、本体６０２の汚染物質排出ポート６２６に粉じんが達することを可能にする。
【０１９３】
保守可能で取り外し可能なメインフィルタカートリッジ６３０が示されている。概して、本明細書の記載に従い、アクセスカバー６０３が取り外されると、メインフィルタカートリッジ６３０を取り外し、交換することができる。
【０１９４】
更に図２４を参照すると、示されているエアクリーナアセンブリ６００は、使用の向きに対し、その側面を下にして方向付けられて示されていることに留意されたい。典型的な使用では、エアクリーナアセンブリ６００は排出部ポート６２６を下方に向けた状態で示される。
【０１９５】
図２４のアセンブリでは、したがって、アクセスカバー６０３はハウジング６０１の入口側端部を示し、（濾過された）出口空気をアセンブリ６００から移動させるための、ハウジングの出口は参照符号６０５で示されている。ハウジング本体６０２は取付パッド６１４ｘを有して示されており、取付パッド６１４ｘによってハウジング本体６０２を機器に固定することができる。
【０１９６】
更に図２４を参照すると、プレクリーナ６１０は、内カバー６１０ｂに固定された外カバー６１０ａを含むものとして示されている。内カバー６１０ｂは外部周囲６１５を有するものとして示されており、外部周囲６１５はその上に複数の任意の離間した突起６１６を有する。示されているこれら任意の突起６１６は、概して、プレクリーナ６１０内を空気が流れる方向に延びる軸方向のリブとして構成されている。突起６１６は複数の機能を提供することができる。第１に、示されているリブの形態であり、成形プラスチック構成要素上で用いられる場合、突起６１６は、強化、特に軸方向の強化（すなわち、アセンブリ６００内の空気流の強化）を提供することができる。リブは、また、がたつき又は動きのないアクセスカバー６１０の確実な、中心位置決めの維持を容易にすることができる。最後に、リブは、当然、使用時、フィルタカートリッジ６３０のハウジングシール構造６３５に押し付けられる圧力フランジ６２５の強化を補助することができる。
【０１９７】
図２４では、アセンブリ６００は使用時に典型的に用いられるその上のラッチ部材なしで示されていることに留意されたい。
【０１９８】
図２５に、内部表面又はカバー６１０ｂに向かって示されているプレクリーナ６１０の斜視図が示されている。ここでは、グルーブ５１２（図２０）に類似する任意の受け入れグルーブ６２０を見ることができる。使用時、カートリッジ６３０上の任意のハンドル構造６３６（図２４）が延びるのはグルーブ６２０内である。当然、任意のハンドル部材が異なる形状又は向きを有している場合、任意のグルーブ６２０は異なる形状又は向きを有する。
【０１９９】
更に図２５を参照すると、チューブシート６４１内の出口チューブ６４０を、図１９に関連して上で記載した例に類似するアレイで見ることができる。
【０２００】
図２５に、使用時、アクセスカバーとハウジング本体６０２との間において圧縮されるアクセスカバー６０３（すなわち、プレクリーナ６１０上）上の位置に配置された任意のＯリング６４２が示されている。Ｏリング６４２はウェザーシールであり、また、アクセスカバー６０３と本体６０２との間に振動減衰相互作用を提供する。Ｏリングとは別のクッションガスケット又はウェザーシール構造を使用することができ、任意の典型的な例であるＯリング６４２が示されている。
【０２０１】
図２６に、カートリッジ６３０の各図が提供されている。長手方向のリッジ６３７を有するハンドル構造６３１並びに媒体６５０及び周囲ハウジングシール構造６３５を見ることができる。
【０２０２】
カートリッジ６３０は、概して、カートリッジ４３０（図１５）について本明細書中で上記したものに従うものであってもよい。
【０２０３】
しかしながら、図２４及び図２５に示される特定のアセンブリは任意の安全フィルタカートリッジなしで提供してもよく、したがって、任意のシェル６８０（図２６）は本明細書中の上において参照符号５６０（図２３）で特徴付けた種類の安全要素圧力フランジなしで提供してもよいことに留意されたい。
【０２０４】
ＩＶ．いくつかの例示的な選択した特徴及び任意の変形形態
Ａ．アクセスカバー、プレクリーナ及びハウジングの更なる選択した（任意の）特徴及び変形形態、図２７〜図３０
図２７に、任意のプレクリーナ４１０を含むアクセスカバー４０３を斜視図で示す。ここでは、プレクリーナ４１０は図１９の図及びその使用時の通常の向きに対して上下逆に示されている。出口カバーセクション４１０ｂの周囲壁５０６内の汚染物質排出孔又はポート４６３を見ることができる。孔を取り囲み且つ壁５０６から径方向外側に突出する突起リム又は密閉リブ（汚染物質封じ込め突起）４６４が提供されていることに留意されたい。突起リム又は密閉リブ（汚染物質封じ込め突起）４６４は、プレクリーナアセンブリ４１０の内部から出口ポート４２６への汚染物質の搬送を容易にするためのものである。リブ又はリム４６４は、壁５０６と、汚染物質出口ポート４２６への入口を取り囲む領域内のハウジング壁セクション４２６ｉ（図１３）との間の空間をほぼ横断して延びるように配置されている。
【０２０５】
更に図２４を参照すると、示されている特定のリム又は突起４６４は、外カバー４１０ａ上の部分４６４ｘ内の内カバー４１０ｂ上に部分４６４ｉを含む。
【０２０６】
また、図２７を参照すると、例えば、リブ６１６（図２４）に関して記載したように、強化及びセンタリング突起４６６（この例では軸方向のリブを含む）が内カバー４１０ｂ内に設けられている。
【０２０７】
更に図２７を参照すると、外カバー４１０ａが示されている。外カバー４１０ａはその中に、カバー４１０ａの完全性を促進するための強化リブ４６８を有する。外カバー４１０ａは、また、成形の際の補助となり得る。
【０２０８】
孔４６９が配置されており、孔４６９はその中に外部フローチューブ４７０を圧入するためのものである。内カバー４１０ｂ上の突起をスナップフィットで受け入れるための周囲孔４７１が配置されている。カバー４１０ｂをカバー４１０ａから分離することを望む場合、孔４７１内に突出している種々のタブを押す。
【０２０９】
図２８に、外カバー４１０ａの内部図の図が提供されている。ここでは、２つの行５０３ｒ及び５０３ｓの種々の入口チューブ４６９（チューブ５０３（図１９）に相当する）を見ることができる。周囲リム４７４と表面４７５との間に強化リブ又はガセット４７３を有する内部カバー４１０ａが示されている。
【０２１０】
出口スロット５０３ｃに対する、行５０３ｒ及び行５０３ｓにおけるチューブ４６９の異なる回転方向を用いることができる。各チューブの切り欠き５０３ｎはチューブシート４１０ｂ上の相手突起に係合するように配置されていることに留意されたい。図２８に、種々のラッチのためのマウントを含む突起４７５が示されている。
【０２１１】
図２８Ａは、図２８の一部分の拡大部分図である。個々のチューブ５０３は、スライド排出スロット５０３ｃ及び切り欠き５０３ｎを含むように検査及び確認され得る。チューブ５０３は別個の行５０３ｒ、５０３ｓにあり、この２つの行において、チューブはスロット５０３ｃの配置に関し、互いに回転的に異なっているのを見ることができる。サイクロン流を付与するための内部ベーン５０４も見ることができる。
【０２１２】
図２９に、ハウジング本体４０２の斜視図が提供されている。ここでは、強化リブ又はガセット８００が示されている。
【０２１３】
図２９に、シールシェルフ４９０のいくつかの選択した変形形態が示されている。これらはフィルタカートリッジのハウジングシール部材の任意の変形形態との係合に関して使用可能である。また、任意の安全のためのシールシェルフ５５０を見ることができる。
【０２１４】
図３０は、図２９の一部分の拡大部分図である。
【０２１５】
Ｂ．水平に延びる長（ハウジング）断面寸法に取り付けるための例示的な別の構成（図３１〜図３２Ａ）
図１２〜図１２Ｂに関して示した特定のエアクリーナアセンブリ４００は、特に、カートリッジ及びハウジングの長断面軸が垂直に配向されており、粉じん出口ポート４２６が下方に向けられている好ましい取り付けのために構成されていることに留意されたい。本明細書中に記載される原理は、ハウジング及びカートリッジの断面軸が水平な取り付けのために配向されている構造に適用され得る。この例を図３１〜図３２Ａに示す。
【０２１６】
まず図３１を参照すると、エアクリーナアセンブリ９００が示されている。エアクリーナアセンブリ９００はハウジング９０１を含み、ハウジング９０１は、ハウジング本体９０２と、アクセスカバー９０３と、を含む。ハウジング９０１は、概して、長断面軸と、短断面軸と、を有し、各断面軸は、アクセスカバーの開口部に隣接して、且つアクセスカバー９０３からハウジング出口９０５への流れの向きに垂直な方向にとられている。ハウジング本体９０２は概して、長軸に略水平に取り付けられるように構成されている。示されている例では、ハウジング本体９０２はそれが取り付けられた機器から吊されるように構成されている。したがって、取付パッド９１４は機器との接続のために上方に向けられている。
【０２１７】
参照したように、ハウジング９０１の空気流出口構造９０５は、この例では、ハウジング本体９０２に設けられている。当然、別の出口構成を設けることもできる。更に、先に記載した構造について上で記載したように、出口構造９０５はハウジング本体９０２の残りの部分と一体化させることができる、又は別々に作製して後に取り付けることができる。
【０２１８】
示されている例では、軸カバー９０３はプレクリーナ構造９１０を含む。プレクリーナ構造９１０は、選択した入口汚染物質を、内部に受け入れられ向けられたカートリッジに入口汚染物質が到達する前に分離するように、及び除去されるその汚染物質をハウジング９０１から、ハウジング本体９０２の出口ポート９２６を通じた排出によって導くように、構成され且つ配置されている。
【０２１９】
図３１の実施形態とともに使用するためのメインフィルタカートリッジ（図示しない）は、概して、前に図１５で示し且つ構成したものであってもよいことに留意されたい。
【０２２０】
図３１の参照符号９００の構造についての課題は、プレクリーナ９１０におけるセパレータチューブ９１１の位置決めを管理することである。位置決めについての重要な特徴には、アレイの配向（行など）と、個々のチューブ９１１内を通る外部粉じん出口孔に対する個々のチューブ９１１の回転方向と、を含む。
【０２２１】
概して、エアクリーナハウジング９０１（支台９０２）は、使用時、長断面寸法が水平に配置されるように方向付けられており、汚染物質排出ポート９２６は、汚染物質の流れをポート９２６に導くのを補助するように構成されている、ハウジング９０１（及び本体９０２）の下部漏斗セクション９０２ｆ内に配置される。図３２の底部斜視図では、この漏斗セクション９０２ｆは、ハウジング本体９０２の端部９０２ｅに隣接して示され得る。端部９０２ｅは出口構造９０５の反対側であり、一般に、アクセスカバー９０３（この例ではプレクリーナ９１０の形態の）が取り付けられる開端部に相当する。
【０２２２】
この例では、汚染物質排出ポート９２６は漏斗領域９０２ｆのほぼ底部中央に配置されている。
【０２２３】
図３２を参照すると、アクセスカバー９０３に隣接するハウジング本体９０２の漏斗形状部分は、開端部９０２ｅに向かって（すなわち、軸方向に）下方向に段階的に垂下し、サイズ（ｓｉｚｅ）からチューブ配置９２６に向かって下方向に全般的に傾斜している底部分であるのを見ることができる。別の形状も可能である。しかしながら、示されている特定の形状は分離された汚染物質が出口ポート９２６に流れるのを補助するのに好都合である。
【０２２４】
再度図３１を参照すると、典型的且つ好適なように、概して、個々のチューブ９１１が行で配置されている。示されている特定のプレクリーナ９１０は、内部チューブシートを有し得る。内部チューブシートは、内部表面上に受け入れグルーブ又はレシーバ（図示せず）を有する。受け入れグルーブ又はレシーバは、受け入れグルーブ又はレシーバ内に突出する、カートリッジ上の任意のハンドルを受け入れるためのものである。このハンドルは水平に延びる。結果として、チューブ９１１は、２つのアレイ、すなわち、上アレイ９１１ｕと下底部アレイ９１１ｂとに配置され得る。
【０２２５】
上アレイ９１１ｕは、単一行内に配向されたチューブ９１１を含む。下アレイ９１１ｂは、１つより多い行、すなわち、行９１１ｘ及び行９１１ｙにそれぞれ配向されたチューブ９１１を含む。当然、チューブ９１１の数及び行の配向は所望の効率的な運転のために選択できることであり、提供されている描写は例であることを意図している。
【０２２６】
加えて、例えば、ハンドル構造のための任意の受け入れグルーブがカバー９１０ａの内部にない場合、配向は異なり得る。
【０２２７】
上で示したように、考慮すべき課題は、それぞれの側部粉じん出口に対する種々のチューブ５０３の回転方向である。この出口は、概して、類似のチューブ５０３（図２８及び図２９）の出口５０３ｃに相当する。これに関して適用され得る原理は図３２Ａの参照から理解されよう。
【０２２８】
図３２Ａを参照すると、ハウジング本体９０２が概略的に示されている。前述のように、ハウジング本体は、（空気の流れの方向に対する）水平長断面寸法Ｈと、これに直角な垂直短断面寸法（Ｖ）と、を有する。典型的には、垂直（短）断面寸法Ｖに対する水平（長）断面寸法Ｈの比率は、少なくとも１．４以内、典型的には、少なくとも１．７、多くの場合、１．８〜３．５（境界値を含む）の範囲内であると予想される。（示されている例では、参照される垂直断面寸法Ｖは出口ポート９２６を含まないが、ハウジング９０１の漏斗部９０２ｆを含む。
【０２２９】
このようなハウジングとともに使用されるカートリッジは、典型的には、例えば、カートリッジ４３０に関して上でに記載した種類の、垂直短寸法に対する水平長寸法を持つ断面を有する。
【０２３０】
図３２Ａにおいて、概略図は、概略断面図として、カバー９０３の外部へと向かうものとされている。個々のチューブ９１１は、上アレイ９１１ｕと底部アレイ９１１ｂとに配向されるものとして示され得る。
【０２３１】
種々の矢印９２０は、それぞれの関連するチューブ９１１の好ましい一般的な粉じん出口方向を示すものである。
【０２３２】
チューブ９２１を参照すると、例えば、出口チューブは、側部汚染物質排除スロットが右に向けられており、配向された視点において、ベーン構造からのサイクロン流が時計回り方向であるように配向されている。これは、特定のチューブ９２１において、排出された汚染物質の流れを、矢印９２０の方向に導く、すなわち、下方向及びハウジング底部の中心に向かって誘導する傾向がある。
【０２３３】
概して、図３２Ａの概略図から、汚染物質出口の配向における、種々のチューブ９１１の配向に関する原理を理解することができる。一般的に、この配置は、チューブ９２１の少なくとも１つの直線行を有するものとして示され得る。この行は、少なくとも１つの左端部チューブ９２４と、少なくとも１つの右端部チューブ９２３と、少なくとも１つの中心チューブ９２２と、を有するものとして特徴付けることができる。
【０２３４】
各中心チューブ９２２は、イジェクタスロット（上で記載したスロット５０３ｃに相当する）が、右へと配向され又は向けられ（右の方向において中央に位置決めされ）、汚染排出物をチューブ９２２から下方に導くように配向されている。その一方で、左端部チューブ９２４は、概して、排出スロット５０３ａがチューブ９２２のスロットに対して少なくとも５°、典型的には、５〜４０°の範囲内の量時計回りに回転した状態で配向されている。これは、矢印によって示されるように、下方と右方の両方の排出を生じさせる傾向がある。右端部チューブ９２３は、排出スロットが中心チューブのスロットから少なくとも５°、典型的には、５〜４０°（境界値を含む）の範囲内の量時計回りに回転した状態で示されている。そのため、排出矢印によって示されるように、右チューブ９２３からの粉じんの排出は略下方及び左方である。
【０２３５】
当然、記載されている回転は、アクセスカバーから内側へと見た場合のサイクロン流が略時計回り方向の場合のものである。ベーン構造が反時計回り用に構成されている場合、スロットの別の位置を有する別の形態も可能である。
【０２３６】
更に図３２Ａを参照すると、左端部チューブ９２４はアクセスカバーから内側へと見た場合の断面寸法の左側１／３（Ａ）内にあり、少なくとも１つの中心チューブ９２２は、アクセスカバーに向かって見た場合の、水平アクセス（ｈｏｒｉｚｏｎｔａｌ  ａｃｃｅｓｓ）に沿ってとった場合のハウジング断面の中央１／３（Ｂ）内にあり、一番右側から参照符号９２３までは、水平断面寸法に沿ってとったハウジングの右側１／３（Ｃ）内にあることに留意されたい。これは典型的なものである。このことは、しかしながら、中心部内のどのチューブも真下に向けられる以外の角度を成すことができないことを意味するものではない。実際、変形形態は可能であり得るが、記載した特定の描写が有用な例である。
【０２３７】
アセンブリ９００の他の特徴は、概して、示される形状に適応させた、本明細書中に上で記載した記載及び特徴に従うものであってもよい。
【０２３８】
Ｃ．ハウジング本体に対するフィルタカートリッジの割り出し
フィルタカートリッジは、ハウジング本体内に、ハウジング本体に対する１つ以上の回転方向において配置可能であるように構成され得る。示されている種類のカートリッジでは（例えば、カートリッジが長断面アクセス（ｌｏｎｇ  ｃｒｏｓｓ−ｓｅｃｔｉｏｎａｌ  ａｃｃｅｓｓ）と短断面アクセス（ｓｈｏｒｔ  ｃｒｏｓｓ−ｓｅｃｔｉｏｎａｌ  ａｃｃｅｓｓ）とを有する図１５を参照）、カートリッジは、１つのみの適切な回転方向において配置されるように構成され得る、又は２つの回転方向において適切に配置可能であるように構成され得る。カートリッジとハウジングとの間に割り出し構造を用いて、所望され得るように、１つの回転方向又は２つの回転方向のいずれかに適応させることができる。このような例示的な割り出し構造は、カートリッジが１つの選択した回転方向にある場合、プレクリーナのインナチューブシート内の受け入れグルーブを、カートリッジ上のハンドル構造のみを受け入れるように位置決め及び成形することによるものであり得る。これは、相互作用部材の位置又は形状（又はこの両方）によって行うことができる。
【０２３９】
Ｄ．アクセスカバーがプレクリーナを含まない例示的な（任意の）構成、図３３〜図３３Ａ
上で示したように、プレクリーナ４１０をエアクリーナアセンブリ４００の一部として使用することは任意である。いくつかのシステムでは、本明細書中に記載される選択的特徴を、プレクリーナをアクセスカバーの一部として含まないエアクリーナにおいて使用することが望ましい場合がある。これに該当する場合、プレクリーナはエアクリーナアセンブリ４００とは別個の機器の一部であってもよい、又はプレクリーナはプレクリーナを有しないシステムにおいて使用されてもよい。
【０２４０】
このような原理を種々の形状のハウジングに適用することができる。種々の形状のハウジングには、長軸又は使用のために配置されたときに垂直に向けられる軸を有するもの、及び長軸を有して配向される若しくは使用のために配置されたときに水平に向けられるものを含む。本明細書では、図３３〜図３３Ａに、１つの長断面軸と、１つの短断面軸とを有し、使用時、長断面軸は垂直に向けられているハウジングの例示的な原理が示されている。当然、使用時、長軸が水平に向けられる類似の原理を適用することもできる。
【０２４１】
図３３〜図３３Ａには、プレクリーナをアクセスカバーの一部として有しないエアクリーナアセンブリ１０００を示す。図３３に、エアクリーナアセンブリ１０００を示す。エアクリーナアセンブリ１０００はハウジング１００１を含み、ハウジング１００１は、ハウジング本体１００２とアクセスカバー１００３とを含む。ハウジング本体１００２は、概して、汚染物質排出部ポートをその中に含まないこと以外は上で記載したような特徴を有してもよい。したがって、ハウジング本体は、アクセスカバー端部１００２ｅと、（空気の流れる方向に）対向する出口構造１００３と、を含む。入口流はアクセスカバー１００３を通ることができるが、示されている例では、ハウジング本体１００６内の、セクション１００６ｂ内の参照符号１００６ａに、空気流入口１００６が示されていることに留意されたい。空気流入口１００６は特に（任意選択的に）上向きに示され、使用時、上向きになるハウジング本体１００２の側部１００２ａを貫通する。取り付けは取付パッド１０１４による。
【０２４２】
アクセスカバー１００３は、ラッチ１０１９によって適所に固定されて示されている。
【０２４３】
図３３Ａに、アセンブリ１０００（図３３）の選択した特徴の分解組立概略図を示す。ここでは、ハウジング本体１００２は開端部１００２ｅを有するものとして示され得る。使用時、開端部１００２ｅ上に、アクセスカバー１００３が着脱可能に取り付けられる。隣接するアクセスカバー端部１００２ｅには、側部入口１００６が設けられている。
【０２４４】
アクセスカバー１００３を参照すると、アクセスカバー１００３は、圧力フランジ１０１１の終端まで軸方向内側に延びる内部周囲壁１０１０を有するものとして示され、内部壁１０１０には、任意選択的に、リブ４６６（図２７）に類似するリブが設けられてもよい。
【０２４５】
アクセスカバーは外部フランジ１０１２も含む。外部フランジ１０１２は、使用時、本体１００２の端部１００２ｅに係合する。
【０２４６】
図３３Ａに、内部壁１０１０がその中に、空気流れ孔１０１５を含むことが示され得る。空気流れ孔１０１５は、入口１００６の空気の流れをハウジングに入れ、カートリッジ１０２０に係合させるためのものである。カートリッジ１０２０は、メインフィルタカートリッジについて本明細書中で全般的に記載したようなものであってもよい。所望であれば、アセンブリ内に更に配置される安全機構を使用してもよい。
【０２４７】
一般に、孔１０１５が適切に方向付けられたハウジング本体のみにアクセスカバー１００３を取り付けることができるようにアクセスカバー１００３を割り出すことが望まれる。これを実現するために、リム１０１２はその中に、参照符号１０２５で示される凹部を有し、凹部はハウジング本体１００２上の突起１０２６に係合するように割り出されている。
【０２４８】
より一般的には、アクセスカバーが施されたハウジング本体突起／レシーバ回転構造を用いて、選択した回転割り出しを、アクセスカバーと本体との間に提供することができる。突起／レシーバ構造は、一方に突起、他方にレシーバを含んでもよい。示されている例では、突起はハウジング本体にあり、レシーバはアクセスカバーにある。別の形態も可能である。
【０２４９】
アクセスカバー１００３に、カートリッジ１０２０に向かう空気の流れの向きを変えることを補助するためのランプ構造を含む種々の特徴を設けることができる。所望であれば、ハウジング内の特徴、あらゆる任意の安全機構内のカートリッジは、概して、他の実施形態について本明細書に上で記載したものに従うものであってもよい。
【０２５０】
Ｖ．いくつかの選択した任意のフィルタカートリッジ特徴、組み立ての方法、図３４〜図３６
一般的に、メインフィルタカートリッジは、２０１３年６月２８日に出願の米国特許出願第６１／８４１，００５号明細書、及び２０１４年６月２７日に出願の国際出願ＰＣＴ／ＵＳ２０１４／０４４７１２号明細書（これらのそれぞれは参照により本明細書中に組み込まれる）に記載されている原理に従い構成してもよい。例示的なフィルタカートリッジ及びその特徴を図３４〜図３６Ａに示す。
【０２５１】
まず図３４を参照すると、このようなカートリッジ４３０が示されている。図１５も参照のこと。カートリッジ４３０は、本明細書で特徴付けられるエアクリーナアセンブリのいずれかにおいて使用してもよい。概して、カートリッジ４３０は、任意の（好適な）外部シェル４８０と、中心ブリッジ４７６を有する任意のハンドル構造４７５と、周囲ハウジングシール構造４６５と、を含む。
【０２５２】
示されている特定のカートリッジ４３０は、出口側端部４３２を出る直流フローを有する、入口側端部４３１への空気流用に構成されている。内部に受け入れられた媒体（図示せず）は、概して、本明細書中に記載される媒体特性に従うものであり得る。
【０２５３】
更に図３４を参照すると、シール構造はその上に、傾斜軸方向シール表面４７０を含み、傾斜軸方向シール表面４７０は、スチール表面４７０の隣接する部分から遠ざかり、出口側端部４６２に向かって方向付けられた少なくとも１つの突起部材４７０ｘを有するものとして示されていることに留意されたい。示されている例では、カートリッジの側部に向かって見た場合、２つの離間した突起セクション４７０ｘ、４７０ｙが、それらの間の凹部４７０ｚによって分離されて示されている。各突起セクション４７０ｘ、４７０ｙは、典型的には、少なくとも１ｍｍ、通常、少なくとも２ｍｍ（最大）突出している。
【０２５４】
一般的に、カートリッジが、２つの対向辺と２つの湾曲端部とを有することを特徴とする種類の楕円形状を有する場合、少なくとも１つの突起部材４７０ｘ、４７０ｙは、直線の辺の１つと位置合わせされている（すなわち、重なっている）。典型的には、２つの対向する直線の辺のそれぞれに重なっている突起構造がある。
【０２５５】
ハウジングシール構造４６５は外部周囲表面４６８を含む。外部周囲表面４６８は、媒体パックとカートリッジとの周りに延びる周辺表面を含む。この周辺表面４６８は傾斜していてもよい。示されている例では、周辺表面４６８はその中に凹部構造４６８ｒを含み、凹部構造４６８ｒは、表面４６８の隣接する部分から径方向内側に凹設された表面４６８の一部分を含む。示されている例では、凹部分４６８ｒは少なくとも０．５ｍｍ内側に（最大に）凹設されている。
【０２５６】
示されている例では、凹設部分それ自体４６８ｒに、更に線４６８ｘで示される起伏を有する傾斜が付けられていてもよく、最大凹設部分４６８ｙと、より小さな凹設部分４６８ｚと、を生じる。別の形態も可能である。例示的な線４６８ｘは、２つの湾曲セクションを含み、１つが各突起４７０ｘ、４７０ｙとの位置合わせ部分にわたって延びる。
【０２５７】
一般的に、典型的には、シール表面４７０内の各突起４７０ｘ、４７０ｙは、凹部４６８ｒと位置合わせされて（すなわち、凹部４６８ｒと同じ位置に）配置されている。
【０２５８】
ここで、図３５に注目されたい。ここでは、カートリッジ４３０の分解図を示す。媒体パック４６０はシェル４８０の下に示されている。しかしながら、典型的な組み立てでは、媒体パック４６０はシェル端部４８０ｉに挿入される。この理由は以下の記載から明らかになろう。シェル４８０はその上に端部リム又はフランジ４８０ｘを有するものとして示され得る。示されている特定のフランジ４８０ｘはその中を通る複数の樹脂流孔であるが、別の形態も可能である。示されているフランジ４８０ｘは連続的であるが、フランジ４８０ｘは、所望であれば、複数の空間突起（ｓｐａｃｅ  ｐｒｏｊｅｃｔｉｏｎｓ）を含み得る。
【０２５９】
シール構造４６５はモールディングとして示されている。典型的には、シール構造４６５は、シェル４８０の内部に配置された媒体パック４６０と、適所に配置されたハンドル構造４７５とに現場成形される。その結果、シール構造４６５にはその中にフランジ４８０ｘと、また、ハンドル構造の外部周囲リム４７５ｒとが埋設される。更に、モールディング４６５は、概して、媒体パック４６０の媒体に直接係合する又は接触するように作製されている。
【０２６０】
図３６に、第２の分解図を提供する。ここでは、グリッド構造４８２が出口側端部４８１にわたって延びているシェル４８０の出口側端部４８１を示す。これにより、組み立て時、媒体パック４６０の位置決めを補助する。
【０２６１】
更に図３６を参照すると、軸方向シール表面４７０が示されており、軸方向シール表面４７０はその上に突起を有し、突起は、中心軸の周りの回転に対して対称を保つことに留意されたい。これら突起の１つは、上で記載した突起構造にほぼ類似する突起構造４７０ｐである。第２の突起は異なる形状の突起構造４７０ｑである。本体内の密閉シェルフ４９０は突起４７０ｐ、４７０ｑのそれぞれに係合するように構成されており、カートリッジ４３０を１つの回転方向にのみ取り付けることができることは明らかであろう。
【０２６２】
上記の図２３に関して示したように、いくつかの例では、フィルタカートリッジがその上に安全カートリッジ圧力フランジを含むことが望ましい。この例は図２３に関して上述しており、特定の例を図３６Ａに関して示す。
【０２６３】
図３６Ａを参照すると、安全要素圧力フランジ５６０をその上に有するシェル４８０が示されている。安全要素圧力フランジ５６０は、出口側端部４８０ｏに、シェル４８０の外部リム又は端部４８０ｒから径方向内側に配置されている。示されている圧力フランジ５６０は、取り付けのために、フランジ又はシェルフ４８０ｆ上に配置されている。別の形態も可能である。特定のフランジ４８０ｆは媒体パック４６０の端部からグリッド構造４８２によって離間している。この間隔により、フランジ４８０ｆに隣接する媒体パックを塞ぐことを防止する。別の形態も可能である。フランジ４８０ｆは中に流れ空間を有するグリッド構造として構成され得る。しかしながら、概して、突起５６０の径方向外側の領域は流れのために機能していない。
【０２６４】
ＶＩ．他の特徴及び知見
ここでは、エアクリーナアセンブリ及び構成要素で使用可能な一般的な特徴を記載する。これらは、他の特徴から独立して、又は所与の用途にとって望ましいと考えられる他の特徴とともに使用してもよい。概して、本開示に従い：
１．ハウジング本体と、アクセスカバーと、を含むハウジングであって、ハウジング本体は、開放保守アクセス端部と、開放保守アクセス端部から凹設されたメインフィルタカートリッジ密閉シェルフと、を有し、アクセスカバーは、複数のフローセパレータチューブを含むフローセパレータチューブ構造を含むプレクリーナアセンブリを含んでおり、アクセスカバーはハウジング本体上の、保守アクセス端部上に着脱可能に取り付けられており、フローセパレータチューブ構造は、ハウジング本体によって囲まれた位置までハウジング本体内に突出しており、ハウジングは、空気流入口構造と、空気流出口構造と、汚染物質排出ポート構造と、を含む、ハウジングと、ハウジング本体内に着脱可能に配置されたメインフィルタカートリッジであって、メインフィルタカートリッジは、入口側端部と、対向する出口側端部と、を有する媒体パックと、周囲ピンチシールを含むハウジングシール構造であって、周囲ピンチシールは、メインカートリッジ密閉シェルフに対し密閉的に付勢されて着脱可能に配置されている、ハウジングシール構造と、を含む、メインフィルタカートリッジと、を含む、エアクリーナアセンブリ。
【０２６５】
２．アクセスカバーはアクセスカバー上に内部周囲内壁を含み、内部周囲内壁は、複数のフローセパレータチューブを取り囲み且つ複数のフローセパレータチューブから離間するとともに、ハウジング本体内に突出しており、アクセスカバーの内部周囲内壁は、内部周囲内壁内にプレクリーナ排気孔配置を有する、特性１に記載のエアクリーナアセンブリ。
【０２６６】
３．ハウジング本体は、開放保守アクセス端部に隣接する位置において、第１の長断面寸法と、第２の短断面寸法であって、第２の短断面寸法は、第１の長断面寸法の半分の位置において、第１の長断面寸法に垂直に、第１の長断面寸法に垂直にとった寸法である、第２の短断面寸法と、を有する内部を有する、特性１及び２のいずれか１つに記載のエアクリーナアセンブリ。
【０２６７】
４．第２の短断面寸法に対する第１の長断面寸法の比率が少なくとも１．４である、特性３に記載のエアクリーナアセンブリ。
【０２６８】
５．第２の短断面寸法に対する第１の長断面寸法の比率が少なくとも１．７である、特性３及び４のいずれか１つに記載のエアクリーナアセンブリ。
【０２６９】
６．第２の短断面寸法に対する第１の長断面寸法の比率が１．８〜３．５（境界値を含む）の範囲内である、特性３〜５のいずれか１つに記載のエアクリーナアセンブリ。
【０２７０】
７．ハウジング内の汚染物質排出ポート構造はチューブを含み、チューブは、ハウジングの残りの部分から離れる方に、第１の長断面寸法の延びる方向とほぼ一致する方向に向けられている、特性３〜６のいずれか１つに記載のエアクリーナアセンブリ。
【０２７１】
８．フローセパレータチューブ構造は、少なくとも、フローセパレータチューブの第１及び第２の離間した直線行を含み、第１及び第２の離間した直線行はそれぞれ、ハウジング本体内部の第１の長断面寸法の延びる方向に一致する方向に延びており、使用時、アクセスカバーの外側に面しているとき、フローセパレータチューブの第１の直線行は左垂直行であり、第１の直線行内に、使用時、第１の直線行から左側に汚染物質排出物を導くようにそれぞれ構成され且つ配向された個々のフローセパレータチューブを有し、使用時、アクセスカバーの外側に面しているとき、フローセパレータチューブの第２の直線行は右垂直行であり、第２の直線行内に、使用時、第２の直線行から右側に汚染物質排出物を導くようにそれぞれ構成され且つ配向された個々のフローセパレータチューブを有する、特性７に記載のエアクリーナアセンブリ。
【０２７２】
９．各フローセパレータチューブは外部入口チューブを含み、外部入口チューブは側部汚染物質排出スロットを有しており、フローセパレータチューブの第１の直線行内の各フローセパレータチューブの各外部入口チューブは、側部汚染物質排出スロットが第１の方向に面している状態で回転可能に配向されており、フローセパレータチューブの第２の直線行内の各フローセパレータチューブの各外部入口チューブは側部汚染物質排出スロットが第２の方向に面している状態で回転可能に配向されており、第２の方向は第１の方向の反対側である、特性８に記載のエアクリーナアセンブリ。
【０２７３】
１０．フローセパレータチューブの第１の直線行内の各フローセパレータチューブ内の各外部入口チューブは各外部入口チューブ内に入口ベーン構造を有し、入口ベーン構造は、チューブを通過する流れを、アクセスカバーの外側に向かって見た場合、第１のサイクロン方向に導くように構成されており、フローセパレータチューブの第２の直線行内の各フローセパレータチューブ内の各外部入口チューブは各外部入口チューブ内に入口ベーン構造を有し、入口ベーン構造は、チューブを通過する流れを、アクセスカバーの外側に向かって見た場合、第１のサイクロン方向に導くように構成されている、特性９に記載のエアクリーナアセンブリ。
【０２７４】
１１．フローセパレータチューブの第１の直線行内の各側部ダストイジェクタスロットは、汚染物質排出ポート構造を有するハウジング本体の底部に向かって下方に面しており、フローセパレータチューブの第２の直線行内の各側部ダストイジェクタスロットは、ハウジング本体の上端部に向かって且つ汚染物質排出ポート構造を有する底部とは反対側に、上方に向けられている、特性９及び１０のいずれか１つに記載のエアクリーナアセンブリ。
【０２７５】
１２．各フローセパレータチューブ内の各側部汚染物質排除スロットは、対応する入口チューブの側壁部内に、１７０°〜１９０°（境界値を含む）の範囲内の円弧範囲角度にわたって延びる、特性９〜１１のいずれか１つに記載のエアクリーナアセンブリ。
【０２７６】
１３．ハウジング内の汚染物質排出ポート構造は、第２の短断面寸法がほぼ延びる方向に向けられて配向されたチューブを含む、特性３〜６のいずれか１つに記載のエアクリーナアセンブリ。
【０２７７】
１４．フローセパレータチューブ構造は、フローセパレータチューブの少なくとも第１の直線行を含み、第１の直線行は、第１の長断面寸法の延びる方向に沿って配向されており、フローセパレータチューブの第１の行は、少なくとも、第１の左側端部フローセパレータチューブと、第１の右側端部フローセパレータチューブと、フローセパレータチューブの第１の直線行内の、第１の左側端部フローセパレータチューブと第１の右側端部フローセパレータチューブとの間の位置に配置された第１の中央セパレータチューブと、を含み、使用時、第１の中央フローセパレータチューブは第１の中央フローセパレータチューブから略下方向に汚染物質を排出するように構成され且つ配向されており、使用時、アクセスカバーの外側に向かって見た場合、第１の左側端部フローセパレータチューブは第１の左側端部フローセパレータチューブから一部下方向に及び一部右方に汚染物質を排出するように構成され且つ配向されており、使用時、アクセスカバーの外側に向かって見た場合、第１の右側端部フローセパレータチューブは第１の右側端部フローセパレータチューブから一部下方向に及び一部左方に汚染物質を排出するように構成され且つ配向されている、特性１３に記載のエアクリーナアセンブリ。
【０２７８】
１５．アクセスカバーの外側に向かって見た場合、第１の左側端部フローセパレータチューブは、ハウジング本体の入口側端部の水平伸張範囲の左側３分の１に位置合わせされて配置されており、アクセスカバーの外側に向かって見た場合、第１の右側端部フローセパレータチューブは、ハウジング本体の入口側端部の水平伸張範囲の右側３分の１に位置合わせされて配置されており、アクセスカバーの外側に向かって見た場合、第１の中央フローセパレータチューブは、ハウジング本体の入口側端部の水平伸張範囲の中央の３分の１に配置されている、特性１４に記載のエアクリーナアセンブリ。
【０２７９】
１６．フローセパレータチューブの第１の直線行内の各フローセパレータチューブは、側部汚染物質排出スロットを備えた入口チューブを有し、第１の中央フローセパレータチューブの入口チューブの側部汚染物質排出スロットは、フローセパレータチューブの第１の直線行の延びる方向に一致する第１の方向に面しており、第１の左側端部フローセパレータチューブの入口チューブの側部汚染物質排出スロットは、アクセスカバーの外側に向かって見た場合、第１の中央セパレータチューブの入口チューブの側部汚染物質排出スロットに面した第１の方向から５°〜４０°の範囲内の量反時計回りに回転した方向に面しており、第１の右側端部フローセパレータチューブの入口チューブの汚染物質排出スロットは、アクセスカバーの外側に向かって見た場合、第１の中央セパレータチューブの入口チューブの側部ダスト排出スロットに面する第１の方向から５°〜４０°の範囲内の量時計回りに回転した方向に向けられている、特性１４〜１５のいずれか１つに記載のエアクリーナアセンブリ。
【０２８０】
１７．各側部汚染物質排出スロットは、対応する入口チューブの側壁部に沿って１７０°〜１９０°（境界値を含む）の範囲内の円弧角にわたり延びる、特性１６に記載のエアクリーナアセンブリ。
【０２８１】
１８．ハウジング本体は、保守アクセス端部に隣接する漏斗底部セクションを含み、排出部チューブは漏斗底部セクションの最下部に向けられている、特性１３〜１７のいずれか１つに記載のエアクリーナアセンブリ。
【０２８２】
１９．漏斗底部セクションは保守アクセス端部に向かって軸方向伸張方向において下方向に階段状になっている、特性１８に記載のエアクリーナアセンブリ。
【０２８３】
２０．プレクリーナアセンブリは内カバーを含み、内カバーは、プレクリーナアセンブリ内の空気の流れる方向にわたって延びる空気流出口チューブシートを含み、空気流出口チューブシートは空気流出口チューブシート上にアクセスカバー対メインフィルタカートリッジ突起／レシーバ構造の第１の部材を含み、メインフィルタカートリッジはメインフィルタカートリッジ上にアクセスカバー対メインフィルタカートリッジ突起／レシーバ構造の第２の部材を含み、アクセスカバー対メインフィルタカートリッジ突起／レシーバ構造の第１の部材と第２の部材とは、メインフィルタカートリッジの媒体パックの入口側端部と軸方向に重なる位置において係合するように構成されている、特性１〜１９のいずれか１つに記載のエアクリーナアセンブリ。
【０２８４】
２１．アクセスカバー対メインフィルタカートリッジ突起／レシーバ構造の第２の部材は、メインフィルタカートリッジ上のハンドル部材を含む、特性２０に記載のエアクリーナアセンブリ。
【０２８５】
２２．アクセスカバー対メインフィルタカートリッジ突起／レシーバ構造の第１の部材は、空気流出口チューブシート内のメインカートリッジハンドル受け入れ凹部を含む、特性２１に記載のエアクリーナアセンブリ。
【０２８６】
２３．メインカートリッジハンドル受け入れ凹部は、その長さに対して狭い幅を有するグルーブである、特性２０〜２１のいずれか１つに記載のエアクリーナアセンブリ。
【０２８７】
２４．メインカートリッジハンドル受け入れ凹部は、最深位置において、０．５〜１．５（境界値を含む）の範囲内の最大深さ対最大狭幅比率を有する、特性２２及び２３のいずれか１つに記載のエアクリーナアセンブリ。
【０２８８】
２５．メインカートリッジハンドル受け入れ凹部は、最深位置において、０．７５〜１．２５（境界値を含む）の範囲内の最大深さ対狭幅比率を有する、特性２２〜２４のいずれか１つに記載のエアクリーナアセンブリ。
【０２８９】
２６．ハウジング本体は、開放保守アクセス端部に隣接する位置において、第１の長断面寸法と、第２の短断面寸法であって、第２の短断面寸法は、第１の長断面寸法の半分の位置において、第１の長断面寸法に垂直に、第１の長断面寸法に垂直にとった寸法である、第２の短断面寸法と、を有する内部を有し、アクセスカバー対メインフィルタカートリッジ突起／レシーバ構造の第１の部材は、第１の長断面寸法に略平行に延びる空気流出口チューブシート内のレシーバグルーブを含む、特性２０〜２３のいずれか１つに記載のエアクリーナアセンブリ。
【０２９０】
２７．アクセスカバー対メインフィルタカートリッジ突起／レシーバ構造の第１の部材は、第１の長断面寸法と同一線上に延びる空気流出口チューブシート内のレシーバグルーブを含む、特性２６に記載のエアクリーナアセンブリ。
【０２９１】
２８．アクセスカバー対メインフィルタカートリッジ突起／レシーバ構造の第１の部材は、第２の短断面寸法の中心点に交差し且つ中心点上で中央に位置合わせされたレシーバグルーブを含む、特性２６及び２７のいずれか１つに記載のエアクリーナアセンブリ。
【０２９２】
２９．アクセスカバー対メインフィルタカートリッジ突起／レシーバ構造の第１の部材は、第２の短断面寸法の中心点からずれた位置において第２の短断面寸法に交差するレシーバグルーブを含む、特性２６及び２７のいずれか１つに記載のエアクリーナアセンブリ。
【０２９３】
３０．アクセスカバー対メインフィルタカートリッジ突起／レシーバ構造の第１の部材は、フィルタカートリッジがハウジング本体内において１つの選択された回転方向にあるときのみにアクセスカバー対メインフィルタカートリッジ突起／レシーバ構造の第２の部材に完全に係合するように構成されている、特性２０〜２９のいずれか１つに記載のエアクリーナアセンブリ。
【０２９４】
３１．アクセスカバー対メインフィルタカートリッジ突起／レシーバ構造の第１の部材は、フィルタカートリッジがハウジング本体内において２つの選択された回転方向のいずれか１つにあるときにアクセスカバー対メインフィルタカートリッジ突起／レシーバ構造の第２の部材に完全に係合するように構成されている、特性２０〜２９のいずれか１つに記載のエアクリーナアセンブリ。
【０２９５】
３２．プレクリーナは、外カバーと内カバーとを含み、外カバーと内カバーとは、互いに固定された、別個に形成された部品である、特性１〜３１のいずれか１つに記載のエアクリーナアセンブリ。
【０２９６】
３３．外カバーと内カバーとは互いに着脱可能に固定されている、特性３２に記載のエアクリーナアセンブリ。
【０２９７】
３４．内カバーは周囲壁セクションを含み、周囲壁セクションは周囲壁セクション上にプレクリーナスナップフィット突起／レシーバ接続構造の第１の部材を有し、外カバーは周囲壁セクションを含み、周囲壁セクションは周囲壁セクション上にプレクリーナスナップフィット突起／レシーバ接続構造の第２の部材を有し、プレクリーナスナップフィット突起／レシーバ接続構造は内カバーと外カバーとをともに固定している、特性３２〜３３のいずれか１つに記載のエアクリーナアセンブリ。
【０２９８】
３５．スナップフィット突起／レシーバ構造の第１の部材は複数のばね突起部材を含み、スナップフィット突起／レシーバ構造の第２の部材は複数のレシーバを含む、特性３４に記載のエアクリーナアセンブリ。
【０２９９】
３６．アクセスカバーはアクセスカバー上に内部周囲内壁を含み、内部周囲内壁は、複数のフローセパレータチューブを取り囲み且つ複数のフローセパレータチューブから離間するとともに、ハウジング本体内に突出しており、内部周囲内壁は外部表面を有し、外部表面は外部表面上に、複数の離間した径方向に突出している軸方向のリブを含む、特性１〜３５のいずれか１つに記載のエアクリーナアセンブリ。
【０３００】
３７．アクセスカバーの内部周囲内壁はアクセスカバーの内部周囲内壁内にプレクリーナ汚染物質排除流孔を含み、アクセスカバーは、プレクリーナ汚染物質排除流孔の周りに延びる径方向封じ込め突起を含む、特性３０に記載のエアクリーナアセンブリ。
【０３０１】
３８．プレクリーナは、外カバーと内カバーとを含み、外カバーと内カバーとは別個に形成され、互いに固定されており、アクセスカバーの内部周囲壁はアクセスカバーの内部周囲壁内にプレクリーナ排除流孔を有し、プレクリーナ排除流孔は、内カバーの外周壁の少なくとも一部分を含む、特性３７に記載のエアクリーナアセンブリ。
【０３０２】
３９．径方向封じ込め突起は、内カバーの外周壁から径方向外側に突出している第１部分と、外カバー上に配置された第２部分と、を含む、特性３８に記載のエアクリーナアセンブリ。
【０３０３】
４０．媒体パックは、第１の媒体パック長断面寸法と、第２の媒体パック短断面寸法と、を有し、第１の媒体パック長断面寸法は、入口側端部と対向する出口側端部との間の方向に垂直な平面内においてとった断面寸法であり、第２の媒体パック短断面寸法は、第１の媒体パック長断面寸法に沿った中間点において、且つ入口側端部と対向する出口側端部との間の方向に垂直な平面内においてとったものである、特性１〜３９のいずれか１つに記載のエアクリーナアセンブリ。
【０３０４】
４１．第２の媒体パック短断面寸法に対する第１の媒体パック長断面寸法の比率が少なくとも１．４である、特性４０に記載のエアクリーナアセンブリ。
【０３０５】
４２．第２の媒体パック短断面寸法に対する第１の媒体パック長断面寸法の比率は少なくとも１．５である、特性４０及び４１のいずれか１つに記載のエアクリーナアセンブリ。
【０３０６】
４３．第２の媒体パック短断面寸法に対する第１の媒体パック長断面寸法の比率は少なくとも１．８である、特性４０〜４２のいずれか１つに記載のエアクリーナアセンブリ。
【０３０７】
４４．第２の媒体パック短断面寸法に対する第１の媒体パック長断面寸法の比率は１．６〜３．０（境界値を含む）の範囲内である、特性４０〜４３のいずれか１つに記載のエアクリーナアセンブリ。
【０３０８】
４５．第２の媒体パック短断面寸法に対する第１の媒体パック長断面寸法の比率は２．０〜２．６（境界値を含む）の範囲内である、特性４４に記載のエアクリーナアセンブリ。
【０３０９】
４６．媒体パックは、第１端部と対向する第２端部との間の伸張範囲が少なくとも１００ｍｍの長さである、特性１〜４５のいずれか１つに記載のエアクリーナアセンブリ。
【０３１０】
４７．媒体パックは、第１端部と対向する第２端部との間の伸張範囲が少なくとも１５０ｍｍの長さである、特性１〜４６のいずれか１つに記載のエアクリーナアセンブリ。
【０３１１】
４８．媒体パックは、第１端部と対向する第２端部との間の伸張範囲が少なくとも２００ｍｍの長さである、特性１〜４７のいずれか１つに記載のエアクリーナアセンブリ。
【０３１２】
４９．媒体パックは、第１端部と対向する第２端部との間の伸張範囲が少なくとも２５０ｍｍの長さである、特性１〜４８のいずれか１つに記載のエアクリーナアセンブリ。
【０３１３】
５０．媒体パックは、第１端部と第２端部との間の方向に垂直な平面内において、少なくとも２５０ｍｍである少なくとも１つの断面寸法を有する、特性１〜４９のいずれか１つに記載のエアクリーナアセンブリ。
【０３１４】
５１．媒体パックは、第１端部と第２端部との間の方向に垂直な平面内において、少なくとも３００ｍｍである少なくとも１つの断面寸法を有する、特性１〜５０のいずれか１つに記載のエアクリーナアセンブリ。
【０３１５】
５２．媒体パックは、第１端部と第２端部との間の方向に垂直な平面内において、少なくとも３８０ｍｍである少なくとも１つの断面寸法を有する、特性１〜５１のいずれか１つに記載のエアクリーナアセンブリ。
【０３１６】
５３．媒体パックは周囲楕円形（ｐｅｒｉｍｅｔｅｒ  ｏｖａｌ  ｓｈａｐｅ）の外周を有する、特性１〜５２のいずれか１つに記載のエアクリーナアセンブリ。
【０３１７】
５４．媒体パックは、２つの対向する直線の辺と、２つの対向湾曲端部と、を有する周囲楕円形の外周を有する、特性１〜５３のいずれか１つに記載のエアクリーナアセンブリ。
【０３１８】
５５．媒体パックはコイル式媒体ストリップ配置を含む、特性１〜５４のいずれか１つに記載のエアクリーナアセンブリ。
【０３１９】
５６．コイル式媒体ストリップ配置は、第２の媒体シートに固定された第１の媒体シートのコイル式ストリップを含む、特性５５に記載のエアクリーナアセンブリ。
【０３２０】
５７．コイル式媒体ストリップ配置は、第２の媒体シートに固定されたフルート付き媒体シートのコイル式ストリップを含む、特性５５及び５６のいずれか１つに記載のエアクリーナアセンブリ。
【０３２１】
５８．メインフィルタカートリッジは外部シェルを含み、外部シェルは、媒体パックを取り囲むとともに、ハウジングシール構造から、少なくとも、ハウジングシール構造から最も遠い媒体パックの端部まで延びる、特性１〜５７のいずれか１つに記載のエアクリーナアセンブリ。
【０３２２】
５９．外部シェルは出口側端部を含み、出口側端部はハウジングシール構造から離れており、出口側端部上に媒体支持グリッドを有する、特性５８に記載のエアクリーナアセンブリ。
【０３２３】
６０．外部シェルは出口側端部を含み、出口側端部はハウジングシール構造から離れており、出口側端部上に安全フィルタカートリッジ圧力フランジを有する、特性５８〜５９のいずれか１つに記載のエアクリーナアセンブリ。
【０３２４】
６１．外部シェルは、出口側端部に外部シェル外部周囲縁部を含み、安全カートリッジ圧力フランジは外部シェル外部周囲縁部から径方向内側に離間している、特性６０に記載のエアクリーナアセンブリ。
【０３２５】
６２．安全カートリッジ圧力フランジは少なくとも１つの軸方向突起を含む、特性６０及び６１のいずれか１つに記載のエアクリーナアセンブリ。
【０３２６】
６３．安全カートリッジ圧力フランジは１つの連続的な軸方向リング状突起である、特性６０〜６２のいずれか１つに記載のエアクリーナアセンブリ。
【０３２７】
６４．メインフィルタカートリッジの外部シェルは外部シェル上に周囲径方向外側に延びる突起構造を含み、周囲径方向外側に延びる突起構造は、ハウジングシール構造の周囲ピンチシールに埋め込まれた部分を有する、特性５０〜６３のいずれか１つに記載のエアクリーナアセンブリ。
【０３２８】
６５．外部シェル上の周囲突起構造は周囲フランジを含み、周囲フランジは周囲フランジ内に複数の樹脂流孔を有する、特性６４に記載のエアクリーナアセンブリ。
【０３２９】
６６．周囲ピンチシールは、媒体パックの媒体に直に成形された弾性部分を含む、特性１〜６５のいずれか１つに記載のエアクリーナアセンブリ。
【０３３０】
６７．周囲ピンチシールは、媒体パックの出口側端部の方向に一致する方向に面して配向された周囲軸方向シール表面を含む、特性１〜６６のいずれか１つに記載のエアクリーナアセンブリ。
【０３３１】
６８．周囲軸方向シール表面は、ハウジング部分受け入れグルーブによって媒体から離間している、特性６７に記載のエアクリーナアセンブリ。
【０３３２】
６９．ハウジング本体はメインフィルタカートリッジ安定化フランジを含み、メインフィルタカートリッジ安定化フランジは、周囲軸方向シール表面と媒体パックとの間の位置までハウジング部分受け入れグルーブ内に突出している、特性６８に記載のエアクリーナアセンブリ。
【０３３３】
７０．メインフィルタカートリッジは周辺シール取付突起を含み、周辺シール取付突起は、媒体パックから径方向外側に、ハウジングシール構造内に突出している、特性６９に記載のエアクリーナアセンブリ。
【０３３４】
７１．メインフィルタカートリッジは外部シェルを含み、外部シェルは媒体パックを取り囲み、且つハウジングシール構造から、少なくとも、ハウジングシール構造から離れている媒体パックの端部まで延びており、周辺シール取付突起は、外部シェル上の径方向外側に延びるフランジである、特性７０に記載のエアクリーナアセンブリ。
【０３３５】
７２．周囲ピンチシールの周囲軸方向シール表面は傾斜表面である、特性６７〜７１のいずれか１つに記載のエアクリーナアセンブリ。
【０３３６】
７３．周囲軸方向シール表面は傾斜形状を含み、傾斜形状は傾斜形状上に、少なくとも２つの離間した軸方向突起セクションを有する、特性６６〜７２のいずれか１つに記載のエアクリーナアセンブリ。
【０３３７】
７４．周囲軸方向シール表面は楕円リング形状を有し、楕円リング形状は、２つの対向する直線の辺と、２つの対向湾曲端部と、を有する、特性６６〜７２のいずれか１つに記載のエアクリーナアセンブリ。
【０３３８】
７５．周囲軸方向シール表面は傾斜形状を有し、傾斜形状は、２つの対向する直線の辺のうち第１の辺と重なって配置された少なくとも１つの軸方向突起セクションを有する、特性７４に記載のエアクリーナアセンブリ。
【０３３９】
７６．周囲軸方向シール表面は傾斜形状を有し、傾斜形状は、２つの対向する直線の辺のうち第１の辺と重なっている少なくとも２つの離間した軸方向突起セクションを有する、特性７５に記載のエアクリーナアセンブリ。
【０３４０】
７７．周囲軸方向シール表面は傾斜形状を有し、傾斜形状は、２つの対向する直線の辺の各辺と重なって配置された少なくとも１つの軸方向突起セクションを有する、特性７５〜７６のいずれか１つに記載のエアクリーナアセンブリ。
【０３４１】
７８．周囲軸方向シール表面の各突起セクションは少なくとも３ｍｍの相対的な突起逃げを有する、特性７５〜７７のいずれか１つに記載のエアクリーナアセンブリ。
【０３４２】
７９．周囲ピンチシールは外部周囲径方向外側に向けられた表面を有し、外部周囲径方向外側に向けられた表面は少なくとも１つの凹部セクションを有する、特性１〜７８のいずれか１つに記載のエアクリーナアセンブリ。
【０３４３】
８０．周囲ピンチシールは外部周囲径方向外側に向けられた表面を有し、外部周囲径方向外側に向けられた表面は少なくとも２つの離間した凹設セクションを有する、特性１〜７９のいずれか１つに記載のエアクリーナアセンブリ。
【０３４４】
８１．外部周囲径方向外側に向けられた周囲表面は周囲形状を有し、周囲形状は２つの対向する直線の辺と、２つの対向湾曲端部と、を有する、特性７９〜８０のいずれか１つに記載のエアクリーナアセンブリ。
【０３４５】
８２．径方向に向けられた周囲表面の２つの対向する直線の辺の各辺は各辺上に少なくとも１つの凹設セクションを有する、特性８１に記載のエアクリーナアセンブリ。
【０３４６】
８３．２つの対向する辺の少なくとも１つは２つの対向する辺の少なくとも１つ内に少なくとも２つの離間した凹設セクションを有する、特性８１及び８２のいずれか１つに記載のエアクリーナアセンブリ。
【０３４７】
８４．外部周囲径方向外側に向けられた表面の凹部セクションは凹部セクション内に内部階段を含み、内部階段は上部湾曲縁部を有し、上部湾曲縁部は、媒体パックの出口側端部の方向に一致する方向に面している、特性７９〜８３のいずれか１つに記載のエアクリーナアセンブリ。
【０３４８】
８５．外部周囲径方向外側に向けられた表面の凹部セクションは内部階段を含み、内部階段は、２つの上部湾曲縁部を有して構成されており、２つの上部湾曲縁部のそれぞれは、中心に向かって、及び媒体パックの出口側端部に対応する方向に湾曲して延びている、特性８４に記載のエアクリーナアセンブリ。
【０３４９】
８６．外部周辺径方向外側に向けられた表面の各凹部セクションは、少なくとも１ｍｍの、相対的な凹部の最大深さを有する、特性８５に記載のエアクリーナアセンブリ。
【０３５０】
８７．周囲ピンチシールは、媒体パックの出口側端部の方向に一致する方向に面して配向された周囲軸方向シール表面を含み、周囲軸方向シール表面は傾斜表面であり、傾斜表面は少なくとも１つの軸方向突起セクションを有し、少なくとも１つの軸方向突起セクションは、周囲ピンチシールの外部周囲径方向外側に向けられた表面の各凹部セクションと位置合わせされて配向されている、特性７９〜８６のいずれか１つに記載のエアクリーナアセンブリ。
【０３５１】
８８．アクセスカバーはメインフィルタカートリッジ圧力フランジを含み、周囲ピンチシールはメインフィルタカートリッジ圧力フランジに係合しており、メインフィルタカートリッジ密閉シェルフを押している、特性１〜８７のいずれか１つに記載のエアクリーナアセンブリ。
【０３５２】
８９．ハウジング本体は、メインフィルタカートリッジ密閉シェルフ上の周囲軸方向リブ突起を含み、周囲軸方向リブ突起は、周囲ピンチシールに押し込まれて軸方向に方向付けられている、特性１〜８８のいずれか１つに記載のエアクリーナアセンブリ。
【０３５３】
９０．メインフィルタカートリッジ密閉シェルフ上の周囲軸方向リブ突起は、ハウジング本体の内部に延びる連続的なリブである、特性８９に記載のエアクリーナアセンブリ。
【０３５４】
９１．メインフィルタカートリッジ密閉シェルフは、開放保守アクセス端部に向かって延びる、ハウジング本体の軸方向に延びる部分と、ハウジング本体の空気流出口側端部と、の間に配置されている、特性１〜９０のいずれか１つに記載のエアクリーナアセンブリ。
【０３５５】
９２．メインフィルタカートリッジ密閉シェルフは少なくとも１つのシール突起輪郭受け入れ凹部を含む、特性１〜９１のいずれか１つに記載のエアクリーナアセンブリ。
【０３５６】
９３．メインフィルタカートリッジ密閉シェルフは少なくとも２つのシール突起輪郭受け入れ凹部を含む、特性１〜９２のいずれか１つに記載のエアクリーナアセンブリ。
【０３５７】
９４．メインエアフィルタカートリッジ密閉シェルフは周囲形状を有し、周囲形状は２つの対向する直線の辺を有し、少なくとも１つのシール突起輪郭受け入れ凹部は２つの対向する直線の辺の各辺内に配向されている、特性９３に記載のエアクリーナアセンブリ。
【０３５８】
９５．メインフィルタカートリッジ密閉シェルフの少なくとも２つのシール突起輪郭読み凹部は直線の辺の１つに配置されている、特性９２〜９４のいずれか１つに記載のエアクリーナアセンブリ。
【０３５９】
９６．メインフィルタカートリッジは、ハウジングに対しわずか２つの回転方向のいずれか１つにおいて完全に取り付けることができるように成形され且つ構成されている、特性１〜９５のいずれか１つに記載のエアクリーナアセンブリ。
【０３６０】
９７．メインフィルタカートリッジは、ハウジングに対しわずか１つの回転方向において完全に取り付けることができるように成形され且つ構成されている、特性１〜９５のいずれか１つに記載のエアクリーナアセンブリ。
【０３６１】
９８．アクセスカバーは、ハウジング本体にわずか１つの回転方向において取り付け可能であるように成形され且つ構成されている、特性１〜９７のいずれか１つに記載のエアクリーナアセンブリ。
【０３６２】
９９．アクセスカバーとハウジング本体との間に弾性ウェザーバスケットを含む、特性１〜９８のいずれか１つに記載のエアクリーナアセンブリ。
【０３６３】
１００．ハウジング本体内の、メインフィルタカートリッジと空気流出口構造との間の位置に配置された、メインフィルタカートリッジとは別個の安全フィルタカートリッジを含む、特性１〜９９のいずれか１つに記載のエアクリーナアセンブリ。
【０３６４】
１０１．安全フィルタカートリッジはプリーツ付き媒体を含む、特性１００に記載のエアクリーナアセンブリ。
【０３６５】
１０２．安全フィルタカートリッジは媒体を取り囲むフレームを含む、特性１００〜１０１のいずれか１つに記載のエアクリーナアセンブリ。
【０３６６】
１０３．安全フィルタカートリッジは安全フィルタカートリッジ上に弾性周辺安全シール部材を含む、特性１００〜１０２のいずれか１つに記載のエアクリーナアセンブリ。
【０３６７】
１０４．弾性周辺安全シール部材は軸方向に向けられたシール表面を含み、軸方向に向けられたシール表面は、メインフィルタカートリッジから離れる方に向けられて配向されている、特性１０３に記載のエアクリーナアセンブリ。
【０３６８】
１０５．ハウジングはハウジング上に安全フィルタカートリッジ密閉シェルフを含み、安全フィルタカートリッジ密閉シェルフは、安全シール部材上の軸方向に向けられたシール表面に着脱可能に密閉的に係合している、特性１０４に記載のエアクリーナアセンブリ。
【０３６９】
１０６．安全フィルタカートリッジ密閉シェルフは、安全シール部材上の軸方向に向けられたシール表面内に突出している安全カートリッジ係合リブを含む、特性１０５に記載のエアクリーナアセンブリ。
【０３７０】
１０７．安全カートリッジ係合リブは連続的な周辺リブである、特性１０５に記載のエアクリーナアセンブリ。
【０３７１】
１０８．安全フィルタカートリッジは安全フィルタカートリッジ上にハンドル構造を含み、ハンドル構造は、メインフィルタカートリッジに向かって突出している、特性１００〜１０７のいずれか１つに記載のエアクリーナアセンブリ。
【０３７２】
１０９．ハンドル構造は２つの離間したハンドル突起を含む、特性１０８に記載のエアクリーナアセンブリ。
【０３７３】
１１０．安全フィルタカートリッジは周囲形状を含み、周囲形状は、第１のより長い安全フィルタカートリッジ断面寸法と、より長い安全フィルタ断面寸法に沿った中間点における第２のより短い安全フィルタ断面寸法と、を有し、第１の断面寸法及び第２の断面寸法のそれぞれは、安全フィルタカートリッジを通る空気が流れる方向に垂直な平面内にある、特性１０９に記載のエアクリーナアセンブリ。
【０３７４】
１１１．ハンドル構造は２つの長尺状の離間した突起を含み、２つの長尺状の離間した突起はそれぞれ、ほぼ、第１のより長い安全フィルタ断面寸法の方向に延びる、特性１１０に記載のエアクリーナアセンブリ。
【０３７５】
１１２．安全フィルタカートリッジはフレームによって囲まれた媒体を含み、安全フィルタカートリッジは安全フィルタカートリッジ上に弾性構造を含み、弾性構造は、フレームとハウジング本体の周囲部分との間に配置されており、且つハウジング本体の周囲部分に対し径方向に圧縮されている、特性１００〜１１１のいずれか１つに記載のエアクリーナアセンブリ。
【０３７６】
１１３．弾性構造は複数の軸方向突起を含む、特性１１２に記載のエアクリーナアセンブリ。
【０３７７】
１１４．安全フィルタカートリッジは現場成形安全フィルタ軸方向ピンチシールを含み、弾性構造は、安全フィルタ軸方向ピンチシールと一体成形された複数の突起を含む、特性１１３に記載のエアクリーナアセンブリ。
【０３７８】
１１５．フローセパレータチューブ構造は、ハウジング本体内に少なくとも４０ｍｍ突出するように構成されている、特性１〜１１４のいずれか１つに記載のエアクリーナアセンブリ。
【０３７９】
１１６．フローセパレータチューブ構造は、ハウジング本体内に少なくとも６０ｍｍ突出するように構成されている、特性１〜１１５のいずれか１つに記載のエアクリーナアセンブリ。
【０３８０】
１１７．フローセパレータチューブ構造は、ハウジング本体内に少なくとも８０ｍｍ突出するように構成されている、特性１〜１１６のいずれか１つに記載のエアクリーナアセンブリ。
【０３８１】
１１８．ハウジング本体と、アクセスカバーと、空気流入口構造と、空気流出口構造と、を含むハウジングであって、ハウジング本体は、開放保守アクセス端部と；空気流出口と；保守アクセス端部から凹設されたメインフィルタカートリッジ密閉シェルフと；保守アクセス端部から凹設された安全フィルタカートリッジ密閉シェルフであって、メインフィルタカートリッジ受け入れシェルフは、保守アクセス端部と安全フィルタカートリッジ密閉シェルフとの間に配置されている、安全フィルタカートリッジ密閉シェルフと、を有し、アクセスカバーは内部突起を含み、内部突起は、ハウジング本体によって囲まれた位置までハウジング本体内に突出している周囲リムを有する、ハウジングと、ハウジング本体内に着脱可能に配置されたメインフィルタカートリッジであって、メインフィルタカートリッジは、入口側端部と、対向する出口側端部と、を有する媒体パックと、周囲ピンチシールを含むハウジングシール構造であって、周囲ピンチシールは、アクセスカバー上の内部突起によってメインカートリッジ密閉シェルフに対し付勢されて配置されている、ハウジングシール構造と、を含む、メインフィルタカートリッジと、メインフィルタカートリッジとは別個の安全フィルタカートリッジであって、メインフィルタカートリッジによって安全フィルタカートリッジ密閉シェルフに対し着脱可能に付勢された周囲シールを有する安全フィルタカートリッジと、を含む、エアクリーナアセンブリ。
【０３８２】
１１９．内部周囲リムは、少なくとも５０ｍｍの軸方向距離にわたって延びる、特性１１８に記載のエアクリーナアセンブリ。
【０３８３】
１２０．内部周囲リムは内部周囲リム内に側部空気流孔構造を含む、特性１１８〜１１９のいずれか１つに記載のエアクリーナアセンブリ。
【０３８４】
１２１．内部突起は外部表面を有し、外部表面は外部表面上に、複数の離間した軸方向に延びる突起リブを有する、特性１１８〜１２０のいずれか１つに記載のエアクリーナアセンブリ。
【０３８５】
１２２．空気流入口と空気流出口とを含むハウジングであって、ハウジングはハウジング本体とアクセスカバーとを含み、ハウジング本体は、開放保守アクセス端部と、空気流出口と、保守アクセス端部から凹設されたメインフィルタカートリッジ密閉シェルフと、を有し、アクセスカバーは内部突起を含み、内部突起は、ハウジング本体によって囲まれた位置までハウジング本体内に突出している周囲リムを有し、内部周囲リムは、少なくとも５０ｍｍの軸方向距離にわたって延びており、内部周囲リムは内部周囲リム内に側部空気流孔構造を含み、内部突起は外部表面を有し、外部表面は外部表面上に、複数の離間した軸方向に延びる突起リブを有する、ハウジングを含むエアクリーナアセンブリ。
【０３８６】
１２３．ハウジング本体は、開放保守アクセス端部に隣接する位置において、第１の長断面寸法と、第２の短断面寸法であって、第２の短断面寸法は、第１の長断面寸法の半分の位置において、第１の長断面寸法に垂直に、第１の長断面寸法に垂直にとった寸法である、第２の短断面寸法と、を有する内部を有する、特性１１８〜１２２のいずれか１つに記載のエアクリーナアセンブリ。
【０３８７】
１２４．第２の短断面寸法に対する第１の長断面寸法の比率が少なくとも１．４である、特性１２３に記載のエアクリーナアセンブリ。
【０３８８】
１２５．第２の短断面寸法に対する第１の長断面寸法の比率が少なくとも１．７である、特性１２３〜１２４のいずれか１つに記載のエアクリーナアセンブリ。
【０３８９】
１２６．第２の短断面寸法に対する第１の長断面寸法の比率が１．８〜３．５（境界値を含む）の範囲内である、特性１２３〜１２５のいずれか１つに記載のエアクリーナアセンブリ。
【０３９０】
１２７．エアクリーナハウジングは側部空気流入口を含む、特性１１８〜１２６のいずれか１つに記載のエアクリーナアセンブリ。
【０３９１】
１２８．媒体パックは、第１端部と対向する第２端部との間の伸張範囲が少なくとも１００ｍｍの長さである、特性１１８〜１２７のいずれか１つに記載のエアクリーナアセンブリ。
【０３９２】
１２９．第２の媒体パック短断面寸法に対する第１の媒体パック長断面寸法の比率が少なくとも１．４である、特性１１８〜１２７のいずれか１つに記載のエアクリーナアセンブリ。
【０３９３】
１３０．第２の媒体パック短断面寸法に対する第１の媒体パック長断面寸法の比率が少なくとも１．７である、請求項１１８〜１２７のいずれか一項に記載のエアクリーナアセンブリ。
【０３９４】
１３１．媒体パックは、第１端部と対向する第２端部との間の伸張範囲が少なくとも１５０ｍｍの長さである、特性１１８〜１２７のいずれか１つに記載のエアクリーナアセンブリ。
【０３９５】
１３２．媒体パックは、第１端部と第２端部との間の方向に垂直な平面内において、少なくとも２５０ｍｍである少なくとも１つの断面寸法を有する、特性１１８〜１３１のいずれか１つに記載のエアクリーナアセンブリ。
【０３９６】
１３３．媒体パックは、第１端部と第２端部との間の方向に垂直な平面内において、少なくとも３００ｍｍである少なくとも１つの断面寸法を有する、特性１１８〜１３２のいずれか１つに記載のエアクリーナアセンブリ。
【０３９７】
１３４．媒体パックは、第１端部と第２端部との間の方向に垂直な平面内において、少なくとも３８０ｍｍである少なくとも１つの断面寸法を有する、特性１１８〜１３３のいずれか１つに記載のエアクリーナアセンブリ。
【０３９８】
１３５．媒体パックは周囲楕円形の外周を有する、特性１１８〜１３９のいずれか１つに記載のエアクリーナアセンブリ。
【０３９９】
１３６．媒体パックは、２つの対向する直線の辺と、２つの対向湾曲端部と、を有する周囲楕円形の外周を有する、特性１１８〜１３６のいずれか１つに記載のエアクリーナアセンブリ。
【０４００】
１３７．媒体パックはコイル式媒体ストリップ配置を含む、特性１１８〜１３６のいずれか１つに記載のエアクリーナアセンブリ。
【０４０１】
１３８．コイル式媒体ストリップ配置は、第２の媒体シートに固定された第１の媒体シートのコイル式ストリップを含む、特性１１８〜１３７に記載のエアクリーナアセンブリ。
【０４０２】
１３９．コイル式媒体ストリップ配置は、第２の媒体シートに固定されたフルート付き媒体シートのコイル式ストリップを含む、特性１１８〜１３８のいずれか１つに記載のエアクリーナアセンブリ。
【０４０３】
１４０．メインフィルタカートリッジは外部シェルを含み、外部シェルは、媒体パックを取り囲むとともに、ハウジングシール構造から、少なくとも、ハウジングシール構造から最も遠い媒体パックの端部まで延びる、特性１１８〜１３９のいずれか１つに記載のエアクリーナアセンブリ。
【０４０４】
１４１．外部シェルは出口側端部を含み、出口側端部はハウジングシール構造から離れており、出口側端部上に媒体支持グリッドを有する、特性１４０に記載のエアクリーナアセンブリ。
【０４０５】
１４２．外部シェルは出口側端部を含み、出口側端部はハウジングシール構造から離れており、出口側端部上に安全フィルタカートリッジ圧力フランジを有する、特性１４０〜１４１のいずれか１つに記載のエアクリーナアセンブリ。
【０４０６】
１４３．外部シェルは、出口側端部に外部シェル外部周囲縁部を含み、安全カートリッジ圧力フランジは外部シェル外部周囲縁部から径方向内側に離間している、特性１４２に記載のエアクリーナアセンブリ。
【０４０７】
１４４．安全カートリッジ圧力フランジは少なくとも１つの軸方向突起を含む、特性１４２及び１４３のいずれか１つに記載のエアクリーナアセンブリ。
【０４０８】
１４５．安全カートリッジ圧力フランジは１つの連続的な軸方向リング状突起である、特性１４２〜１４４のいずれか１つに記載のエアクリーナアセンブリ。
【０４０９】
１４６．メインフィルタカートリッジの外部シェルは外部シェル上に周囲径方向外側に延びる突起構造を含み、周囲径方向外側に延びる突起構造は、ハウジングシール構造の周囲ピンチシールに埋め込まれた部分を有する、特性１３２〜１４５のいずれか１つに記載のエアクリーナアセンブリ。
【０４１０】
１４７．外部シェル上の周囲突起構造は周囲フランジを含み、周囲フランジは周囲フランジ内に複数の樹脂流孔を有する、特性１４６に記載のエアクリーナアセンブリ。
【０４１１】
１４８．周囲ピンチシールは、媒体パックの出口側端部の方向に一致する方向に面して配向された周囲軸方向シール表面を含む、特性１１８〜１４７のいずれか１つに記載のエアクリーナアセンブリ。
【０４１２】
１４９．周囲軸方向シール表面は、ハウジング部分受け入れグルーブによって媒体から離間している、特性１４８に記載のエアクリーナアセンブリ。
【０４１３】
１５０．ハウジング本体はメインフィルタカートリッジ安定化フランジを含み、メインフィルタカートリッジ安定化フランジは、周囲軸方向シール表面と媒体パックとの間の位置までハウジング部分受け入れグルーブ内に突出している、特性１１８〜１４９に記載のエアクリーナアセンブリ。
【０４１４】
１５１．メインフィルタカートリッジは周辺シール取付突起を含み、周辺シール取付突起は、媒体パックから径方向外側に、ハウジングシール構造内に突出している、特性１５０に記載のエアクリーナアセンブリ。
【０４１５】
１５２．メインフィルタカートリッジは外部シェルを含み、外部シェルは媒体パックを取り囲み、且つハウジングシール構造から、少なくとも、ハウジングシール構造から離れている媒体パックの端部まで延びており、周辺シール取付突起は、外部シェル上の径方向外側に延びるフランジである、特性１５１に記載のエアクリーナアセンブリ。
【０４１６】
１５３．周囲ピンチシールの周囲軸方向シール表面は傾斜表面である、特性１４８〜１５２のいずれか１つに記載のエアクリーナアセンブリ。
【０４１７】
１５４．エアクリーナアセンブリにおいて使用するための着脱可能なメインエアフィルタカートリッジであって、入口流端部と対向する出口流端部との間に延びる媒体を含む媒体パックと、周囲ピンチシールを含むハウジングシール構造と、媒体パックを取り囲み、少なくとも周囲ピンチシールから少なくとも媒体の出口流端部まで延びるシェルであって、シェルは、媒体入口側端部から離れている出口側端部リムを有する、シェルと、シェル上の、端部リムから径方向内側に離間した位置に配置された安全フィルタカートリッジ圧力フランジと、を含む、エアフィルタカートリッジ。
【０４１８】
１５５．エアクリーナアセンブリの特性１〜１５４のいずれか１つを特徴とするメインカートリッジ特徴を含む、特性６０に記載のメインフィルタカートリッジ。
【図１】
2020124707.tif 000004
【図２】
2020124707.tif 000005
【図３】
2020124707.tif 000006
【図４】
2020124707.tif 000007
【図５】
2020124707.tif 000008
【図６】
2020124707.tif 000009
【図７】
2020124707.tif 000010
【図８】
2020124707.tif 000011
【図８Ａ】
2020124707.tif 000012
【図８Ｂ】
2020124707.tif 000013
【図９】
2020124707.tif 000014
【図１０】
2020124707.tif 000015
【図１１】
2020124707.tif 000016
【図１２】
2020124707.tif 000017
【図１２Ａ】
2020124707.tif 000018
【図１２Ｂ】
2020124707.tif 000019
【図１３】
2020124707.tif 000020
【図１４】
2020124707.tif 000021
【図１５】
2020124707.tif 000022
【図１６】
2020124707.tif 000023
【図１６Ａ】
2020124707.tif 000024
【図１７】
2020124707.tif 000025
【図１７Ａ】
2020124707.tif 000026
【図１８】
2020124707.tif 000027
【図１９】
2020124707.tif 000028
【図２０】
2020124707.tif 000029
【図２１】
2020124707.tif 000030
【図２２】
2020124707.tif 000031
【図２３】
2020124707.tif 000032
【図２４】
2020124707.tif 000033
【図２５】
2020124707.tif 000034
【図２６】
2020124707.tif 000035
【図２７】
2020124707.tif 000036
【図２８】
2020124707.tif 000037
【図２８Ａ】
2020124707.tif 000038
【図２９】
2020124707.tif 000039
【図３０】
2020124707.tif 000040
【図３１】
2020124707.tif 000041
【図３２】
2020124707.tif 000042
【図３２Ａ】
2020124707.tif 000043
【図３３】
2020124707.tif 000044
【図３３Ａ】
2020124707.tif 000045
【図３４】
2020124707.tif 000046
【図３５】
2020124707.tif 000047
【図３６】
2020124707.tif 000048
【図３６Ａ】
2020124707.tif 000049
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
（ａ）空気流入口と空気流出口とを含むハウジングであって、前記ハウジングはハウジング本体とアクセスカバーとを含み、
（ｉ）前記ハウジング本体は、開放保守アクセス端部と、空気流出口と、前記保守アクセス端部から凹設されたメインフィルタカートリッジ密閉シェルフと、を有し、
（ｉｉ）前記アクセスカバーは内部突起を含み、前記内部突起は、前記ハウジング本体によって囲まれた位置まで前記ハウジング本体内に突出している周囲リムを有し、
（Ａ）前記内部周囲リムは、少なくとも５０ｍｍの軸方向距離にわたって延びており、
（Ｂ）前記内部周囲リムは前記内部周囲リム内に側部空気流孔構造を含み、
（Ｃ）前記内部突起は外部表面を有し、前記外部表面は前記外部表面上に、複数の離間した軸方向に延びる突起リブを有する、
ハウジングを含むエアクリーナアセンブリ。
【請求項２】
（ａ）前記ハウジング本体は、前記開放保守アクセス端部に隣接する位置において、
（ｉ）第１の長断面寸法と、
（ｉｉ）第２の短断面寸法であって、前記第１の長断面寸法の半分の位置において、前記第１の長断面寸法に垂直に、前記第１の長断面寸法に垂直にとった寸法である、前記第２の短断面寸法と、
を有する内部を有する、
請求項１に記載のエアクリーナアセンブリ。
【請求項３】
（ａ）前記エアクリーナハウジングは側部空気流入口を含む、
請求項１に記載のエアクリーナアセンブリ。
【請求項４】
（ａ）前記媒体パックは、２つの対向する直線の辺と、２つの対向湾曲端部と、を有する周囲楕円形の外周を有する、
請求項１に記載のエアクリーナアセンブリ。
【請求項５】
（ａ）前記媒体パックはコイル式媒体ストリップ配置を含む、
請求項１に記載のエアクリーナアセンブリ。
【請求項６】
（ａ）前記コイル式媒体ストリップ配置は、第２の媒体シートに固定されたフルート付き媒体シートのコイル式ストリップを含む、
請求項１に記載のエアクリーナアセンブリ。
【請求項７】
（ａ）前記メインフィルタカートリッジは外部シェルを含み、前記外部シェルは、前記媒体パックを取り囲むとともに、前記ハウジングシール構造から、少なくとも、前記ハウジングシール構造から最も遠い前記媒体パックの端部まで延びる、
請求項１に記載のエアクリーナアセンブリ。
【請求項８】
（ａ）前記外部シェルは出口側端部を含み、前記出口側端部は前記ハウジングシール構造から離れており、前記出口側端部上に媒体支持グリッドを有し、
（ｂ）前記外部シェルは出口側端部を含み、前記出口側端部は前記ハウジングシール構造から離れており、前記出口側端部上に安全フィルタカートリッジ圧力フランジを有し、
（ｃ）前記外部シェルは、前記出口側端部に外部シェル外部周囲縁部を含み、
（ｉ）前記安全カートリッジ圧力フランジは前記外部シェル外部周囲縁部から径方向内側に離間しており、
（ｄ）前記安全カートリッジ圧力フランジは少なくとも１つの軸方向突起を含み、
（ｅ）前記メインフィルタカートリッジの前記外部シェルは前記外部シェル上に周囲径方向外側に延びる突起構造を含み、前記周囲径方向外側に延びる突起構造は、前記ハウジングシール構造の前記周囲ピンチシールに埋め込まれた部分を有し、
（ｆ）前記外部シェル上の前記周囲突起構造は周囲フランジを含み、前記周囲フランジは前記周囲フランジ内に複数の樹脂流孔を有する、
請求項７に記載のエアクリーナアセンブリ。
【請求項９】
（ａ）前記周囲ピンチシールは、前記媒体パックの前記出口側端部の方向に一致する方向に面して配向された周囲軸方向シール表面を含み、
（ｂ）前記周囲軸方向シール表面は、ハウジング部分受け入れグルーブによって前記媒体から離間している、請求項１に記載のエアクリーナアセンブリ。
【請求項１０】
（ａ）前記ハウジング本体はメインフィルタカートリッジ安定化フランジを含み、前記メインフィルタカートリッジ安定化フランジは、前記周囲軸方向シール表面と前記媒体パックとの間の位置まで前記ハウジング部分受け入れグルーブ内に突出し、
（ｂ）前記メインフィルタカートリッジは周辺シール取付突起を含み、前記周辺シール取付突起は、前記媒体パックから径方向外側に、前記ハウジングシール構造内に突出し、
（ｃ）前記メインフィルタカートリッジは外部シェルを含み、前記外部シェルは前記媒体パックを取り囲み、且つ前記ハウジングシール構造から、少なくとも、前記ハウジングシール構造から離れている前記媒体パックの端部まで延びており、
（ｄ）前記周辺シール取付突起は、前記外部シェル上の径方向外側に延びるフランジであり、
（ｅ）前記周囲ピンチシールの前記周囲軸方向シール表面は傾斜表面である、
請求項１に記載のエアクリーナアセンブリ。
【外国語明細書】
2020124707000001.pdf